(57)【要約】［課題］本発明は、銀行券、旅券等の偽造防止又は複製防止が必要とされる偽造防止用印刷物及びその作製方法並びに網点データの作製用ソフトウェアを格納した記録媒体に関するものである。［解決手段］基材に、第１の方向に沿って、中心を境に対向するように配置された第１の画線及び第２の画線と、前記第１の画線及び前記第２の画線が存在しない領域に配置された第３の画線とを有するユニットが、一定のピッチで前記第１の方向及び前記第１の方向と直交する第２の方向にマトリクス状に配置されており、各々の前記ユニットにおける前記第１の画線と前記第２の画線とはオン、オフの関係にあり、かつ、面積が同一であり、前記第１の画線により第１の不可視画像のポジ画像又はネガ画像のいずれか一方が形成され、前記第２の画線により前記第１の不可視画像のネガ画像又はポジ画像の他方が形成され、前記第３の画線により連続階調から成る可視画像が形成される。
2010032718.tif 000002
【特許請求の範囲】
【請求項１】
基材に、第１の方向に沿って、中心を境に対向するように配置された第１の画線及び第２の画線と、
前記第１の画線及び前記第２の画線が存在しない領域に配置された第３の画線とを有するユニットが、一定のピッチで前記第１の方向及び前記第１の方向と直交する第２の方向にマトリクス状に配置されており、
各々の前記ユニットにおける前記第１の画線と前記第２の画線とはオン、オフの関係にあり、かつ、面積が同一であり、前記第１の画線により第１の不可視画像のポジ画像又はネガ画像のいずれか一方が形成され、前記第２の画線により前記第１の不可視画像のネガ画像又はポジ画像の他方が形成され、
前記第３の画線により連続階調から成る可視画像が形成されることを特徴とする連続階調を有する偽造防止用印刷物。
【請求項２】
前記第３の画線は、画線の大小、画線の濃淡又は画線の粗密から選択される一つの方法によって前記連続階調から成る可視画像が形成されていることを特徴とする請求項１記載の連続階調を有する偽造防止用印刷物。
【請求項３】
前記ユニットにおける最大寸法が１ｍｍ以下であることを特徴とする請求項１又は２記載の連続階調を有する偽造防止用印刷物。
【請求項４】
前記第１の不可視画像を形成するためにオン、オフの関係により配置された前記第１の画線及び前記第２の画線のうち、隣接して配置された前記ユニットにおける前記第１の画線及び前記第２の画線のオフと成る画線が近接して配置されている前記ユニット内の前記第１の画線、前記第２の画線及び前記第３の画線が形成されていない位置に、前記第１の画線又は前記第２の画線における半分又は略半分の画線面積率、かつ、同色である第４の画線が配置されて成ることを特徴とする請求項１乃至３のいずれか１項記載の連続階調を有する偽造防止用印刷物。
【請求項５】
前記第４の画線は、前記ユニット内の前記第１の画線、前記第２の画線及び前記第３の画線が形成されていない領域に前記第３の画線を囲んだ形状、若しくは、前記第３の画線に囲まれた形状によって形成することを特徴とする請求項１乃至４のいずれか１項記載の連続階調を有する偽造防止用印刷物。
【請求項６】
前記第４の画線は、前記ユニット内の前記第１の画線、前記第２の画線及び前記第３の画線が形成されていない領域に形成され、さらに前記第１の画線及び／又は前記第２の画線に隣接する位置に配置されて成ることを特徴とする請求項１乃至４のいずれか１項記載の連続階調を有する偽造防止用印刷物。
【請求項７】
前記第１の画線、前記第２の画線、前記第３の画線及び前記第４の画線は、光輝性材料を含むインキで印刷され、
前記第１の画線、前記第２の画線、前記第３の画線及び前記第４の画線の少なくとも一部の画線上に、無色透明材料を用いてベタ刷りにより所望の模様を形成することを特徴とする請求項１乃至６のいずれか１項記載の連続階調を有する偽造防止用印刷物。
【請求項８】
基材に、第１の方向に沿って、中心を境に対向するように配置された第１の画線及び第２の画線と、
前記第１の方向と直交する第２の方向に沿って、前記中心を境に対向するように配置された第５の画線及び第６の画線と、
前記第1の画線、前記第２の画線、前記第５の画線及び前記第６の画線が存在しない領域に配置された第３の画線とを有するユニットが、一定のピッチでマトリクス状に配置されており、
各々の前記ユニットにおける前記第１の画線と前記第２の画線とはオン、オフの関係にあり、かつ、面積が同一であり、前記第１の画線により第１の不可視画像のポジ画像又はネガ画像のいずれか一方が形成され、前記第２の画線により前記第１の不可視画像のネガ画像又はポジ画像の他方が形成され、
各々の前記ユニットにおける前記第５の画線と前記第６の画線とはオン、オフの関係にあり、かつ、面積が同一であり、前記第５の画線により第２の不可視画像のポジ画像又はネガ画像のいずれか一方が形成され、前記第６の画線により前記第２の不可視画像のネガ画像又はポジ画像の他方が形成され、
前記第３の画線により連続階調から成る可視画像が形成されることを特徴とする連続階調を有する偽造防止用印刷物。
【請求項９】
前記ユニットは正方形の形状を有し、一辺の長さが１ｍｍ以下であることを特徴とする請求項８記載の連続階調を有する偽造防止用印刷物。
【請求項１０】
前記第１の不可視画像を形成するためにオン、オフの関係により配置された前記第１の画線及び前記第２の画線のうち、隣接して配置された前記ユニットにおける前記第１の画線及び前記第２の画線のオフと成る画線が近接して配置されている位置に、前記第１の画線又は前記第２の画線における半分又は略半分の画線面積率、かつ、同色である第４の画線が配置され、
前記第２の不可視画像を形成するためにオン、オフの関係により配置された前記第５の画線及び前記第６の画線のうち、隣接して配置された前記ユニットにおける前記第５の画線及び前記第６の画線のオフと成る画線が近接して配置されている位置に、前記第５の画線又は前記第６の画線における半分又は略半分の画線面積率、かつ、同色である第７の画線が配置されて成ることを特徴とする請求項８又は９記載の連続階調を有する偽造防止用印刷物。
【請求項１１】
前記第４の画線及び前記第７の画線は、前記ユニット内の前記第１の画線、前記第２の画線、前記第３の画線、前記第５の画線及び前記第６の画線が形成されていない領域に形成することを特徴とする請求項８乃至１０のいずれか１項記載の連続階調を有する偽造防止用印刷物。
【請求項１２】
前記第４の画線及び前記第７の画線は、前記ユニット内の前記第１の画線、前記第２の画線、前記第３の画線、前記第５の画線及び前記第６の画線が形成されていない領域に前記第３の画線を囲んだ形状、若しくは、前記第３の画線に囲まれた形状によって形成することを特徴とする請求項８乃至１０のいずれか１項記載の連続階調を有する偽造防止用印刷物。
【請求項１３】
前記第４の画線及び前記第７の画線は、前記ユニット内の前記第１の画線、前記第２の画線、前記第３の画線、前記第５の画線及び前記第６の画線が形成されていない領域に形成され、さらに正方形の形状を有する前記ユニット内における４方の角に配置されて成ることを特徴とする請求項８乃至１０のいずれか１項記載の連続階調を有する偽造防止用印刷物。
【請求項１４】
前記第１の画線、前記第２の画線、前記第３の画線、前記第４の画線、前記第５の画線、前記第６の画線及び前記第７の画線は、光輝性材料を含むインキで印刷され、
前記第１の画線、前記第２の画線、前記第３の画線、前記第４の画線、前記第５の画線、前記第６の画線及び前記第７の画線の少なくとも一部の画線上に、無色透明材料を用いてベタ刷りにより所望の模様を形成することを特徴とする請求項８乃至１３のいずれか１項記載の連続階調を有する偽造防止用印刷物。
【請求項１５】
前記第1の画線、前記第２の画線及び前記第４の画線と、前記第５の画線、前記第６の画線及び前記第７の画線とは、色相が異なることを特徴とする請求項８乃至１３のいずれか１項記載の連続階調を有する偽造防止用印刷物。
【請求項１６】
連続階調から成る可視画像が顔画像であることを特徴とする請求項１乃至１５のいずれか１項記載の偽造防止用印刷物。
【請求項１７】
請求項１乃至７のいずれか１項記載の連続階調を有する偽造防止用印刷物を、画像入力手段、項目設定手段、演算手段、印刷手段を有する作製装置を用いて作製する方法であって、
前記画像入力手段によって前記偽造防止印刷物に対して、レンチキュラーレンズ又は万線フィルタを重ねた場合に前記第１の不可視画像が潜像画像として視認される基となる第１の画像データと、連続階調を有する前記可視画像として視認される基となる第２の画像データとを入力する工程と、
前記項目設定手段によって前記偽造防止印刷物における解像度の設定、着色の設定及び第１の画線、第２の画線及び第３の画線の網点形状の設定を設定項目ごとに行う工程と、
前記演算手段によって、前記画像入力手段によって入力された前記第１の画像データを前記項目手段によって設定された内容で前記第１の画線、前記第２の画線から成る前記第１の不可視画像を有する画像データを形成し、前記第３の画線から成る前記連続階調を有する前記可視画像となる画像データを形成し、さらに、前記第１の不可視画像を有する画像データ及び前記連続階調を有する前記可視画像となる画像データを合成する工程と、
前記印刷手段によって、前記合成された画像データを元に基材に印刷する工程によって作製することを特徴とする連続階調を有する偽造防止用印刷物の作製方法。
【請求項１８】
請求項８乃至１５のいずれか１項記載の連続階調を有する偽造防止用印刷物を、画像入力手段、項目設定手段、演算手段、印刷手段を有する作製装置を用いて作製する方法であって、
前記画像入力手段によって、前記偽造防止印刷物に対して、レンチキュラーレンズ又は万線フィルタを重ねた場合に前記第１の不可視画像及び前記第２の不可視画像が潜像画像として視認される基となる第１の画像データ及び第２の画像データと、連続階調を有する前記可視画像として視認される基となる第３の画像データとを入力する工程と、
前記項目設定手段によって、前記偽造防止印刷物における解像度の設定、着色の設定及び第１の画線、第２の画線、第３の画線、第５の画線及び第６の画線の網点形状の設定を設定項目ごとに行う工程と、
前記演算手段によって、前記画像入力手段によって入力された前記第１の画像データを前記項目設定手段によって設定された内容で前記第１の画線、前記第２の画線から成る前記第１の不可視画像を有する画像データを形成し、前記第２の画像データを前記項目設定手段によって設定された内容で前記第５の画線、前記第６の画線から成る第２の不可視画像を有する画像データを形成し、前記第３の画線から成る前記連続階調を有する前記可視画像となる画像データを形成し、さらに、前記第１の不可視画像を有する画像データ及び前記第２の不可視画像を有する画像データ、前記連続階調を有する前記可視画像となる画像データを合成する工程と、
前記印刷手段によって、前記合成された画像データを元に基材に印刷する工程によって作製することを特徴とする連続階調を有する偽造防止用印刷物の作製方法。
【請求項１９】
基材上の所定の領域に、ユニットが規則的に複数配置され、前記ユニット内は前記ユニットの中心を境に対向するように、所定の方向に沿って第１の画線又は第２の画線が形成され、前記複数配置された各々のユニットにおいて、前記第１の画線と前記第２の画線は面積が同一であり、前記第１の画線と前記第２の画線において、一方を同一色で着色し（オン）、他方は着色せず（オフ）、前記オン及びオフ状態の組み合わせにより不可視画像が形成され、前記不可視画像を形成するために配置された前記第１の画線及び前記第２の画線のうち、前記所定の方向に隣接して本来配置される位置及び複数隣接して配置されたユニットのうち、オフとなっている部分が隣接して配置されている位置に、前記所定の領域における濃度の不均衡を緩和するため、前記第１の画線及び前記第２の画線における半分又は略半分の画線面積率、かつ、同色又は略同色である第４の画線が、前記第１の画線と前記第２の画線の境界線を中心又は略中心として配置されて成る網点印刷物における網点データの作製装置において、
前記網点印刷物に対して、レンチキュラーレンズ又は万線フィルタを重ねた場合に前記不可視画像が潜像画像として視認される基となる第１の画像データを入力する画像入力手段と、
前記網点データにおける解像度の設定、着色の設定及び前記第１の画線、前記第２の画線及び前記第４の画線の網点形状の設定を設定項目ごとに行う項目設定手段と、
前記画像入力手段によって入力された前記第１の画像データを前記項目設定手段によって設定された内容で前記第１の画線、前記第２の画線から成る不可視画像を有する画像データを形成し、さらに、前記不可視画像を有する画像データ及び前記濃度の不均衡を緩和するための前記第４の画線を合成する演算手段を有することを特徴とする網点データの作製装置。
【請求項２０】
前記項目設定手段は、前記網点データの解像度を設定する、任意の解像度を入力又はあらかじめ記憶してある複数の解像度から選択可能な生成データ解像度設定部と、
前記網点印刷物の色を設定する着色設定部と、
前記ユニットの高さ及び幅、前記ユニット内に形成する前記第１の画線、前記第２の画線及び前記第４の画線の網点形状を設定する網点形状設定部を有することを特徴とする請求項１９記載の網点データの作製装置。
【請求項２１】
前記演算手段は、前記第１の画像データの輪郭を抽出し、前記第１の画像データの輪郭画像データを生成する輪郭抽出部と、
前記輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置する不可視画像配置部と、
前記輪郭内部ユニット内及び前記輪郭外部ユニット内に配置された前記第１の画線及び前記第２の画線において、隣接して配置された前記第１の画線及び前記第２の画線がともにオン状態の場合に、前記第１の画線又は前記第２の画線のいずれか一方の画線をオフにすることで削除する画線削除部と、
前記第１の画線又は前記第２の画線を削除した空間の位置及び複数隣接して配置されたユニットのうち、オフとなっている部分が隣接して配置されている位置に前記所定の領域における濃度の不均衡を緩和するために、前記第１の画線及び前記第２の画線における半分又は略半分の画線面積率、かつ、同色又は略同色の前記第４の画線を、前記第１の画線と前記第２の画線の境界線を中心又は略中心として配置する濃度不均衡緩和画線配置部を有することを特徴とする請求項１９又は２０記載の網点データの作製装置。
【請求項２２】
基材上の所定の領域に、ユニットが規則的に複数配置され、前記ユニット内は前記ユニットの中心を境に対向するように、所定の方向に沿って第１の画線又は第２の画線が形成され、前記複数配置された各々のユニットにおいて、前記第１の画線と前記第２の画線は面積が同一であり、前記第１の画線と前記第２の画線において、一方を同一色で着色し（オン）、他方は着色せず（オフ）、前記オン及びオフ状態の組み合わせにより不可視画像が形成され、前記ユニットの前記第１の画線又は前記第２の画線が形成される内部及び／又は前記ユニット同士の境界線を中心又は略中心に第３の画線が配置されることで可視画像が形成され、前記不可視画像を形成するために配置された前記第１の画線及び前記第２の画線のうち、前記所定の方向に隣接して本来配置される位置及び複数隣接して配置されたユニットのうち、オフとなっている部分が隣接して配置されている位置に、前記所定の領域における濃度の不均衡を緩和するため、前記第１の画線及び前記第２の画線における半分又は略半分の画線面積率、かつ、同色又は略同色である第４の画線が、前記第１の画線、前記第２の画線及び前記第３の画線が存在しない所定の領域に配置されて成る網点印刷物における網点データの作製装置において、
前記網点印刷物に対して、レンチキュラーレンズ又は万線フィルタを重ねた場合に前記不可視画像が潜像画像として視認される基となる第１の画像データと、可視画像として視認される基となる第２の画像データとを入力する画像入力手段と、
前記網点データにおける解像度の設定、着色の設定及び前記第１の画線、前記第２の画線、前記第３の画線及び前記第４の画線の網点形状の設定を設定項目ごとに行う項目設定手段と、
前記画像入力手段によって入力された前記第１の画像データを前記項目設定手段によって設定された内容で前記第１の画線、前記第２の画線から成る不可視画像を有する画像データを形成し、前記第３の画線から成る可視画像となる画像データを形成し、さらに、前記不可視画像を有する画像データ、前記可視画像となる画像データ及び前記濃度の不均衡を緩和するための前記第４の画線を合成する演算手段を有することを特徴とする網点データの作製装置。
【請求項２３】
前記項目設定手段は、前記網点データの解像度を設定する、任意の解像度を入力又はあらかじめ記憶してある複数の解像度から選択可能な生成データ解像度設定部と、
前記網点印刷物の色を設定する着色設定部と、
前記ユニットの高さ及び幅、前記ユニット内に形成する前記第１の画線、前記第２の画線、前記第３の画線及び前記第４の画線の網点形状を設定する網点形状設定部を有することを特徴とする請求項２２記載の網点データの作製装置。
【請求項２４】
前記演算手段は、前記第１の画像データの輪郭を抽出し、前記第１の画像データの輪郭画像データを生成する輪郭抽出部と、
前記輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置する不可視画像配置部と、
前記ユニットの前記第１の画線又は前記第２の画線が形成される内部及び／又は前記ユニット同士の境界線を中心又は略中心に可視画像を形成するための前記第３の画線を配置する可視画像配置部と、
前記輪郭内部ユニット内及び前記輪郭外部ユニット内に配置された前記第１の画線及び前記第２の画線において、隣接して配置された前記第１の画線及び前記第２の画線がともにオン状態の場合に、前記第１の画線又は前記第２の画線のいずれか一方の画線をオフにすることで削除する画線削除部と、
前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の前記第４の画線を、前記第１の画線、前記第２の画線及び前記第３の画線が存在しない所定の領域に配置する濃度不均衡緩和画線配置部を有することを特徴とする請求項２２又は２３記載の網点データの作製装置。
【請求項２５】
前記可視画像配置部における前記第３の画線が前記ユニットの前記第１の画線又は前記第２の画線が形成される内部及び／又は前記ユニット同士の境界線を中心又は略中心として配置され、画線の大小、画線の濃淡又は画線の粗密から選択される一つの方法によって連続階調から成る可視画像が形成されていることを特徴とする請求項２２乃至２４いずれか１項記載の網点データの作製装置。
【請求項２６】
前記網点データの作製装置が、前記演算手段によって得られた演算結果を出力することによって、網点印刷物又は印刷版面を得る画像出力手段をさらに備えることを特徴とする請求項１９乃至２５いずれか１項記載の網点データの作製装置。
【請求項２７】
レンチキュラーレンズ又は万線フィルタを重ねた場合に潜像画像として視認される不可視画像が埋め込まれた網点印刷物の網点データを作製する方法を、不可視画像となる第１の画像データを入力する画像入力手段と、設定項目ごとに設定を行う項目設定手段と、前記第１の画像データ及び設定された設定項目をもとに網点データを作製する演算手段とを備えたコンピュータに実行させる網点データの作製用ソフトウェアを格納した、コンピュータにより読み取り可能な記録媒体において、
レンチキュラーレンズ又は万線フィルタを重ねた場合に前記不可視画像が潜像画像として視認される基となる前記第１の画像データを、前記画像入力手段により入力する画像入力ステップと、
前記第１の画像データから不可視画像を有する画像データを生成するための、前記網点データにおける解像度の設定、着色の設定及び第１の画線、第２の画線及び第４の画線の網点形状の設定を、前記項目設定手段により設定項目ごとに行う項目設定ステップと、
入力された前記第１の画像データを前記項目設定手段によって設定された内容で前記第１の画線、前記第２の画線から成る不可視画像を有する画像データを生成し、さらに、前記不可視画像を有する画像データ及び濃度の不均衡を緩和するための前記第４の画線を前記演算手段により合成する演算ステップを備える網点データの生成方法をコンピュータに実行させることを特徴とする網点データの作製用ソフトウェアを格納した記録媒体。
【請求項２８】
前記項目設定ステップは、前記項目設定手段に含まれる前記生成データ解像度設定部によって、前記網点データの解像度を設定する、任意の解像度を入力又はあらかじめ記憶してある複数の解像度から選択可能な生成データ解像度設定ステップと、
前記項目設定手段に含まれる着色設定部によって、前記網点印刷物の色を設定する着色設定ステップと、
前記項目設定手段に含まれる網点形状設定部によって、前記ユニットの高さ及び幅、前記ユニット内に形成する前記第１の画線、前記第２の画線及び前記第４の画線の網点形状を設定する網点形状設定ステップを有することを特徴とする請求項２７記載の網点データの作製用ソフトウェアを格納した記録媒体。
【請求項２９】
前記演算ステップは、前記演算手段に含まれる輪郭抽出部によって、前記第１の画像データの輪郭を抽出し、前記第１の画像データの輪郭画像データを生成する輪郭抽出ステップと、
前記演算手段に含まれる不可視画像配置部によって、前記輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置する不可視画像配置ステップと、
前記演算手段に含まれる画線削除部によって、前記輪郭内部ユニット内及び前記輪郭外部ユニット内に配置された前記第１の画線及び前記第２の画線において、隣接して配置された前記第１の画線及び前記第２の画線がともにオン状態の場合に、前記第１の画線又は前記第２の画線のいずれか一方の画線をオフにすることで削除する画線削除ステップと、
前記演算手段に含まれる濃度不均衡緩和画線配置部によって、前記第１の画線又は前記第２の画線を削除した空間の位置及び複数隣接して配置されたユニットのうち、オフとなっている部分が隣接して配置されている位置に前記所定の領域における濃度の不均衡を緩和するために、前記第１の画線及び前記第２の画線における半分又は略半分の画線面積率、かつ、同色又は略同色の前記第４の画線を、前記第１の画線と前記第２の画線の境界線を中心又は略中心として配置する濃度不均衡緩和画線配置ステップを有することを特徴とする請求項２７又は２８記載の網点データの作製用ソフトウェアを格納した記録媒体。
【請求項３０】
可視画像とレンチキュラーレンズ又は万線フィルタを重ねた場合に潜像画像として視認される不可視画像が埋め込まれた網点印刷物の網点データを作製する方法を、不可視画像となる第１の画像データと可視画像となる第２の画像データを入力する画像入力手段と、設定項目ごとに設定を行う項目設定手段と、前記第１の画像データ、前記第２の画像データ及び設定された設定項目をもとに網点データを作製する演算手段とを備えたコンピュータに実行させる網点データの作製用ソフトウェアを格納した、コンピュータにより読み取り可能な記録媒体において、
レンチキュラーレンズ又は万線フィルタを重ねた場合に前記不可視画像が潜像画像として視認される基となる前記第１の画像データと、前記可視画像として視認される基となる前記第２の画像データとを、前記画像入力手段により入力する画像入力ステップと、
前記第１の画像データから不可視画像を有する画像データを生成し、前記第２の画像データから可視画像となる画像データを生成するための、前記網点データにおける解像度の設定、着色の設定及び第１の画線、第２の画線、第３の画線及び第４の画線の網点形状の設定を、前記項目設定手段により設定項目ごとに行う項目設定ステップと、
入力された前記第１の画像データを前記項目設定手段によって設定された内容で前記第１の画線、前記第２の画線から成る不可視画像を有する画像データを形成し、前記第３の画線から成る可視画像となる画像データを形成し、さらに、前記不可視画像を有する画像データ、前記可視画像となる画像データ及び濃度の不均衡を緩和するための前記第４の画線を演算手段により合成する演算ステップを備える網点データの生成方法をコンピュータに実行させることを特徴とする網点データの作製用ソフトウェアを格納した記録媒体。
【請求項３１】
前記項目設定ステップは、前記項目設定手段に含まれる生成データ解像度設定部によって、前記網点データの解像度を設定する、任意の解像度を入力又はあらかじめ記憶してある複数の解像度から選択可能な生成データ解像度設定ステップと、
前記項目設定手段に含まれる着色設定部によって、前記網点印刷物の色を設定する着色設定ステップと、
前記項目設定手段に含まれる網点形状設定部によって、前記ユニットの高さ及び幅、前記ユニット内に形成する前記第１の画線、前記第２の画線、前記第３の画線及び前記第４の画線の網点形状を設定する網点形状ステップを有することを特徴とする請求項３０記載の網点データの作製用ソフトウェアを格納した記録媒体。
【請求項３２】
前記演算ステップは、前記演算手段に含まれる輪郭抽出部によって、前記第１の画像データの輪郭を抽出し、前記第１の画像データの輪郭画像データを生成する輪郭抽出ステップと、
前記演算手段に含まれる不可視画像配置部によって、前記輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置する不可視画像配置ステップと、
前記演算手段に含まれる可視画像配置部によって、前記ユニットの前記第１の画線又は前記第２の画線が形成される内部及び／又は前記ユニット同士の境界線を中心又は略中心に第３の画線が配置する可視画像配置ステップと、
前記演算手段に含まれる画線削除部によって、前記輪郭内部ユニット内及び前記輪郭外部ユニット内に配置された前記第１の画線及び前記第２の画線において、隣接して配置された前記第１の画線及び前記第２の画線がともにオン状態の場合に、前記第１の画線又は前記第２の画線のいずれか一方の画線をオフにすることで削除する画線削除ステップと、
前記演算手段に含まれる濃度不均衡緩和画線配置部によって、前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の前記第４の画線を、前記第１の画線、前記第２の画線及び前記第３の画線が存在しない所定の領域に配置する濃度不均衡緩和画線配置ステップを有することを特徴とする請求項３０又は３１記載の網点データの作製用ソフトウェアを格納した記録媒体。
【請求項３３】
前記可視画像配置ステップにおける前記第３の画線が前記ユニットの前記第１の画線又は前記第２の画線が形成される内部及び／又は前記ユニット同士の境界線を中心又は略中心として配置され、画線の大小、画線の濃淡又は画線の粗密から選択される一つの方法によって連続階調から成る可視画像が形成されていることを特徴とする請求項３０乃至３２いずれか１項記載の網点データの作製用ソフトウェアを格納した記録媒体。
【請求項３４】
前記網点データの作製用ソフトウェアを格納した記録媒体が、前記演算ステップによって得られた演算結果を出力することによって、網点印刷物又は印刷版面を得る画像出力ソフトウェアをさらに備えることを特徴とする請求項２７乃至３３いずれか１項記載の網点データの作製用ソフトウェアを格納した記録媒体。
【請求項３５】
基材上の所定の領域に、ユニットが規則的に複数配置され、前記ユニット内は前記ユニットの中心を境に対向するように第１の方向に沿って第１の画線又は第２の画線が形成され、前記中心を境に対向するように前記第１の方向に直行する第２の方向に沿って、第５の画線又は第６の画線が形成され、前記複数配置された各々のユニットにおいて、前記第１の画線、前記第２の画線、前記第５の画線及び前記第６の画線は、面積が同一であり、前記第１の画線と前記第２の画線において、一方を同一色で着色し（オン）、他方は着色せず（オフ）、前記オン及びオフ状態の組み合わせにより第１の不可視画像が形成され、前記第１の不可視画像を形成するために配置された前記第１の画線及び前記第２の画線のうち、前記第１の方向に隣接して本来配置される位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率を有する第４の画線が、前記第１の画線と前記第２の画線の境界線を中心又は略中心として配置され、前記第５の画線と前記第６の画線において、一方を同一色で着色し（オン）、他方は着色せず（オフ）、前記オン及びオフ状態の組み合わせにより第２の不可視画像が形成され、前記第２の不可視画像を形成するために配置された前記第５の画線及び前記第６の画線のうち、前記第２の方向に隣接して本来配置される位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率を有する第７の画線が、前記ユニット同士の境界線を中心又は略中心として配置されて成る網点印刷物における網点データの作製装置において、
前記網点印刷物に対して、レンチキュラーレンズ又は万線フィルタを重ねた場合に前記第１の不可視画像及び前記第２の不可視画像が潜像画像として視認される基となる第１の画像データ及び第２の画像データを入力する画像入力手段と、
前記網点データにおける解像度の設定、着色の設定及び前記第１の画線、前記第２の画線、前記第４の画線、前記第５の画線、前記第６の画線及び前記第７の画線の網点形状の設定を設定項目ごとに行う項目設定手段と、
前記画像入力手段によって入力された前記第１の画像データを前記項目設定手段によって設定された内容で前記第１の画線、前記第２の画線から成る第１の不可視画像を有する画像データを形成し、前記第２の画像データを前記項目設定手段によって設定された内容で前記第５の画線、前記第６の画線から成る第２の不可視画像を有する画像データを形成し、さらに、前記第１の不可視画像を有する画像データ、前記第２の不可視画像を有する画像データ及び前記濃度の不均衡を緩和するための前記第４の画線及び前記第７の画線を合成する演算手段を有することを特徴とする網点データの作製装置。
【請求項３６】
前記項目設定手段は、前記網点データの解像度を設定する、任意の解像度を入力又はあらかじめ記憶してある複数の解像度から選択可能な生成データ解像度設定部と、
前記網点印刷物の色を設定する着色設定部と、
前記ユニットの高さ及び幅と、前記ユニット内に形成する前記第１の画線、前記第２の画線、前記第４の画線、前記第５の画線、前記第６の画線及び前記第７の画線の網点形状を設定する網点形状設定部を有することを特徴とする請求項３５記載の網点データの作製装置。
【請求項３７】
前記演算手段は、前記第１の画像データ及び前記第２の画像データの輪郭を抽出し、前記第１の画像データの輪郭画像データ及び前記第２の画像データの輪郭画像データを生成する輪郭抽出部と、
前記第１の画像データの輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置し、前記第２の画像データの輪郭画像データを用いて、前記ユニットを輪郭内部の輪郭内部ユニットと輪郭外部の輪郭外部ユニットに区分けして、前記輪郭内部ユニット内に前記第５の画線又は前記第６の画線のいずれか一方をオンにして配置し、前記輪郭外部ユニット内に前記第５の画線及び又は前記第６の画線の他方をオフにして配置する不可視画像配置部と、
前記輪郭内部ユニット内及び前記輪郭外部ユニット内に配置された前記第１の画線、前記第２の画線、前記第５の画線及び前記第６の画線において、隣接して配置された前記第１の画線及び前記第２の画線がともにオン状態の場合に、前記第１の画線又は前記第２の画線のいずれか一方の画線をオフにすることで削除し、隣接して配置された前記第５の画線及び前記第６の画線がともにオン状態の場合に、前記第５の画線又は前記第６の画線のいずれか一方の画線をオフにすることで削除する画線削除部と、
前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の第４の画線を、前記第１の画線と前記第２の画線の境界線を中心又は略中心として配置し、前記第５の画線又は前記第６の画線を削除した空間の位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率、かつ、同色又は略同色の第７の画線を、前記第５の画線と前記第６の画線の境界線を中心又は略中心として配置する濃度不均衡緩和画線配置部とを有することを特徴とする請求項３５又は３６記載の網点データの作製装置。
【請求項３８】
基材上の所定の領域に、ユニットが規則的に複数配置され、前記ユニット内は前記ユニットの中心を境に対向するように第１の方向に沿って第１の画線又は第２の画線が形成され、前記中心を境に対向するように前記第１の方向に直行する第２の方向に沿って、第５の画線又は第６の画線が形成され、前記複数配置された各々のユニットにおいて、前記第１の画線、前記第２の画線、前記第５の画線及び前記第６の画線は、面積が同一であり、前記第１の画線と前記第２の画線において、一方を同一色で着色し（オン）、他方は着色せず（オフ）、前記オン及びオフ状態の組み合わせにより第１の不可視画像が形成され、前記第１の不可視画像を形成するために配置された前記第１の画線及び前記第２の画線のうち、前記第１の方向に隣接して本来配置される位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率を有する第４の画線が、前記第１の画線と前記第２の画線の境界線を中心又は略中心として配置され、前記第５の画線と前記第６の画線において、一方を同一色で着色し（オン）、他方は着色せず（オフ）、前記オン及びオフ状態の組み合わせにより第２の不可視画像が形成され、前記第２の不可視画像を形成するために配置された前記第５の画線及び前記第６の画線のうち、前記第２の方向に隣接して本来配置される位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率を有する第７の画線が、前記ユニット同士の境界線を中心又は略中心として配置されて成る網点印刷物における網点データの作製装置において、
前記網点印刷物に対して、レンチキュラーレンズ又は万線フィルタを重ねた場合に前記第１の不可視画像及び前記第２の不可視画像が潜像画像として視認される基となる第１の画像データ及び第２の画像データと、可視画像として視認される基となる第３の画像データとを入力する画像入力手段と、
前記網点データにおける解像度の設定、着色の設定及び前記第１の画線、前記第２の画線、前記第３の画線、前記第４の画線、前記第５の画線、前記第６の画線及び第７の画線の網点形状の設定を設定項目ごとに行う項目設定手段と、
前記画像入力手段によって入力された前記第１の画像データを前記項目設定手段によって設定された内容で前記第１の画線、前記第２の画線から成る第１の不可視画像を有する画像データを形成し、前記第２の画像データを前記項目設定手段によって設定された内容で前記第５の画線、前記第６の画線から成る第２の不可視画像を有する画像データを形成し、前記第３の画線から成る可視画像を有する画像データを形成し、さらに、前記第１の不可視画像を有する画像データ、前記第２の不可視画像を有する画像データ、前記可視画像を有する画像データ及び前記濃度の不均衡を緩和するための前記第４の画線及び前記第７の画線を合成する演算手段を有することを特徴とする網点データの作製装置。
【請求項３９】
前記項目設定手段は、前記網点データの解像度を設定する、任意の解像度を入力又はあらかじめ記憶してある複数の解像度から選択可能な生成データ解像度設定部と、
前記網点印刷物の色を設定する着色設定部と、
前記ユニットの高さ及び幅と、前記ユニット内に形成する前記第１の画線、前記第２の画線、前記第３の画線、前記第４の画線、前記第５の画線、前記第６の画線及び前記第７の画線の網点形状を設定する網点形状設定部を有することを特徴とする請求項３８記載の網点データの作製装置。
【請求項４０】
前記演算手段は、前記第１の画像データ及び前記第２の画像データの輪郭を抽出し、前記第１の画像データの輪郭画像データ及び前記第２の画像データの輪郭画像データを生成する輪郭抽出部と、
前記第１の画像データの輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置し、前記第２の画像データの輪郭画像データを用いて、前記ユニットを輪郭内部の輪郭内部ユニットと輪郭外部の輪郭外部ユニットに区分けして、前記輪郭内部ユニット内に前記第５の画線又は前記第６の画線のいずれか一方をオンにして配置し、前記輪郭外部ユニット内に前記第５の画線又は前記第６の画線の他方をオフにして配置する不可視画像配置部と、
前記輪郭内部ユニット内及び前記輪郭外部ユニット内に配置された前記第１の画線、前記第２の画線、前記第５の画線及び前記第６の画線において、隣接して配置された前記第１の画線及び前記第２の画線がともにオン状態の場合に、前記第１の画線又は前記第２の画線のいずれか一方の画線をオフにすることで削除し、隣接して配置された前記第５の画線及び前記第６の画線がともにオン状態の場合に、前記第５の画線又は前記第６の画線のいずれか一方の画線をオフにすることで削除する画線削除部と、
前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の第４の画線を、前記第１の画線と前記第２の画線の境界線を中心又は略中心として配置し、前記第５の画線又は前記第６の画線を削除した空間の位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率、かつ、同色又は略同色の第７の画線を、前記第５の画線と前記第６の画線の境界線を中心又は略中心として配置する濃度不均衡緩和画線配置部と、
前記第１の画線、前記第２の画線、前記第４の画線、前記第５の画線、前記第６の画線及び前記第７の画線が存在しない領域に可視画像を形成するための前記第３の画線を配置する可視画像配置部を有することを特徴とする請求項３８又は３９記載の網点データの作製装置。
【請求項４１】
前記可視画像配置部における前記第３の画線が前記ユニットの中心、略中心及び四隅の少なくとも一つに配置され、画線の大小、画線の濃淡又は画線の粗密から選択される一つの方法によって連続階調から成る可視画像が形成されていることを特徴とする請求項３８乃至４０いずれか１項記載の網点データの作製装置。
【請求項４２】
前記網点データの作製装置が、前記演算手段によって得られた演算結果を出力することによって、網点印刷物又は印刷版面を得る画像出力手段をさらに備えることを特徴とする請求項３５乃至４１いずれか１項記載の網点データの作製装置。
【請求項４３】
レンチキュラーレンズ又は万線フィルタを重ねた場合に潜像画像として視認される第１の不可視画像及び第２の不可視画像が埋め込まれた網点印刷物の網点データを作製する方法を、不可視画像となる第１の画像データ及び第２の画像データを入力する画像入力手段と、設定項目ごとに設定を行う項目設定手段と、前記第１の画像データ、前記第２の画像データ並びに設定された設定項目をもとに網点データを作製する演算手段とを備えたコンピュータに実行させる網点データの作製用ソフトウェアを格納した、コンピュータにより読み取り可能な記録媒体において、
レンチキュラーレンズ又は万線フィルタを重ねた場合に前記第１の不可視画像及び前記第２の不可視画像が潜像画像として視認される基となる第１の画像データ及び第２の画像データを、画像入力手段により入力する画像入力ステップと、
前記第１の画像データから第１の不可視画像を有する画像データを生成し、前記第２の画像データから第２の不可視画像を有する画像データを生成するための、前記網点データにおける解像度の設定、着色の設定及び第１の画線、第２の画線、第５の画線及び第６の画線の網点形状の設定を、項目設定手段により設定項目ごとに行う項目設定ステップと、
入力された前記第１の画像データを前記項目設定手段によって設定された内容で前記第１の画線、前記第２の画線から成る第１の不可視画像を有する画像データを形成し、前記第２の画像データを前記項目設定手段によって設定された内容で前記第５の画線、前記第６の画線から成る第２の不可視画像を有する画像データを形成し、さらに、前記第１の不可視画像を有する画像データ、前記第２の不可視画像を有する画像データ及び前記濃度の不均衡を緩和するための前記第４の画線及び前記第７の画線を演算手段により合成する演算ステップを備える網点データの生成方法をコンピュータに実行させることを特徴とする網点データの作製用ソフトウェアを格納した記録媒体。
【請求項４４】
前記項目設定ステップは、前記項目設定手段に含まれる生成データ解像度設定部によって、前記網点データの解像度を設定する、任意の解像度を入力又はあらかじめ記憶してある複数の解像度から選択可能な生成データ解像度設定ステップと、
前記項目設定手段に含まれる着色設定部によって、前記網点印刷物における着色を設定する着色設定ステップと、
前記項目設定手段に含まれる網点形状設定部によって、前記ユニットの高さ及び幅と、前記ユニット内に形成する前記第１の画線、前記第２の画線、前記第４の画線、前記第５の画線、前記第６の画線及び前記第７の画線の網点形状を設定する網点形状設定ステップを有することを特徴とする請求項４３記載の網点データの作製用ソフトウェアを格納した記録媒体。
【請求項４５】
前記演算ステップは、前記演算手段に含まれる輪郭抽出部によって、前記第１の画像データ及び前記第２の画像データの輪郭を抽出し、前記第１の画像データの輪郭画像データ及び前記第２の画像データの輪郭画像データを生成する輪郭抽出ステップと、
前記演算手段に含まれる不可視画像配置部によって、前記第１の画像データの輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置し、前記第２の画像データの輪郭画像データを用いて、前記ユニットを輪郭内部の輪郭内部ユニットと輪郭外部の輪郭外部ユニットに区分けして、前記輪郭内部ユニット内に前記第５の画線又は前記第６の画線のいずれか一方をオンにして配置し、前記輪郭外部ユニット内に前記第５の画線又は前記第６の画線の他方をオフにして配置する不可視画像配置ステップと、
前記演算手段に含まれる画線削除部によって、前記輪郭内部ユニット内及び前記輪郭外部ユニット内に配置された前記第１の画線、前記第２の画線、前記第５の画線及び前記第６の画線において、隣接して配置された前記第１の画線及び前記第２の画線がともにオン状態の場合に、前記第１の画線又は前記第２の画線のいずれか一方の画線をオフにすることで削除し、隣接して配置された前記第５の画線及び前記第６の画線がともにオン状態の場合に、前記第５の画線又は前記第６の画線のいずれか一方の画線をオフにすることで削除する画線削除ステップと、
前記演算手段に含まれる濃度不均衡緩和画線配置部によって、前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の第４の画線を、前記第１の画線と前記第２の画線の境界線を中心又は略中心として配置し、前記第５の画線又は前記第６の画線を削除した空間の位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率、かつ、同色又は略同色の第７の画線を、前記第５の画線と前記第６の画線の境界線を中心又は略中心として配置する濃度不均衡緩和画線配置ステップを有することを特徴とする請求項４３又は４４記載の網点データの作製用ソフトウェアを格納した記録媒体。
【請求項４６】
可視画像とレンチキュラーレンズ又は万線フィルタを重ねた場合に潜像画像として視認される第１の不可視画像及び第２の不可視画像が埋め込まれた網点印刷物の網点データを作製する方法を、不可視画像となる第１の画像データ及び第２の画像データと、可視画像となる第３の画像データを入力する画像入力手段と、設定項目ごとに設定を行う項目設定手段と、前記第１の画像データ、前記第２の画像データ、前記第３の画像データ並びに設定された設定項目をもとに網点データを作製する演算手段とを備えたコンピュータに実行させる網点データの作製用ソフトウェアを格納した、コンピュータにより読み取り可能な記録媒体において、
レンチキュラーレンズ又は万線フィルタを重ねた場合に前記第１の不可視画像及び前記第２の不可視画像が潜像画像として視認される基となる第１の画像データ及び第２の画像データと、可視画像として視認される基となる第３の画像データとを、前記画像入力手段により入力する画像入力ステップと、
前記第１の画像データから第１の不可視画像を有する画像データを生成し、前記第２の画像データから第２の不可視画像を有する画像データを生成し、前記第３の画像データから可視画像を有する画像データを生成するための、前記網点データにおける解像度の設定、着色の設定及び前記第１の画線、前記第２の画線、前記第３の画線、前記第４の画線、前記第５の画線、前記第６の画線及び前記第７の画線の網点形状の設定を、前記項目設定手段により設定項目ごとに行う項目設定ステップと、
入力された前記第１の画像データを前記項目設定手段によって設定された内容で前記第１の画線、前記第２の画線から成る第１の不可視画像を有する画像データを形成し、前記第２の画像データを前記項目設定手段によって設定された内容で前記第５の画線、前記第６の画線から成る第２の不可視画像を有する画像データを形成し、前記第３の画線から成る可視画像を有する画像データを形成し、さらに、前記第１の不可視画像を有する画像データ、前記第２の不可視画像を有する画像データ、前記可視画像を有する画像データ及び前記濃度の不均衡を緩和するための前記第４の画線及び前記第７の画線を前記演算手段により合成する演算ステップを備える網点データの生成方法をコンピュータに実行させることを特徴とする網点データの作製用ソフトウェアを格納した記録媒体。
【請求項４７】
前記項目設定ステップは、前記項目設定手段に含まれる生成データ解像度設定部によって、前記網点データの解像度を設定する、任意の解像度を入力又はあらかじめ記憶してある複数の解像度から選択可能な生成データ解像度設定ステップと、
前記項目設定手段に含まれる着色設定部によって、前記網点印刷物の色を設定する着色設定ステップと、
前記項目設定手段に含まれる網点形状設定部によって、前記ユニットの高さ及び幅と、前記ユニット内に形成する前記第１の画線、前記第２の画線、前記第３の画線、前記第４の画線、前記第５の画線、前記第６の画線及び前記第７の画線の網点形状を設定する網点形状設定ステップを有することを特徴とする請求項４６記載の網点データの作製用ソフトウェアを格納した記録媒体。
【請求項４８】
前記演算ステップは、前記演算手段に含まれる輪郭抽出部によって、前記第１の画像データ及び前記第２の画像データの輪郭を抽出し、前記第１の画像データの輪郭画像データ及び前記第２の画像データの輪郭画像データを生成する輪郭抽出ステップと、
前記演算手段に含まれる不可視画像配置部によって、前記第１の画像データの輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置し、前記第２の画像データの輪郭画像データを用いて、前記ユニットを輪郭内部の輪郭内部ユニットと輪郭外部の輪郭外部ユニットに区分けして、前記輪郭内部ユニット内に前記第５の画線又は前記第６の画線のいずれか一方をオンにして配置し、前記輪郭外部ユニット内に前記第５の画線又は前記第６の画線の他方をオフにして配置する不可視画像配置ステップと、
前記演算手段に含まれる画線削除部によって、前記輪郭内部ユニット内及び前記輪郭外部ユニット内に配置された前記第１の画線、前記第２の画線、前記第５の画線及び前記第６の画線において、隣接して配置された前記第１の画線及び前記第２の画線がともにオン状態の場合に、前記第１の画線又は前記第２の画線のいずれか一方の画線をオフにすることで削除し、隣接して配置された前記第５の画線及び前記第６の画線がともにオン状態の場合に、前記第５の画線又は前記第６の画線のいずれか一方の画線をオフにすることで削除する画線削除ステップと、
前記演算手段に含まれる濃度不均衡緩和画線配置部によって、前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の第４の画線を、前記第１の画線と前記第２の画線の境界線を中心又は略中心として配置し、前記第５の画線又は前記第６の画線を削除した空間の位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率、かつ、同色又は略同色の第７の画線を、前記第５の画線と前記第６の画線の境界線を中心又は略中心として配置する濃度不均衡緩和画線配置ステップと、
前記演算手段に含まれる可視画像配置部によって、前記第１の画線、前記第２の画線、前記第４の画線、前記第５の画線、前記第６の画線及び前記第７の画線が存在しない領域に可視画像を形成するための前記第３の画線を配置する可視画像配置ステップを有することを特徴とする請求項４６又は４７記載の網点データの作製用ソフトウェアを格納した記録媒体。
【請求項４９】
前記可視画像配置ステップにおける前記第３の画線が前記ユニットの中心、略中心及び四隅の少なくとも一つに配置され、画線の大小、画線の濃淡又は画線の粗密から選択される一つの方法によって連続階調から成る可視画像が形成されていることを特徴とする請求項４６乃至４８いずれか１項記載の網点データの作製用ソフトウェアを格納した記録媒体。
【請求項５０】
前記網点データの作製用ソフトウェアを格納した記録媒体が、前記演算ステップによって得られた演算結果を出力することによって、網点印刷物又は印刷版面を得る画像出力ソフトウェアをさらに備えることを特徴とする請求項４３乃至４９いずれか１項記載の網点データの作製用ソフトウェアを格納した記録媒体。
【発明の詳細な説明】
【技術分野】
【０００１】
本発明は、銀行券、旅券、株券、債券等の有価証券、各種証明書及び重要書類等の偽造防止又は複製防止が必要とされる特に顔画像等の連続階調を有する偽造防止用印刷物及びその作製方法並びに網点データの作製用ソフトウェアを格納した記録媒体に関するものである。
【背景技術】
【０００２】
一般的に証明書類の貴重印刷物では、偽造防止効果を与えるために様々な技術が適用されているが、近年、カラー複写機の高画質化及びカラー製版技術のコンピュータ化に伴い、証明書類の偽造技術が多様化する傾向にある。これに伴う証明書類の偽造防止策も、高度化することによって対応してきた。しかし、その一方で、偽造防止策に費やす製造コストも上がり、偽造防止効果を確認する環境を得るために特殊な機械器具から成る専用設備を導入する等、真偽判定にて高コストとなる場合があった。【０００３】
低コストで真偽判定を可能にする有用な方法に、印刷物上に判別具を重ねて行う技術がある。つまり、不可視画像が施されている印刷物に判別具を重ねることによって、不可視画像を可視画像として発現させるもので、この判別具の主な形態は、平行線スクリーンを印刷した透明シート（以下「万線フィルタ」という。）であったり、レンチキュラーレンズであったりする。この判別具を用いて不可視画像を発現させる技術は、主に、二種類の方法があり、点位相変調（Dot phase modulation）と線位相変調（Line phase modulation）とが存在する。【０００４】
このような万線フィルタから成る判別具を重ね合わせることにより潜像画像が発現する印刷物とその真偽判別方法としては、万線（又は網点）画線で印刷した背景画像部と、背景画像部と異なる位相の万線（又は網点）画線で印刷した潜像画像部とを有する印刷物が存在する。当該印刷物の背景画像部と潜像画像部は、区分けして視認することが一見困難であるが、万線フィルタを印刷物に所定の位置で重ね合わせた場合には、背景画像部と潜像画像部を区分けして視認できる方法が知られている。【０００５】
点位相変調（Dot phase modulation）の一例としては、第１の方向と第２の方向に位相変調されたパターンが形成された印刷物と、当該印刷物の第１の方向と万線状フィルタの万線状パターンの方向を一致するように重ね合わせることにより形成される第１の多階調画像と、万線状フィルタの重ね合わせる角度を印刷物の第２の方向に一致するように変えると第２の多階調画像が形成された印刷物及び画像形成法がある（例えば、特許文献１参照）。【０００６】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも二種類以上のスクリーン線数で、かつ、少なくとも二種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、コピーすることによりスクリーン線数の大きさ又は網点角度で再現されるドットが潰れ、ドットの濃度が変化することにより不可視画像と異なる画像が発現する印刷物がある（例えば、特許文献２参照）。【０００７】
また、海外の点位相変調（Dot phase modulation）の一例としては、アストロン・デザイン社（オランダ）のイソグラム（Isogram）がある（例えば、非特許文献１３４０頁参照）。これは、一見して均一な濃度を有する平坦な模様の中に、拡大すると微細な網点の位相によって不可視画像が施され、印刷物上に専用のシートを重ねると、ネガポジ状のどちらかに可視画像化されたものである。しかし、これは、均一な濃度を有する平坦な模様故に、鮮明に画像を発現させることができない。【０００８】
また、本願出願人は、点位相変調（Dot phase modulation）を用いた印刷物に関する特許出願を行っている。これは、基材上に複数の等色の画素が規則的に配列されて二つの潜像模様が形成された潜像印刷物であって、複数の画素において、第１の方向に位相をずらして配列された第１の領域による第１の潜像模様（不可視画像）と、機能性を有するインキにより印刷された第２の領域による第２の潜像模様（不可視画像）を有する（例えば、特許文献３参照）。【０００９】
線位相変調（Line phase modulation）の一例としては、基材上に、線部と非線部を有し、同一ピッチ及び幅から成る万線パターンに対し、万線位相を２分の１ピッチをずらして形成された潜像部を備えている複数種の潜像万線パターンが、それぞれ異なる角度で重ね合わされて印刷された潜像を有する印刷物であって、複数種の潜像万線パターンがそれぞれ色違いであることを特徴とする印刷物と、印刷物の万線パターンと同一ピッチのフィルムを前記複数種の不可視画像に重ね合わせることにより潜像部を可視画像化されたものがある（例えば、特許文献４参照）。【００１０】
また、海外の線位相変調（Line phase modulation）を用いた印刷物には、ユラ社（ハンガリー）のＨＩＴ（Hidden Image Technology）がある（非特許文献１３４１頁参照）。一見して均一な濃度を有する平坦な模様の中に、拡大すると微細な万線の位相によって不可視画像が施され、印刷物上に専用のシートを重ねると、ネガポジ状のどちらかに可視画像化されている。なお、印刷物では通常視でも不可視画像が確認できてしまうおそれがあるため、カムフラージュ模様として万線の一部の画線幅を変化させて可視画像を設けている。また、白抜き画線によって可視画像を設けても良い。ただし、このカムフラージュ模様は、専用のシートを重ねて不可視画像を可視画像化した際、カムフラージュ模様も可視画像として同時に発現しているので、不可視画像の発現時の視認性を阻害するという問題がある。【００１１】
一般的に、点位相変調（Dot phase modulation）又は線位相変調（Line phase modulation）により形成された模様は、平坦な形状となっている。【００１２】
上述した印刷物では、潜像模様が平坦な濃度を有する印刷画線から成るため、鮮明に発現可能な不可視画像を形成することができなかった。また、何らかの可視画像を設けたとしても、特許文献２に記載された印刷物のように、単純な白抜き画線から成るため、不可視画像を発現させた時の視認性を阻害するという問題があり、さらに、通常の観察時においては何ら抑揚のない模様であり、これ以上のデザイン表現ができないことから製品での用途が限られている。【００１３】
そこで本出願人は、白抜き画線等を設けなくても、印刷物では通常視でも不可視画像が確認できてしまうおそれがなく、単一の判別具により鮮明な発現が可能な不可視画像を形成するとともに、不可視画像を所定の方向で配列することにより、不可視画像を発現させた時に可視画像によって視認性が阻害されない偽造防止用印刷物を出願している。【００１４】
また、何らかの判別要素を用い、写真画像から埋め込まれた不可視画像を可視画像にする方法及び印刷物をすでに出願している。この技術は、連続階調画像を表現するための網点を印刷するｍ×ｍピクセル（ｍ≧２、ｍは整数。）の第１のハーフトーン領域とｎ×ｎピクセル（１≦ｎ＜ｍ、ｎは整数。）の第２のハーフトーン領域を設け、第１のハーフトーン領域には、少なくとも１色以上の赤外線吸収性色素を含まないインキで構成された被埋込み画像を網点で配置し、第２のハーフトーン領域には、文字や顔画像等から構成された不可視画像を赤外線吸収性色素を含むインキを用いて網点で配置することを特徴とする網点印刷物である（例えば、特許文献５参照）。【００１５】
しかしながら、赤外線吸収性の特徴を利用する方法は、偽造防止策としての有効性は高いものの、判別具に赤外線を可視化する光学機器が必要であり、真偽判定のために高価な装置をあらかじめ用意しておかなければならない。【００１６】
さらに、写真画像をはじめ、各種デザインされた模様の意匠性を変えずに読み取り用情報を付与する方法として、一般に電子すかしと呼ばれる一連の技術がある。電子すかしは、コンシールドイメージ、デジタルすかしとも呼ばれ、主な用途として、高機能化したコピー技術やＤＴＰ技術におけるドキュメントファイル若しくはその印刷物に著作権情報を埋め込む技術である。印刷物における公知の代表的な技術としては、周波数利用型と呼ばれる方法である。【００１７】
電子すかしは複製物においてもその周波数特性の劣化が少ないと言われ、最近では著作権保護の目的でインターネット上に配信されるデジタルイメージに施されることが多い。また、印刷物においてもその効果を奏することから、ポスターなどに利用されることも多くなって来た。【００１８】
電子すかしが最も効果を発揮できるのは連続階調（写真階調）模様である。連続階調（写真階調）模様は多値画像データであるから、十分なじょうちょう度が存在するので周波数利用型に限らず、画素置換型、画素空間利用型及び量子化誤差拡散型等の多くの方法が提案され、文献又は特許出願も数多く、今日、注目を集めている技術の一つである。【００１９】
しかしながら、電子すかしとして埋め込まれた情報を見るには、電子すかしが埋め込まれた印刷物を光学読み取りできるスキャナ等の光学機器や、読み取られた画像を解析するためのコンピュータとアプリケーションが必要であり、それらの周辺機器を配備しない限り、印刷物に埋め込まれた情報を見ることができない。
【先行技術文献】
【非特許文献】
【００２０】
【非特許文献１】Optical Security and Counterfeit Deterrence Techniques IV Vol.4677 ( by SPIE-The International Society for Optical Engineering )
【特許文献】
【００２１】
【特許文献１】特許第４１３２１２２号公報
【特許文献２】特許第４０１３４５０号公報
【特許文献３】特願２００７−４３１７１号公報
【特許文献４】特開２００４−１７４９９７号公報
【特許文献５】特許第３５４４５３６号公報
【発明の概要】
【発明が解決しようとする課題】
【００２２】
上述した特許文献１、特許文献２及び特許文献４の印刷物では、潜像模様が平坦な濃度を有する印刷画線から成るため、鮮明に発現可能な不可視画像を形成することができなかった。さらには、万線状フィルタを重ねることなく印刷物のみを観察した場合に、連続階調を有する有意味な可視画像が形成されたものではなかった。仮に形成しようとした場合においても、従来のような単純な画線配置では連続階調を有する有意味な可視画像を形成することは困難であった。「連続階調」とは、ハイライト、中間調及びシャドーの濃度を有するものをいう。【００２３】
特許文献１では、万線状フィルタを重ね合わせることにより形成される第１の多階調画像と、万線状フィルタの重ね合わせる角度を印刷物の第２の方向に一致するように変えると、第２の多階調画像が形成された印刷物であるが、万線状フィルタを重ねることなく印刷物のみを観察した場合に、単純な点位相変調であるため、印刷物に何らかの多階調画像が埋め込まれているように視認され見た目に違和感があった。さらに、多階調画像を単純な点位相変調で形成するため、印刷物自体は平坦な濃度の印刷模様となることから、連続階調を有する有意味な可視画像を形成することは困難であった。【００２４】
また、特許文献２のように何らかの可視画像を設けたとしても、結局は可視画像の平坦な濃度の領域に不可視画像を形成する必要があり、連続階調を有する有意味な可視画像を形成する領域に不可視画像を形成することは困難であった。さらに、特許文献２は、単純な白抜き画線又は補色の関係にある二色のドットパターンから成るため、不可視画像を発現させた時の視認性を阻害するという問題があった。さらに、特許文献２に記載された印刷物は、複数の判別具を必要とするものもあった。【００２５】
特許文献４は、線位相変調により形成された潜像を有する印刷物であるために、万線状フィルタを重ねることなく印刷物のみを観察した場合に、あらかじめ潜像部が視認されてしまう問題を解決するために、潜像万線パターンを破線で形成する構成や、白抜きによるカムフラージュ画線を形成することで問題を解決する必要性があった。さらに、潜像部を単純な線位相変調で形成するため、印刷物自体は平坦な濃度の印刷模様となることから、連続階調を有する有意味な可視画像を形成することは困難であった。【００２６】
また、写真画像に何らかの不可視画像又は情報を埋め込んだとしても、特許文献５に記載された印刷物のように、それを可視化する光学機器や、画像を解析するためのコンピュータとアプリケーションが必要であり、真偽判別のための周辺機器を配備する必要があった。【００２７】
本発明は、上記事情にかんがみ、万線状フィルタを重ねていない状態の印刷物に連続階調を有する有意味な可視画像が形成されたとしても、連続階調を有する有意味な可視画像と同一領域内に不可視画像を確実に埋め込むことが可能であり、単一の判別具により鮮明な発現が可能な不可視画像を形成するとともに、不可視画像を発現させた時に可視画像によって視認性が阻害されず、かつ、コンピュータ及びアプリケーション等の周辺機器を配備せずとも容易に真偽判別できる方法が望まれている。また、上記記載の不可視画像が埋め込まれた連続階調を有する有意味な可視画像を有する印刷物を作製しようとした場合に、このようなオペレータが試行錯誤を重ねながら画線配置を行う必要がなく、容易に作製可能なシステムも同時に求められている。【００２８】
本発明は、このような従来の問題を解決することを目的としたもので、不可視画像が埋め込まれた連続階調を有する有意味な可視画像を有する印刷物であって、連続階調を有する有意味な可視画像を設けた領域と同一領域内に不可視画像を埋め込むことが可能であり、所定の画線配列に用いることによって判別具を重ねることなく印刷物のみを観察した場合にカムフラージュ模様を設けなくとも不可視画像が視認されにくい偽造防止用印刷物、また、オペレータが試行錯誤を重ねながら画線配置を行う必要がなく容易に作製可能な偽造防止用印刷物の作製方法を提案することを目的とする。さらに、偽造防止用印刷物の網点データを項目設定手段、画像入力手段、演算手段及び画像出力手段を有し、項目設定手段によって必要な設定を行うことで、自動で網点データの作製が可能なソフトウェアを格納した記録媒体を提案することを目的とする。
【課題を解決するための手段】
【００２９】
本発明の連続階調を有する偽造防止用印刷物は、基材に、第１の方向に沿って、中心を境に対向するように配置された第１の画線及び第２の画線と、第１の画線及び第２の画線が存在しない領域に配置された第３の画線とを有するユニットが、一定のピッチで第１の方向及び第１の方向と直交する第２の方向にマトリクス状に配置されており、各々のユニットにおける第１の画線と第２の画線とはオン、オフの関係にあり、かつ、面積が同一であり、第１の画線により第１の不可視画像のポジ画像又はネガ画像のいずれか一方が形成され、第２の画線により第１の不可視画像のネガ画像又はポジ画像の他方が形成され、第３の画線により連続階調から成る可視画像が形成されることを特徴とする連続階調を有する偽造防止用印刷物を特徴とする。【００３０】
本発明の連続階調を有する偽造防止用印刷物における第３の画線は、画線の大小、画線の濃淡又は画線の粗密から選択される一つの方法によって連続階調から成る可視画像が形成されていることを特徴とする。【００３１】
本発明の連続階調を有する偽造防止用印刷物は、ユニットにおける長辺の長さが１ｍｍ以下であることを特徴とする。【００３２】
本発明の連続階調を有する偽造防止用印刷物は、第１の不可視画像を形成するためにオン、オフの関係により配置された第１の画線及び第２の画線のうち、隣接して配置されたユニットにおける第１の画線及び第２の画線のオフと成る画線が近接して配置されているユニット内の第１の画線、第２の画線及び第３の画線が形成されていない位置に、第１の画線又は第２の画線における半分又は略半分の画線面積率、かつ、同色である第４の画線が配置されて成ることを特徴とする。【００３３】
本発明の連続階調を有する偽造防止用印刷物における第４の画線は、ユニット内の第１の画線、第２の画線及び第３の画線が形成されていない領域に第３の画線を囲んだ形状、若しくは、第３の画線に囲まれた形状によって形成することを特徴とする。【００３４】
本発明の連続階調を有する偽造防止用印刷物における第４の画線は、ユニット内の第１の画線、第２の画線及び第３の画線が形成されていない領域に形成され、さらに第１の画線及び／又は第２の画線に隣接する位置に配置されて成ることを特徴とする。【００３５】
本発明の連続階調を有する偽造防止用印刷物における第１の画線、第２の画線、第３の画線及び第４の画線は、光輝性材料を含むインキで印刷され、第１の画線、第２の画線、第３の画線及び第４の画線の少なくとも一部の画線上に、無色透明材料を用いてベタ刷りにより所望の模様を形成することを特徴とする。【００３６】
本発明の連続階調を有する偽造防止用印刷物は、基材に、第１の方向に沿って、中心を境に対向するように配置された第１の画線及び第２の画線と、第１の方向と直交する第２の方向に沿って、中心を境に対向するように配置された第５の画線及び第６の画線と、第1の画線、第２の画線、第５の画線及び第６の画線が存在しない領域に配置された第３の画線とを有するユニットが、一定のピッチでマトリクス状に配置されており、各々のユニットにおける第１の画線と第２の画線とはオン、オフの関係にあり、かつ、面積が同一であり、第１の画線により第１の不可視画像のポジ画像又はネガ画像のいずれか一方が形成され、第２の画線により第１の不可視画像のネガ画像又はポジ画像の他方が形成され、各々のユニットにおける第５の画線と第６の画線とはオン、オフの関係にあり、かつ、面積が同一であり、第５の画線により第２の不可視画像のポジ画像又はネガ画像のいずれか一方が形成され、第６の画線により第２の不可視画像のネガ画像又はポジ画像の他方が形成され、第３の画線により連続階調から成る可視画像が形成されることを特徴とする。【００３７】
本発明の連続階調を有する偽造防止用印刷物は、ユニットは正方形の形状を有し、一辺の長さが１ｍｍ以下であることを特徴とする。【００３８】
本発明の連続階調を有する偽造防止用印刷物は、第１の不可視画像を形成するためにオン、オフの関係により配置された第１の画線及び第２の画線のうち、隣接して配置されたユニットにおける第１の画線及び第２の画線のオフと成る画線が近接して配置されている位置に、第１の画線又は第２の画線における半分又は略半分の画線面積率、かつ、同色である第４の画線が配置され、第２の不可視画像を形成するためにオン、オフの関係により配置された第５の画線及び第６の画線のうち、隣接して配置されたユニットにおける第５の画線及び第６の画線のオフと成る画線が近接して配置されている位置に、第５の画線又は第６の画線における半分又は略半分の画線面積率、かつ、同色である第７の画線が配置されて成ることを特徴とする。【００３９】
本発明の連続階調を有する偽造防止用印刷物における第４の画線及び第７の画線は、ユニット内の第１の画線、第２の画線、第３の画線、第５の画線及び第６の画線が形成されていない領域に形成することを特徴とする。【００４０】
本発明の連続階調を有する偽造防止用印刷物における第４の画線及び第７の画線は、ユニット内の第１の画線、第２の画線、第３の画線、第５の画線及び第６の画線が形成されていない領域に第３の画線を囲んだ形状、若しくは、第３の画線に囲まれた形状によって形成することを特徴とする。【００４１】
本発明の連続階調を有する偽造防止用印刷物における第４の画線及び第７の画線は、ユニット内の第１の画線、第２の画線、第３の画線、第５の画線及び第６の画線が形成されていない領域に形成され、さらに正方形の形状を有するユニット内における４方の角に配置されて成ることを特徴とする。【００４２】
本発明の連続階調を有する偽造防止用印刷物における第１の画線、第２の画線、第３の画線、第４の画線、第５の画線、第６の画線及び第７の画線は、光輝性材料を含むインキで印刷され、第１の画線、第２の画線、第３の画線、第４の画線、第５の画線、第６の画線及び第７の画線の少なくとも一部の画線上に、無色透明材料を用いてベタ刷りにより所望の模様を形成することを特徴とする。【００４３】
本発明の連続階調を有する偽造防止用印刷物は、第１の画線、第２の画線及び第４の画線と、第５の画線、第６の画線及び第７の画線とは、色相が異なることを特徴とする。【００４４】
本発明の連続階調を有する偽造防止用印刷物は、連続階調から成る可視画像が顔画像であることを特徴とする。【００４５】
本発明の連続階調を有する偽造防止用印刷物を、画像入力手段、項目設定手段、演算手段、印刷手段を有する作製装置を用いて作製する方法は、
前記画像入力手段によって前記偽造防止印刷物に対して、レンチキュラーレンズ又は万線フィルタを重ねた場合に前記第１の不可視画像が潜像画像として視認される基となる第１の画像データと、連続階調を有する前記可視画像として視認される基となる第２の画像データとを入力する工程と、
前記項目設定手段によって前記偽造防止印刷物における解像度の設定、着色の設定及び第１の画線、第２の画線及び第３の画線の網点形状の設定を設定項目ごとに行う工程と、
前記演算手段によって、前記画像入力手段によって入力された前記第１の画像データを前記項目手段によって設定された内容で前記第１の画線、前記第２の画線から成る前記第１の不可視画像を有する画像データを形成し、前記第３の画線から成る前記連続階調を有する前記可視画像となる画像データを形成し、さらに、前記第１の不可視画像を有する画像データ及び前記連続階調を有する前記可視画像となる画像データを合成する工程と、
前記印刷手段によって、前記合成された画像データを元に基材に印刷する工程によって作製することを特徴とする。【００４６】
本発明の連続階調を有する偽造防止用印刷物を、画像入力手段、項目設定手段、演算手段、印刷手段を有する作製装置を用いて作製する方法は、
前記画像入力手段によって、前記偽造防止印刷物に対して、レンチキュラーレンズ又は万線フィルタを重ねた場合に前記第１の不可視画像及び前記第２の不可視画像が潜像画像として視認される基となる第１の画像データ及び第２の画像データと、連続階調を有する前記可視画像として視認される基となる第３の画像データとを入力する工程と、
前記項目設定手段によって、前記偽造防止印刷物における解像度の設定、着色の設定及び第１の画線、第２の画線、第３の画線、第５の画線及び第６の画線の網点形状の設定を設定項目ごとに行う工程と、
前記演算手段によって、前記画像入力手段によって入力された前記第１の画像データを前記項目設定手段によって設定された内容で前記第１の画線、前記第２の画線から成る前記第１の不可視画像を有する画像データを形成し、前記第２の画像データを前記項目設定手段によって設定された内容で前記第５の画線、前記第６の画線から成る第２の不可視画像を有する画像データを形成し、前記第３の画線から成る前記連続階調を有する前記可視画像となる画像データを形成し、さらに、前記第１の不可視画像を有する画像データ及び前記第２の不可視画像を有する画像データ、前記連続階調を有する前記可視画像となる画像データを合成する工程と、
前記印刷手段によって、前記合成された画像データを元に基材に印刷する工程によって作製することを特徴とする。【００４７】
本発明の偽造防止用印刷物の作製システムは、連続階調を有する可視画像を表現するための画像情報データを入力する可視情報入力手段と、第１の不可視画像を表現するための第１の不可視情報データを入力する不可視情報入力手段と、画像情報データを用いて第３の画線を設定し、連続階調画像を得るための可視画像構成手段と、第１の不可視情報データ用いて第１の画線及び第２の画線を設定するための不可視画像構成手段と、第１の画線、第２の画線及び第３の画線を合成して画像データを取得する画像合成手段と、合成された画像データを基に基材に印刷する印刷手段から成ることを特徴とする。【００４８】
本発明の偽造防止用印刷物の作製システムは、連続階調を有する可視画像を表現するための画像情報データを入力する可視情報入力手段と、第１の不可視画像及び第２の不可視画像を表現するための第１の不可視情報データ及び第２の不可視画像データを入力する不可視情報入力手段と、画像情報データを用いて第３の画線を設定し、連続階調画像を得るための可視画像構成手段と、第１の不可視情報データを用いて第１の画線及び第２の画線を設定し、第２の不可視画像データを用いて第５の画線及び第６の画線を設定するための不可視画像構成手段と、第１の画線、第２の画線、第３の画線、第５の画線及び第６の画線を合成し画像データを取得する画像合成手段、合成された画像データを基に基材に印刷する印刷手段から成ることを特徴とする。【００４９】
本発明の偽造防止用印刷物の作製システムの画像合成手段は、第１の画線又は第２の画線の半分又は略半分の画線面積率を有する第４の画線と、第５の画線又は第６の画線の半分又は略半分の画線面積率を有する第７の画線を表現するための画線データを付与する手段をさらに備えることを特徴とする。【００５０】
本発明の偽造防止用印刷物の作製システムは、画像情報として連続階調を有する顔画像が形成されることを特徴とする。【００５１】
本発明は、基材上の所定の領域に、ユニットが規則的に複数配置され、ユニット内はユニットの中心を境に対向するように、所定の方向に沿って第１の画線又は第２の画線が形成され、複数配置された各々のユニットにおいて、第１の画線と第２の画線は面積が同一であり、第１の画線と第２の画線において、一方を同一色で着色し（オン）、他方は着色せず（オフ）、オン及びオフ状態の組み合わせにより不可視画像が形成され、不可視画像を形成するために配置された第１の画線及び第２の画線のうち、所定の方向に隣接して本来配置される位置及び複数隣接して配置されたユニットのうち、オフとなっている部分が隣接して配置されている位置に、所定の領域における濃度の不均衡を緩和するため、第１の画線及び第２の画線における半分又は略半分の画線面積率、かつ、同色又は略同色である第４の画線が、第１の画線と第２の画線の境界線を中心又は略中心として配置されて成る偽造防止用印刷物における網点データの作製装置において、偽造防止用印刷物に対して、レンチキュラーレンズ又は万線フィルタを重ねた場合に不可視画像が潜像画像として視認される基となる第１の画像データを入力する画像入力手段と、網点データにおける解像度の設定、着色の設定及び第１の画線、第２の画線及び第４の画線の網点形状の設定を設定項目ごとに行う項目設定手段と、画像入力手段によって入力された第１の画像データを項目設定手段によって設定された内容で第１の画線、第２の画線から成る不可視画像を有する画像データを形成し、さらに、不可視画像を有する画像データ及び濃度の不均衡を緩和するための第４の画線を合成する演算手段を有することを特徴とする網点データの作製装置である。【００５２】
また、本発明の項目設定手段は、網点データの解像度を設定する、任意の解像度を入力又はあらかじめ記憶してある複数の解像度から選択可能な生成データ解像度設定部と、偽造防止用印刷物の色を設定する着色設定部と、ユニットの高さ及び幅、ユニット内に形成する第１の画線、第２の画線及び第４の画線の網点形状を設定する網点形状設定部を有することを特徴とする網点データの作製装置である。【００５３】
また、本発明の演算手段は、第１の画像データの輪郭を抽出し、第１の画像データの輪郭画像データを生成する輪郭抽出部と、輪郭画像データを用いて、ユニットを輪郭内部の輪郭内部ユニットと輪郭外部の輪郭外部ユニットに区分けして、輪郭内部ユニット内に第１の画線又は第２の画線のいずれか一方をオンにして配置し、輪郭外部ユニット内に第１の画線又は第２の画線の他方をオフにして配置する不可視画像配置部と、輪郭内部ユニット内及び輪郭外部ユニット内に配置された第１の画線及び第２の画線において、隣接して配置された第１の画線及び第２の画線がともにオン状態の場合に、第１の画線又は第２の画線のいずれか一方の画線をオフにすることで削除する画線削除部と、第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線を、第１の画線と第２の画線の境界線を中心又は略中心として配置する濃度不均衡緩和画線配置部を有することを特徴とする網点データの作製装置である。【００５４】
また、本発明は、基材上の所定の領域に、ユニットが規則的に複数配置され、ユニット内はユニットの中心を境に対向するように、所定の方向に沿って第１の画線又は第２の画線が形成され、複数配置された各々のユニットにおいて、第１の画線と第２の画線は面積が同一であり、第１の画線と第２の画線において、一方を同一色で着色し（オン）、他方は着色せず（オフ）、オン及びオフ状態の組み合わせにより不可視画像が形成され、ユニットの第１の画線又は第２の画線が形成される内部及び／又はユニット同士の境界線を中心又は略中心に第３の画線が配置されることで可視画像が形成され、不可視画像を形成するために配置された第１の画線及び第２の画線のうち、所定の方向に隣接して本来配置される位置及び複数隣接して配置されたユニットのうち、オフとなっている部分が隣接して配置されている位置に、所定の領域における濃度の不均衡を緩和するため、第１の画線及び第２の画線における半分又は略半分の画線面積率、かつ、同色又は略同色である第４の画線が、第１の画線、第２の画線及び第３の画線が存在しない所定の領域に配置されて成る偽造防止用印刷物における網点データの作製装置において、偽造防止用印刷物に対して、レンチキュラーレンズ又は万線フィルタを重ねた場合に不可視画像が潜像画像として視認される基となる第１の画像データと、可視画像として視認される基となる第２の画像データとを入力する画像入力手段と、網点データにおける解像度の設定、着色の設定及び第１の画線、第２の画線、第３の画線及び第４の画線の網点形状の設定を設定項目ごとに行う項目設定手段と、画像入力手段によって入力された第１の画像データを項目設定手段によって設定された内容で第１の画線、第２の画線から成る不可視画像を有する画像データを形成し、第３の画線から成る可視画像となる画像データを形成し、さらに、不可視画像を有する画像データ、可視画像となる画像データ及び濃度の不均衡を緩和するための第４の画線を合成する演算手段を有することを特徴とする網点データの作製装置である。【００５５】
また、本発明の項目設定手段は、網点データの解像度を設定する、任意の解像度を入力又はあらかじめ記憶してある複数の解像度から選択可能な生成データ解像度設定部と、偽造防止用印刷物の色を設定する着色設定部と、ユニットの高さ及び幅、ユニット内に形成する第１の画線、第２の画線、第３の画線及び第４の画線の網点形状を設定する網点形状設定部を有することを特徴とする網点データの作製装置である。【００５６】
また、本発明の演算手段は、第１の画像データの輪郭を抽出し、第１の画像データの輪郭画像データを生成する輪郭抽出部と、輪郭画像データを用いて、ユニットを輪郭内部の輪郭内部ユニットと輪郭外部の輪郭外部ユニットに区分けして、輪郭内部ユニット内に第１の画線又は第２の画線のいずれか一方をオンにして配置し、輪郭外部ユニット内に第１の画線又は第２の画線の他方をオフにして配置する不可視画像配置部と、ユニットの第１の画線又は第２の画線が形成される内部及び／又はユニット同士の境界線を中心又は略中心に可視画像を形成するための第３の画線を配置する可視画像配置部と、輪郭内部ユニット内及び輪郭外部ユニット内に配置された第１の画線及び第２の画線において、隣接して配置された第１の画線及び第２の画線がともにオン状態の場合に、第１の画線又は第２の画線のいずれか一方の画線をオフにすることで削除する画線削除部と、第１の画線又は第２の画線を削除した空間の位置及び複数隣接して配置されたユニットのうち、オフとなっている部分が隣接して配置されている位置に、所定の領域における濃度の不均衡を緩和するために、第１の画線及び第２の画線における半分又は略半分の画線面積率、かつ、同色又は略同色の第４の画線を、第１の画線、第２の画線及び第３の画線が存在しない所定の領域に配置する濃度不均衡緩和画線配置部を有することを特徴とする網点データの作製装置である。【００５７】
また、本発明は、可視画像配置部における第３の画線がユニットの第１の画線又は第２の画線が形成される内部及び／又はユニット同士の境界線を中心又は略中心として配置され、画線の大小、画線の濃淡又は画線の粗密から選択される一つの方法によって連続階調から成る可視画像が形成されていることを特徴とする網点データの作製装置である。【００５８】
また、本発明の網点データの作製装置が、演算手段によって得られた演算結果を出力することによって、偽造防止用印刷物又は印刷版面を得る画像出力手段をさらに備えることを特徴とする網点データの作製装置である。【００５９】
また、本発明は、レンチキュラーレンズ又は万線フィルタを重ねた場合に潜像画像として視認される不可視画像が埋め込まれた偽造防止用印刷物の網点データを作製する方法を、不可視画像となる第１の画像データを入力する画像入力手段と、設定項目ごとに設定を行う項目設定手段と、第１の画像データ及び設定された設定項目をもとに網点データを作製する演算手段とを備えたコンピュータに実行させる網点データの作製用ソフトウェアを格納した記録媒体において、レンチキュラーレンズ又は万線フィルタを重ねた場合に不可視画像が潜像画像として視認される基となる第１の画像データを、画像入力手段により入力する画像入力ステップと、第１の画像データから不可視画像を有する画像データを生成するための、網点データにおける解像度の設定、着色の設定及び第１の画線、第２の画線及び第４の画線の網点形状の設定を、項目設定手段により設定項目ごとに行う項目設定ステップと、入力された第１の画像データを項目設定手段によって設定された内容で第１の画線、第２の画線から成る不可視画像を有する画像データを生成し、さらに、不可視画像を有する画像データ及び濃度の不均衡を緩和するための第４の画線を演算手段により合成する演算ステップを備える網点データの生成方法をコンピュータに実行させることを特徴とする網点データの作製用ソフトウェアを格納した記録媒体である。【００６０】
また、本発明は、項目設定ステップは、生成データ解像度設定部によって、網点データの解像度を設定する、任意の解像度を入力又はあらかじめ記憶してある複数の解像度から選択可能な生成データ解像度設定ステップと、着色設定部によって、偽造防止用印刷物の色を設定する着色設定ステップと、網点形状設定部によって、ユニットの高さ及び幅、ユニット内に形成する第１の画線、第２の画線及び第４の画線の網点形状を設定する網点形状設定ステップを有することを特徴とする網点データの作製用ソフトウェアを格納した記録媒体である。【００６１】
また、本発明の演算ステップは、輪郭抽出部によって、第１の画像データの輪郭を抽出し、第１の画像データの輪郭画像データを生成する輪郭抽出ステップと、不可視画像配置部によって、輪郭画像データを用いて、ユニットを輪郭内部の輪郭内部ユニットと輪郭外部の輪郭外部ユニットに区分けして、輪郭内部ユニット内に第１の画線又は第２の画線のいずれか一方をオンにして配置し、輪郭外部ユニット内に第１の画線又は第２の画線の他方をオフにして配置する不可視画像配置ステップと、画線削除部によって、輪郭内部ユニット内及び輪郭外部ユニット内に配置された第１の画線及び第２の画線において、隣接して配置された第１の画線及び第２の画線がともにオン状態の場合に、第１の画線又は第２の画線のいずれか一方の画線をオフにすることで削除する画線削除ステップと、濃度不均衡緩和画線配置部によって、第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線を、第１の画線と第２の画線の境界線を中心又は略中心として配置する濃度不均衡緩和画線配置ステップを有することを特徴とする網点データの作製用ソフトウェアを格納した記録媒体である。【００６２】
また、本発明は、可視画像とレンチキュラーレンズ又は万線フィルタを重ねた場合に潜像画像として視認される不可視画像が埋め込まれた偽造防止用印刷物の網点データを作製する方法を、不可視画像となる第１の画像データと可視画像となる第２の画像データを入力する画像入力手段と、設定項目ごとに設定を行う項目設定手段と、第１の画像データ、第２の画像データ及び設定された設定項目をもとに網点データを作製する演算手段とを備えたコンピュータに実行させる網点データの作製用ソフトウェアを格納した記録媒体において、レンチキュラーレンズ又は万線フィルタを重ねた場合に不可視画像が潜像画像として視認される基となる第１の画像データと、可視画像として視認される基となる第２の画像データとを、画像入力手段により入力する画像入力ステップと、第１の画像データから不可視画像を有する画像データを生成し、第２の画像データから可視画像となる画像データを生成するための、網点データにおける解像度の設定、着色の設定及び第１の画線、第２の画線、第３の画線及び第４の画線の網点形状の設定を、項目設定手段により設定項目ごとに行う項目設定ステップと、入力された第１の画像データを項目設定手段によって設定された内容で第１の画線、第２の画線から成る不可視画像を有する画像データを形成し、第３の画線から成る可視画像となる画像データを形成し、さらに、不可視画像を有する画像データ、可視画像となる画像データ及び濃度の不均衡を緩和するための第４の画線を演算手段により合成する演算ステップを備える網点データの生成方法をコンピュータに実行させることを特徴とする網点データの作製用ソフトウェアを格納した記録媒体である。【００６３】
また、本発明の項目設定ステップは、生成データ解像度設定部によって、網点データの解像度を設定する、任意の解像度を入力又はあらかじめ記憶してある複数の解像度から選択可能な生成データ解像度設定ステップと、着色設定部によって、偽造防止用印刷物の色を設定する着色設定ステップと、網点形状設定部によって、ユニットの高さ及び幅、ユニット内に形成する第１の画線、第２の画線、第３の画線及び第４の画線の網点形状を設定する網点形状ステップを有することを特徴とする網点データの作製用ソフトウェアを格納した記録媒体である。【００６４】
また、本発明の演算ステップは、輪郭抽出部によって、第１の画像データの輪郭を抽出し、第１の画像データの輪郭画像データを生成する輪郭抽出ステップと、不可視画像配置部によって、輪郭画像データを用いて、ユニットを輪郭内部の輪郭内部ユニットと輪郭外部の輪郭外部ユニットに区分けして、輪郭内部ユニット内に第１の画線又は第２の画線のいずれか一方をオンにして配置し、輪郭外部ユニット内に第１の画線又は第２の画線の他方をオフにして配置する不可視画像配置ステップと、可視画像配置部によって、ユニットの第１の画線又は第２の画線が形成される内部及び／又はユニット同士の境界線を中心又は略中心に第３の画線が配置する可視画像配置ステップと、画線削除部によって、輪郭内部ユニット内及び輪郭外部ユニット内に配置された第１の画線及び第２の画線において、隣接して配置された第１の画線及び第２の画線がともにオン状態の場合に、第１の画線又は第２の画線のいずれか一方の画線をオフにすることで削除する画線削除ステップと、濃度不均衡緩和画線配置部によって、第１の画線又は第２の画線を削除した空間の位置及び複数隣接して配置されたユニットのうち、オフとなっている部分が隣接して配置されている位置に、所定の領域における濃度の不均衡を緩和するために、第１の画線及び第２の画線における半分又は略半分の画線面積率、かつ、同色又は略同色の第４の画線を、第１の画線、第２の画線及び第３の画線が存在しない所定の領域に配置する濃度不均衡緩和画線配置ステップを有することを特徴とする網点データの作製用ソフトウェアを格納した記録媒体である。【００６５】
また、本発明の可視画像配置ステップにおける第３の画線がユニットの第１の画線又は第２の画線が形成される内部及び／又はユニット同士の境界線を中心又は略中心として配置され、画線の大小、画線の濃淡又は画線の粗密から選択される一つの方法によって連続階調から成る可視画像が形成されていることを特徴とする網点データの作製用ソフトウェアを格納した記録媒体である。【００６６】
また、本発明の網点データの作製用ソフトウェアを格納した記録媒体が、演算ステップによって得られた演算結果を出力することによって、偽造防止用印刷物又は印刷版面を得る画像出力ソフトウェアをさらに備えることを特徴とする網点データの作製用ソフトウェアを格納した記録媒体である。【００６７】
本発明は、基材上の所定の領域に、ユニットが規則的に複数配置され、ユニット内はユニットの中心を境に対向するように第１の方向に沿って第１の画線又は第２の画線が形成され、中心を境に対向するように第１の方向に直行する第２の方向に沿って、第５の画線又は第６の画線が形成され、複数配置された各々のユニットにおいて、第１の画線、第２の画線、第５の画線及び第６の画線は、面積が同一であり、第１の画線と第２の画線において、一方を同一色で着色し（オン）、他方は着色せず（オフ）、オン及びオフ状態の組み合わせにより第１の不可視画像が形成され、第１の不可視画像を形成するために配置された第１の画線及び第２の画線のうち、第１の方向に隣接して本来配置される位置及び複数隣接して配置されたユニットのうち、オフとなっている部分が隣接して配置されている位置に、所定の領域における濃度の不均衡を緩和するために、第１の画線及び第２の画線における半分又は略半分の画線面積率を有する第４の画線が、第１の画線と第２の画線の境界線を中心又は略中心として配置され、第５の画線と第６の画線において、一方を同一色で着色し（オン）、他方は着色せず（オフ）、オン及びオフ状態の組み合わせにより第２の不可視画像が形成され、第２の不可視画像を形成するために配置された第５の画線及び第６の画線のうち、第２の方向に隣接して本来配置される位置及び複数隣接して配置されたユニットのうち、オフとなっている部分が隣接して配置されている位置に、所定の領域における濃度の不均衡を緩和するために、第５の画線及び第６の画線における半分又は略半分の画線面積率を有する第７の画線が、ユニット同士の境界線を中心又は略中心として配置されて成る偽造防止用印刷物における網点データの作製装置において、偽造防止用印刷物に対して、レンチキュラーレンズ又は万線フィルタを重ねた場合に第１の不可視画像及び第２の不可視画像が潜像画像として視認される基となる第１の画像データ及び第２の画像データを入力する画像入力手段と、網点データにおける解像度の設定、着色の設定及び第１の画線、第２の画線、第４の画線、第５の画線、第６の画線及び第７の画線の網点形状の設定を設定項目ごとに行う項目設定手段と、画像入力手段によって入力された第１の画像データを項目設定手段によって設定された内容で第１の画線、第２の画線から成る第１の不可視画像を有する画像データを形成し、第２の画像データを項目設定手段によって設定された内容で第５の画線、第６の画線から成る第２の不可視画像を有する画像データを形成し、さらに、第１の不可視画像を有する画像データ、第２の不可視画像を有する画像データ及び濃度の不均衡を緩和するための第４の画線及び第７の画線を合成する演算手段を有することを特徴とする網点データの作製装置である。【００６８】
また、本発明の項目設定手段は、網点データの解像度を設定する、任意の解像度を入力又はあらかじめ記憶してある複数の解像度から選択可能な生成データ解像度設定部と、偽造防止用印刷物の色を設定する着色設定部と、ユニットの高さ及び幅と、ユニット内に形成する第１の画線、第２の画線、第４の画線、第５の画線、第６の画線及び第７の画線の網点形状を設定する網点形状設定部を有することを特徴とする網点データの作製装置である。【００６９】
また、本発明の演算手段は、第１の画像データ及び第２の画像データの輪郭を抽出し、第１の画像データの輪郭画像データ及び第２の画像データの輪郭画像データを生成する輪郭抽出部と、第１の画像データの輪郭画像データを用いて、ユニットを輪郭内部の輪郭内部ユニットと輪郭外部の輪郭外部ユニットに区分けして、輪郭内部ユニット内に第１の画線又は第２の画線のいずれか一方をオンにして配置し、輪郭外部ユニット内に第１の画線又は第２の画線の他方をオフにして配置し、第２の画像データの輪郭画像データを用いて、ユニットを輪郭内部の輪郭内部ユニットと輪郭外部の輪郭外部ユニットに区分けして、輪郭内部ユニット内に第５の画線又は第６の画線のいずれか一方をオンにして配置し、輪郭外部ユニット内に第５の画線及び又は第６の画線の他方をオフにして配置する不可視画像配置部と、輪郭内部ユニット内及び輪郭外部ユニット内に配置された第１の画線、第２の画線、第５の画線及び第６の画線において、隣接して配置された第１の画線及び第２の画線がともにオン状態の場合に、第１の画線又は第２の画線のいずれか一方の画線をオフにすることで削除し、隣接して配置された第５の画線及び第６の画線がともにオン状態の場合に、第５の画線又は第６の画線のいずれか一方の画線をオフにすることで削除する画線削除部と、第１の画線又は第２の画線を削除した空間の位置及び複数隣接して配置されたユニットのうち、オフとなっている部分が隣接して配置されている位置に、所定の領域における濃度の不均衡を緩和するために、第１の画線及び第２の画線における半分又は略半分の画線面積率、かつ、同色又は略同色の第４の画線を、第１の画線と第２の画線の境界線を中心又は略中心として配置し、第５の画線又は第６の画線を削除した空間の位置及び複数隣接して配置されたユニットのうち、オフとなっている部分が隣接して配置されている位置に、所定の領域における濃度の不均衡を緩和するために、第５の画線及び第６の画線における半分又は略半分の画線面積率、かつ、同色又は略同色の第７の画線を、第５の画線と第６の画線の境界線を中心又は略中心として配置する濃度不均衡緩和画線配置部とを有することを特徴とする網点データの作製装置である。【００７０】
また、本発明は、基材上の所定の領域に、ユニットが規則的に複数配置され、ユニット内はユニットの中心を境に対向するように第１の方向に沿って第１の画線又は第２の画線が形成され、中心を境に対向するように第１の方向に直行する第２の方向に沿って、第５の画線又は第６の画線が形成され、複数配置された各々のユニットにおいて、第１の画線、第２の画線、第５の画線及び第６の画線は、面積が同一であり、第１の画線と第２の画線において、一方を同一色で着色し（オン）、他方は着色せず（オフ）、オン及びオフ状態の組み合わせにより第１の不可視画像が形成され、第１の不可視画像を形成するために配置された第１の画線及び第２の画線のうち、第１の方向に隣接して本来配置される位置及び複数隣接して配置されたユニットのうち、オフとなっている部分が隣接して配置されている位置に、所定の領域における濃度の不均衡を緩和するために、第１の画線及び第２の画線における半分又は略半分の画線面積率を有する第４の画線が、第１の画線と第２の画線の境界線を中心又は略中心として配置され、第５の画線と第６の画線において、一方を同一色で着色し（オン）、他方は着色せず（オフ）、オン及びオフ状態の組み合わせにより第２の不可視画像が形成され、第２の不可視画像を形成するために配置された第５の画線及び第６の画線のうち、第２の方向に隣接して本来配置される位置及び複数隣接して配置されたユニットのうち、オフとなっている部分が隣接して配置されている位置に、所定の領域における濃度の不均衡を緩和するために、第５の画線及び第６の画線における半分又は略半分の画線面積率を有する第７の画線が、ユニット同士の境界線を中心又は略中心として配置されて成る偽造防止用印刷物における網点データの作製装置において、偽造防止用印刷物に対して、レンチキュラーレンズ又は万線フィルタを重ねた場合に第１の不可視画像及び第２の不可視画像が潜像画像として視認される基となる第１の画像データ及び第２の画像データと、可視画像として視認される基となる第３の画像データとを入力する画像入力手段と、網点データにおける解像度の設定、着色の設定及び第１の画線、第２の画線、第３の画線、第４の画線、第５の画線、第６の画線及び第７の画線の網点形状の設定を設定項目ごとに行う項目設定手段と、画像入力手段によって入力された第１の画像データを項目設定手段によって設定された内容で第１の画線、第２の画線から成る第１の不可視画像を有する画像データを形成し、第２の画像データを項目設定手段によって設定された内容で第５の画線、第６の画線から成る第２の不可視画像を有する画像データを形成し、第３の画線から成る可視画像を有する画像データを形成し、さらに、第１の不可視画像を有する画像データ、第２の不可視画像を有する画像データ、可視画像を有する画像データ及び濃度の不均衡を緩和するための第４の画線及び第７の画線を合成する演算手段を有することを特徴とする網点データの作製装置である。【００７１】
また、本発明の項目設定手段は、網点データの解像度を設定する、任意の解像度を入力又はあらかじめ記憶してある複数の解像度から選択可能な生成データ解像度設定部と、偽造防止用印刷物の色を設定する着色設定部と、ユニットの高さ及び幅と、ユニット内に形成する第１の画線、第２の画線、第３の画線、第４の画線、第５の画線、第６の画線及び第７の画線の網点形状を設定する網点形状設定部を有することを特徴とする網点データの作製装置である。【００７２】
また、本発明の演算手段は、第１の画像データ及び第２の画像データの輪郭を抽出し、第１の画像データの輪郭画像データ及び第２の画像データの輪郭画像データを生成する輪郭抽出部と、第１の画像データの輪郭画像データを用いて、ユニットを輪郭内部の輪郭内部ユニットと輪郭外部の輪郭外部ユニットに区分けして、輪郭内部ユニット内に第１の画線又は第２の画線のいずれか一方をオンにして配置し、輪郭外部ユニット内に第１の画線又は第２の画線の他方をオフにして配置し、第２の画像データの輪郭画像データを用いて、ユニットを輪郭内部の輪郭内部ユニットと輪郭外部の輪郭外部ユニットに区分けして、輪郭内部ユニット内に第５の画線又は第６の画線のいずれか一方をオンにして配置し、輪郭外部ユニット内に第５の画線又は第６の画線の他方をオフにして配置する不可視画像配置部と、輪郭内部ユニット内及び輪郭外部ユニット内に配置された第１の画線、第２の画線、第５の画線及び第６の画線において、隣接して配置された第１の画線及び第２の画線がともにオン状態の場合に、第１の画線又は第２の画線のいずれか一方の画線をオフにすることで削除し、隣接して配置された第５の画線及び第６の画線がともにオン状態の場合に、第５の画線又は第６の画線のいずれか一方の画線をオフにすることで削除する画線削除部と、第１の画線又は第２の画線を削除した空間の位置及び複数隣接して配置されたユニットのうち、オフとなっている部分が隣接して配置されている位置に、所定の領域における濃度の不均衡を緩和するために、第１の画線及び第２の画線における半分又は略半分の画線面積率、かつ、同色又は略同色の第４の画線を、第１の画線と第２の画線の境界線を中心又は略中心として配置し、第５の画線又は第６の画線を削除した空間の位置及び複数隣接して配置されたユニットのうち、オフとなっている部分が隣接して配置されている位置に、所定の領域における濃度の不均衡を緩和するために、第５の画線及び第６の画線における半分又は略半分の画線面積率、かつ、同色又は略同色の第７の画線を、第５の画線と第６の画線の境界線を中心又は略中心として配置する濃度不均衡緩和画線配置部と、第１の画線、第２の画線、第４の画線、第５の画線、第６の画線及び第７の画線が存在しない領域に可視画像を形成するための第３の画線を配置する可視画像配置部を有することを特徴とする網点データの作製装置である。【００７３】
また、本発明は、可視画像配置部における第３の画線がユニットの中心、略中心及び四隅の少なくとも一つに配置され、画線の大小、画線の濃淡又は画線の粗密から選択される一つの方法によって連続階調から成る可視画像が形成されていることを特徴とする網点データの作製装置である。【００７４】
また、本発明は、網点データの作製装置が、演算手段によって得られた演算結果を出力することによって、偽造防止用印刷物又は印刷版面を得る画像出力手段をさらに備えることを特徴とする網点データの作製装置である。【００７５】
また、本発明は、レンチキュラーレンズ又は万線フィルタを重ねた場合に潜像画像として視認される第１の不可視画像及び第２の不可視画像が埋め込まれた偽造防止用印刷物の網点データを作製する方法を、不可視画像となる第１の画像データ及び第２の画像データを入力する画像入力手段と、設定項目ごとに設定を行う項目設定手段と、第１の画像データ、第２の画像データ並びに設定された設定項目をもとに網点データを作製する演算手段とを備えたコンピュータに実行させる網点データの作製用ソフトウェアを格納した記録媒体において、レンチキュラーレンズ又は万線フィルタを重ねた場合に第１の不可視画像及び第２の不可視画像が潜像画像として視認される基となる第１の画像データ及び第２の画像データを、画像入力手段により入力する画像入力ステップと、第１の画像データから第１の不可視画像を有する画像データを生成し、第２の画像データから第２の不可視画像を有する画像データを生成するための、網点データにおける解像度の設定、着色の設定及び第１の画線、第２の画線、第５の画線及び第６の画線の網点形状の設定を、項目設定手段により設定項目ごとに行う項目設定ステップと、入力された第１の画像データを項目設定手段によって設定された内容で第１の画線、第２の画線から成る第１の不可視画像を有する画像データを形成し、第２の画像データを項目設定手段によって設定された内容で第５の画線、第６の画線から成る第２の不可視画像を有する画像データを形成し、さらに、第１の不可視画像を有する画像データ、第２の不可視画像を有する画像データ及び濃度の不均衡を緩和するための第４の画線及び第７の画線を演算手段により合成する演算ステップを備える網点データの生成方法をコンピュータに実行させることを特徴とする網点データの作製用ソフトウェアを格納した記録媒体である。【００７６】
また、本発明の項目設定ステップは、生成データ解像度設定部によって、網点データの解像度を設定する、任意の解像度を入力又はあらかじめ記憶してある複数の解像度から選択可能な生成データ解像度設定ステップと、着色設定部によって、偽造防止用印刷物の色を設定する着色設定ステップと、網点形状設定部によって、ユニットの高さ及び幅と、ユニット内に形成する第１の画線、第２の画線、第４の画線、第５の画線、第６の画線及び第７の画線の網点形状を設定する網点形状設定ステップを有することを特徴とする網点データの作製用ソフトウェアを格納した記録媒体である。【００７７】
また、本発明の演算ステップは、輪郭抽出部によって、第１の画像データ及び第２の画像データの輪郭を抽出し、第１の画像データの輪郭画像データ及び第２の画像データの輪郭画像データを生成する輪郭抽出ステップと、不可視画像配置部によって、第１の画像データの輪郭画像データを用いて、ユニットを輪郭内部の輪郭内部ユニットと輪郭外部の輪郭外部ユニットに区分けして、輪郭内部ユニット内に第１の画線又は第２の画線のいずれか一方をオンにして配置し、輪郭外部ユニット内に第１の画線又は第２の画線の他方をオフにして配置し、第２の画像データの輪郭画像データを用いて、ユニットを輪郭内部の輪郭内部ユニットと輪郭外部の輪郭外部ユニットに区分けして、輪郭内部ユニット内に第５の画線又は第６の画線のいずれか一方をオンにして配置し、輪郭外部ユニット内に第５の画線又は第６の画線の他方をオフにして配置する不可視画像配置ステップと、画線削除部によって、輪郭内部ユニット内及び輪郭外部ユニット内に配置された第１の画線、第２の画線、第５の画線及び第６の画線において、隣接して配置された第１の画線及び第２の画線がともにオン状態の場合に、第１の画線又は第２の画線のいずれか一方の画線をオフにすることで削除し、隣接して配置された第５の画線及び第６の画線がともにオン状態の場合に、第５の画線又は第６の画線のいずれか一方の画線をオフにすることで削除する画線削除ステップと、濃度不均衡緩和画線配置部によって、第１の画線又は第２の画線を削除した空間の位置及び複数隣接して配置されたユニットのうち、オフとなっている部分が隣接して配置されている位置に、所定の領域における濃度の不均衡を緩和するために、第１の画線及び第２の画線における半分又は略半分の画線面積率、かつ、同色又は略同色の第４の画線を、第１の画線と第２の画線の境界線を中心又は略中心として配置し、第５の画線又は第６の画線を削除した空間の位置及び複数隣接して配置されたユニットのうち、オフとなっている部分が隣接して配置されている位置に、所定の領域における濃度の不均衡を緩和するために、第５の画線及び第６の画線における半分又は略半分の画線面積率、かつ、同色又は略同色の第７の画線を、第５の画線と第６の画線の境界線を中心又は略中心として配置する濃度不均衡緩和画線配置ステップを有することを特徴とする網点データの作製用ソフトウェアを格納した記録媒体である。【００７８】
また、本発明は、可視画像とレンチキュラーレンズ又は万線フィルタを重ねた場合に潜像画像として視認される第１の不可視画像及び第２の不可視画像が埋め込まれた偽造防止用印刷物の網点データを作製する方法を、不可視画像となる第１の画像データ及び第２の画像データと、可視画像となる第３の画像データを入力する画像入力手段と、設定項目ごとに設定を行う項目設定手段と、第１の画像データ、第２の画像データ、第３の画像データ並びに設定された設定項目をもとに網点データを作製する演算手段とを備えたコンピュータに実行させる網点データの作製用ソフトウェアを格納した記録媒体において、レンチキュラーレンズ又は万線フィルタを重ねた場合に第１の不可視画像及び第２の不可視画像が潜像画像として視認される基となる第１の画像データ及び第２の画像データと、可視画像として視認される基となる第３の画像データとを、画像入力手段により入力する画像入力ステップと、第１の画像データから第１の不可視画像を有する画像データを生成し、第２の画像データから第２の不可視画像を有する画像データを生成し、第３の画像データから可視画像を有する画像データを生成するための、網点データにおける解像度の設定、着色の設定及び第１の画線、第２の画線、第３の画線、第４の画線、第５の画線、第６の画線及び第７の画線の網点形状の設定を、項目設定手段により設定項目ごとに行う項目設定ステップと、入力された第１の画像データを項目設定手段によって設定された内容で第１の画線、第２の画線から成る第１の不可視画像を有する画像データを形成し、第２の画像データを項目設定手段によって設定された内容で第５の画線、第６の画線から成る第２の不可視画像を有する画像データを形成し、第３の画線から成る可視画像を有する画像データを形成し、さらに、第１の不可視画像を有する画像データ、第２の不可視画像を有する画像データ、可視画像を有する画像データ及び濃度の不均衡を緩和するための第４の画線及び第７の画線を演算手段により合成する演算ステップを備える網点データの生成方法をコンピュータに実行させることを特徴とする網点データの作製用ソフトウェアを格納した記録媒体である。【００７９】
また、本発明の項目設定ステップは、生成データ解像度設定部によって、網点データの解像度を設定する、任意の解像度を入力又はあらかじめ記憶してある複数の解像度から選択可能な生成データ解像度設定ステップと、着色設定部によって、偽造防止用印刷物の色を設定する着色設定ステップと、網点形状設定部によって、ユニットの高さ及び幅と、ユニット内に形成する第１の画線、第２の画線、第３の画線、第４の画線、第５の画線、第６の画線及び第７の画線の網点形状を設定する網点形状設定ステップを有することを特徴とする網点データの作製用ソフトウェアを格納した記録媒体である。【００８０】
また、本発明の演算ステップは、輪郭抽出部によって、第１の画像データ及び第２の画像データの輪郭を抽出し、第１の画像データの輪郭画像データ及び第２の画像データの輪郭画像データを生成する輪郭抽出ステップと、不可視画像配置部によって、第１の画像データの輪郭画像データを用いて、ユニットを輪郭内部の輪郭内部ユニットと輪郭外部の輪郭外部ユニットに区分けして、輪郭内部ユニット内に第１の画線又は第２の画線のいずれか一方をオンにして配置し、輪郭外部ユニット内に第１の画線又は第２の画線の他方をオフにして配置し、第２の画像データの輪郭画像データを用いて、ユニットを輪郭内部の輪郭内部ユニットと輪郭外部の輪郭外部ユニットに区分けして、輪郭内部ユニット内に第５の画線又は第６の画線のいずれか一方をオンにして配置し、輪郭外部ユニット内に第５の画線又は第６の画線の他方をオフにして配置する不可視画像配置ステップと、画線削除部によって、輪郭内部ユニット内及び輪郭外部ユニット内に配置された第１の画線、第２の画線、第５の画線及び第６の画線において、隣接して配置された第１の画線及び第２の画線がともにオン状態の場合に、第１の画線又は第２の画線のいずれか一方の画線をオフにすることで削除し、隣接して配置された第５の画線及び第６の画線がともにオン状態の場合に、第５の画線又は第６の画線のいずれか一方の画線をオフにすることで削除する画線削除ステップと、濃度不均衡緩和画線配置部によって、第１の画線又は第２の画線を削除した空間の位置及び複数隣接して配置されたユニットのうち、オフとなっている部分が隣接して配置されている位置に、所定の領域における濃度の不均衡を緩和するために、第１の画線及び第２の画線における半分又は略半分の画線面積率、かつ、同色又は略同色の第４の画線を、第１の画線と第２の画線の境界線を中心又は略中心として配置し、第５の画線又は第６の画線を削除した空間の位置及び複数隣接して配置されたユニットのうち、オフとなっている部分が隣接して配置されている位置に、所定の領域における濃度の不均衡を緩和するために、第５の画線及び第６の画線における半分又は略半分の画線面積率、かつ、同色又は略同色の第７の画線を、第５の画線と第６の画線の境界線を中心又は略中心として配置する濃度不均衡緩和画線配置ステップと、可視画像配置部によって、第１の画線、第２の画線、第４の画線、第５の画線、第６の画線及び第７の画線が存在しない領域に可視画像を形成するための第３の画線を配置する可視画像配置ステップを有することを特徴とする網点データの作製用ソフトウェアを格納した記録媒体である。【００８１】
また、本発明は、可視画像配置ステップにおける第３の画線がユニットの中心、略中心及び四隅の少なくとも一つに配置され、画線の大小、画線の濃淡又は画線の粗密から選択される一つの方法によって連続階調から成る可視画像が形成されていることを特徴とする網点データの作製用ソフトウェアを格納した記録媒体である。【００８２】
また、本発明は、網点データの作製用ソフトウェアを格納した記録媒体が、演算ステップによって得られた演算結果を出力することによって、偽造防止用印刷物又は印刷版面を得る画像出力ソフトウェアをさらに備えることを特徴とする網点データの作製用ソフトウェアを格納した記録媒体である。
【発明の効果】
【００８３】
本発明の偽造防止用印刷物によれば、所定の画線配置によって、万線状フィルタを重ねていない状態の印刷物に連続階調を有する有意味な可視画像が形成されたとしても、連続階調を有する有意味な可視画像と同一領域内に不可視画像を確実に埋め込むことが可能であり、単一の判別具により鮮明な発現が可能な不可視画像を形成するとともに、不可視画像を発現させた時に可視画像によって視認性が阻害されず、印刷再現上の不具合を解消した連続階調を有する偽造防止用印刷物が提供される。【００８４】
また、本発明の連続階調を有する偽造防止用印刷物は、濃度不均一緩和画線を設けることによって、判別具を重ねることなく印刷物のみを観察した場合に、カムフラージュ模様を設けなくとも不可視画像が視認されにくいものとなる。【００８５】
本発明の偽造防止印刷物の作製システムは、オペレータが試行錯誤を重ねながら画線配置を行う必要がなく、容易に不可視画像が埋め込まれた連続階調を有する有意味な可視画像が形成された偽造防止用印刷物を容易に作製できる。【００８６】
本発明による網点データ作製装置を実行する作製用ソフトウェアを格納した記録媒体により作製される網点データ及び作製された網点データから作製する偽造防止用印刷物に対しての特別な知識を持たない者でも、容易に網点データを作製することが可能である。また、作業ミスの混入する余地が減少するとともに、データ作製に要する時間が飛躍的に減少される。
【図面の簡単な説明】
【００８７】
【図１】偽造防止用印刷物における一画線の構成と、印刷物の一画線をマトリクス状に配置した様子を示す説明図である。
【図２】ユニット［ｈ，ｖ］の画線Ａ’［ｈ，ｖ］が削除された状態を示した図である。
【図３】画線Ａ又は画線Ａ’の半分又は略半分の画線面積を有する画線ａ及び画線Ｅが追加された状態を示した図である。
【図４】偽造防止用印刷物Ｃ１上に判別具２を重ね合わせて目視で観察する様子を示す説明図である。
【図５】偽造防止用印刷物Ｃ１において画線Ａ上に中心線が位置するようにレンチキュラーレンズを載置した状態、並びにこのときに視認される画線を拡大して示す説明図である。
【図６】偽造防止用印刷物による印刷模様の基本構成を示す説明図である。
【図７】印刷物に印刷された印刷模様３を構成するマトリクス状に配置された構成が解るように簡易的に示した模式図である。
【図８】ユニット［ｈ，ｖ］の画線Ａ’［ｈ，ｖ］が削除された状態を示した図である。
【図９】偽造防止用印刷物Ｃ２におけるユニット［ｈ，ｖ］の画線構成を示した平面図及び概念図である。
【図１０】任意の連続階調から成る模様４を示す図である。
【図１１】画線Ａ又は画線Ａ’の半分又は略半分の画線面積を有する画線ａ及び画線Ｅが追加された状態を示した図である。
【図１２】偽造防止用印刷物Ｃ３におけるユニット［ｈ，ｖ］の画線構成を示した平面図及び概念図である。
【図１３】画線Ａ、画線Ａ’の半分又は略半分の画線面積を有する画線ａ及び画線Ｅが追加された状態を示した図である。
【図１４】印刷模様３全域において、肉眼視での濃度の不均衡が緩和された状態を示す説明図である。
【図１５】偽造防止用印刷物Ｃ４におけるユニット［ｈ，ｖ］の画線構成を示した平面図及び概念図である。
【図１６】画線Ａ、画線Ａ’の半分又は略半分の画線面積を有する画線ａ及び画線Ｅが追加された状態を示した図である。
【図１７】印刷模様３全域において、肉眼視での濃度の不均衡が緩和された状態を示す説明図である。
【図１８】偽造防止印刷物Ｃ５におけるユニット［ｈ，ｖ］の画線構成を示した平面図及び概念図である。
【図１９】画線Ａ、画線Ａ’の半分又は略半分の画線面積を有する画線ａ及び画線Ｅが追加された状態を示した図である。
【図２０】印刷模様３全域において、肉眼視での濃度の不均衡が緩和された状態を示す説明図である。
【図２１】印刷模様３における連続階調から成る模様が画線Ｄの大きさが連続的に変化していることで写真画像を表現する様子を示す説明図である。
【図２２】画線Ｄの占める領域に同一の画線面積にて成る着色された部分が、マトリクス状に配置されたユニットごとにランダムに着色されて相対的な写真階調を表現する様子を示す説明図である。
【図２３】画線Ｄの占める領域に濃度の異なる画線をマトリックス状に配置することにより、写真階調を表現する様子を示す説明図である。
【図２４】本発明における網点データを作製する装置Ａ１のブロック図である。
【図２５】本発明における網点データを作製する装置Ａ１で得られるデータの流れを示す図である。
【図２６】本発明における網点データを作製する装置Ａ１のうち、項目設定手段１２のブロック図である。
【図２７】本発明における網点データを作製する装置Ａ１のうち、演算手段１３のブロック図である。
【図２８】本発明における網点データを作製するソフトウェアＢ１の操作画面の一例を示す図である。
【図２９】本発明における網点データを作製する装置Ａ２のブロック図である。
【図３０】本発明における網点データを作製する装置Ａ２で得られるデータの流れを示す図である。
【図３１】本発明における網点データを作製する装置Ａ２のうち、項目設定手段１２’のブロック図である。
【図３２】本発明における網点データを作製する装置Ａ２のうち、演算手段１３’のブロック図である。
【図３３】本発明における網点データを作製するソフトウェアＢ２の操作画面の一例を示す図である。
【図３４】本発明における網点データの作製用ソフトウェアＢ１を示すフローチャートを示す図である。
【図３５】本発明における網点データの作製用ソフトウェアＢ１において、項目設定ステップを示すフローチャートを示す図である。
【図３６】本発明における網点データの作製用ソフトウェアＢ１において、演算ステップを示すフローチャートを示す図である。
【図３７】画線削除ステップ及び濃度不均衡緩和画線配置ステップのフローチャートを示す図である。
【図３８】本発明における網点データの作製用ソフトウェアＢ２を示すフローチャートを示す図である。
【図３９】本発明における網点データの作製用ソフトウェアＢ２において、項目設定ステップを示すフローチャートを示す図である。
【図４０】本発明における網点データの作製用ソフトウェアＢ２において、演算ステップを示すフローチャートを示す図である。
【図４１】偽造防止用印刷物Ｃ８を示す図である。
【図４２】偽造防止用印刷物Ｃ８に所定の角度で判別具を重ね合わせた時に視認される模様の一例を示す説明図である。
【図４３】偽造防止用印刷物Ｃ８に上記所定の角度と９０度をなす角度で判別具を重ね合わせた時に視認される模様の一例を示す説明図である。
【図４４】偽造防止用印刷物Ｃ８における一画線の構成を示す説明図である。
【図４５】偽造防止用印刷物Ｃ８の一画線をマトリクス状に配置した様子を示す説明図である。
【図４６】肉眼視では濃度が不均衡になるのを緩和するための、縦方向の画線の削除並びに追加を実行するアルゴリズムを示したフローチャートである。
【図４７】肉眼視では濃度が不均衡になるのを緩和するための、横方向の画線の削除並びに追加を実行するアルゴリズムを示したフローチャートである。
【図４８】図４６のアルゴリズムに従って、ユニット［ｈ，ｖ］の画線Ａ’［ｈ，ｖ］が削除された状態と、図４７のアルゴリズムに従って、ユニット［ｈ，ｖ］の画線Ｂ’［ｈ，ｖ］が削除された状態を示した図である。
【図４９】ユニット［ｈ，ｖ］の画線Ａ’［ｈ，ｖ］が削除と、ユニット［ｈ，ｖ］の画線Ｂ’［ｈ，ｖ］が削除を印刷模様３に適用した状態を示した図である。
【図５０】図４６のアルゴリズムに従って、画線Ａ又は画線Ａ’の半分の画線面積を有する画線ａ及び画線Ｅが追加された状態と、図４７のアルゴリズムに従って、画線Ｂ又は画線Ｂ’の半分の画線面積を有する画線ｂ及び画線Ｅが追加された状態を示した図である。
【図５１】画線ａ、画線ｂ及び画線Ｅの追加を印刷模様３に適用した状態を示した図である。
【図５２】第１の可視画像（デザイン：模様）を形成させるための画線Ｃと、第２の可視画像（デザイン：模様）を形成させるための画線Ｄとを、配置した印刷模様３を示した図である。
【図５３】偽造防止用印刷物Ｃ８上にレンチキュラーレンズを重ね合わせて目視で観察する様子を示す説明図である。
【図５４】偽造防止用印刷物Ｃ８において画線Ａ上に中心線が位置するようにレンチキュラーレンズを載置した状態、並びにこのときに視認される画線を拡大して示す説明図である。
【図５５】偽造防止用印刷物Ｃ８において画線Ｂ上に中心線が位置するようにレンチキュラーレンズを載置した状態、並びにこのときに視認される画線を拡大して示す説明図である。
【図５６】偽造防止用印刷物Ｃ８における画線の他の形状の一例を示す説明図である。
【図５７】印刷物と判別具とを示す斜視図である。
【図５８】任意の連続階調から成る模様４が施された印刷物１を示す説明図である。
【図５９】印刷物１上にレンチキュラーレンズを重ね合わせて第１の不可視画像５が可視画像となって発現する状態を示す説明図である。
【図６０】印刷物１上にレンチキュラーレンズを重ね合わせて第２の不可視画像６が可視画像となって発現する状態を示す説明図である。
【図６１】本発明の印刷物に対する印刷模様の基本構成を示す説明図である。
【図６２】印刷物に印刷された印刷模様３を構成するマトリクス状に配置された構成が解るように簡易的に示した模式図である。
【図６３】判別具２を印刷物１上の印刷模様３に重ね合わせ、正面から目視で観察する状態を示す斜視図である。
【図６４】レンチキュラーレンズの特性によって中心線７に位置する画線Ａが膨張して可視画像が発現する状態を示す説明図である。
【図６５】レンチキュラーレンズの特性によって中心線７に位置する画線Ｂが膨張して可視画像が発現する状態を示す説明図である。
【図６６】図４６及び図４７のアルゴリズムに従って、ユニット［ｈ，ｖ］の画線Ａ’［ｈ，ｖ］並びに画線Ｂ’［ｈ，ｖ］が削除された状態を示した図である。
【図６７】偽造防止用印刷物Ｃ９におけるユニット［ｈ，ｖ］の画線構成を示した平面図及び概念図である。
【図６８】図４６及び図４７のアルゴリズムに従って、画線Ａ、画線Ａ’、画線Ｂ又は画線Ｂ’の半分又は略半分の画線面積を有する画線ａ及び画線Ｅが追加された状態を示した図である。
【図６９】図４６及び図４７のアルゴリズムに従って、印刷模様３全域において、肉眼視での濃度の不均衡が緩和された状態を示す説明図である。
【図７０】偽造防止用印刷物Ｃ１０におけるユニット［ｈ，ｖ］の画線構成を示した平面図及び概念図である。
【図７１】図４６及び図４７のアルゴリズムに従って、画線Ａ、画線Ａ’、画線Ｂ又は画線Ｂ’の半分又は略半分の画線面積を有する画線ａ及び画線Ｅが追加された状態を示した図である。
【図７２】図４６及び図４７のアルゴリズムに従って、印刷模様３全域において、肉眼視での濃度の不均衡が緩和された状態を示す説明図である。
【図７３】偽造防止用印刷物Ｃ１１におけるユニット［ｈ，ｖ］の画線構成を示した平面図及び概念図である。
【図７４】図４６及び図４７のアルゴリズムに従って、画線Ａ、画線Ａ’、画線Ｂ又は画線Ｂ’の半分又は略半分の画線面積を有する画線ａ及び画線Ｅが追加された状態を示した図である。
【図７５】図４６及び図４７のアルゴリズムに従って、印刷模様３全域において、肉眼視での濃度の不均衡が緩和された状態を示す説明図である。
【図７６】偽造防止用印刷物Ｃ１２におけるユニット［ｈ，ｖ］の画線構成を示した平面図及び概念図である。
【図７７】図４６及び図４７のアルゴリズムに従って、画線Ａ、画線Ａ’、画線Ｂ又は画線Ｂ’の半分又は略半分の画線面積を有する画線ａ及び画線Ｅが追加された状態を示した図である。
【図７８】図４６及び図４７のアルゴリズムに従って、印刷模様３全域において、肉眼視での濃度の不均衡が緩和された状態を示す説明図である。
【図７９】印刷模様３における連続階調から成る模様が画線Ｄの大きさが連続的に変化していることで写真画像を表現する様子を示す説明図である。
【図８０】画線Ｄの占める領域に同一の画線面積にて成る着色された部分が、マトリクス状に配置されたユニットごとにランダムに着色されて相対的な写真階調を表現する様子を示す説明図である。
【図８１】画線Ｄの占める領域に濃度の異なる画線をマトリックス状に配置することにより、写真階調を表現する様子を示す説明図である。
【図８２】本発明における網点データを作製する装置Ａ３のブロック図である。
【図８３】本発明における網点データを作製する装置Ａ３で得られるデータの流れを示す図である。
【図８４】本発明における網点データを作製する装置Ａ３で得られるデータの流れを示す図である。
【図８５】本発明における網点データを作製する装置Ａ３で得られるデータの流れを示す図である。
【図８６】本発明における網点データを作製する装置Ａ３のうち、項目設定手段のブロック図である。
【図８７】本発明における網点データを作製する装置Ａ３のうち、演算手段のブロック図である。
【図８８】本発明における網点データを作製するソフトウェアＢ３の操作画面の一例を示す図である。
【図８９】本発明における網点データを作製する装置Ａ４のブロック図である。
【図９０】本発明における網点データを作製する装置Ａ４で得られるデータの流れを示す図である。
【図９１】本発明における網点データを作製する装置Ａ４で得られるデータの流れを示す図である。
【図９２】本発明における網点データを作製する装置Ａ４で得られるデータの流れを示す図である。
【図９３】本発明における網点データを作製する装置Ａ４のうち、項目設定手段のブロック図である。
【図９４】本発明における網点データを作製する装置Ａ４のうち、演算手段のブロック図である。
【図９５】本発明における網点データを作製するソフトウェアＢ４の操作画面の一例を示す図である。
【図９６】本発明における網点データの作製用ソフトウェアＢ３を示すフローチャートを示す図である。
【図９７】本発明における網点データの作製用ソフトウェアＢ３において、項目設定ステップを示すフローチャートを示す図である。
【図９８】本発明における網点データの作製用ソフトウェアＢ３において、演算ステップを示すフローチャートを示す図である。
【図９９】本発明における網点データの作製用ソフトウェアＢ４を示すフローチャートを示す図である。
【図１００】本発明における網点データの作製用ソフトウェアＢ４において、項目設定ステップを示すフローチャートを示す図である。
【図１０１】本発明における網点データの作製用ソフトウェアＢ４において、演算ステップを示すフローチャートを示す図である。
【図１０２】拡散光領域で印刷物１を目視で観察した場合と、正反射光領域で印刷物１を目視で観察した場合とを示す説明図である。
【図１０３】印刷物１を拡散光領域と正反射光領域とで観察したときのそれぞれの照明光源３１と視点３２と印刷物１の三つの位置関係を示す説明図である。
【図１０４】連続階調画像に不可視情報を付与された身分証明書型の印刷物が示された様子を示す説明図である。
【図１０５】連続階調画像に不可視情報を付与された印刷物の発給装置の組織図である。
【図１０６】身分証明書の印刷物を発給されるまでの流れを示した説明図である。
【図１０７】印刷物の発給する方法の基本的なフローを示したフローチャートである。
【発明を実施するための形態】
【００８８】
以下、本発明の偽造防止用印刷物及びその作製方法並びに網点データの作製装置及び作製用ソフトウェアを格納した記録媒体について、図面を用いて説明する。しかし、本発明は、以下に述べる実施の形態に限定されるものではなく、特許請求の範囲に記載された技術的思想の範囲内であれば、その他のいろいろな実施の形態が含まれる。
【００８９】
網点データの作製装置及び作製用ソフトウェアを格納した記録媒体で作製される偽造防止用印刷物の一例について説明する。偽造防止用印刷物Ｃ１乃至Ｃ７は、一つの不可視画像を埋め込んだ例であり、偽造防止用印刷物Ｃ８乃至Ｃ１５は、二つの不可視画像を埋め込んだ例である。偽造防止用印刷物Ｃ１６は、偽造防止用印刷物Ｃ１乃至Ｃ１５の応用例である。また、網点データの作製装置及び作製用ソフトウェアを格納した記録媒体で作製される偽造防止用印刷物の一例について説明する。なお、図面で説明している偽造防止用印刷物Ｃ１乃至Ｃ１６のユニットの境は、説明上、実線、点線で記載しているが、実際の印刷物のユニットの境は、実線、点線で印刷されるものではない。
【００９０】
（偽造防止用印刷物Ｃ１）
偽造防止用印刷物について詳細に説明する。図１は、偽造防止用印刷物に対する印刷模様の一画線の構成の部分的な拡大と、印刷物に印刷された印刷模様３を構成するマトリクス状に配置された構成が解るように簡易的に示した模式図である。ここで、縦の寸法Ｓは、例えば、３４０μｍというように１ｍｍ以下の大きさである。図１（ａ）の画線はユニットと称する最小単位であり、画線Ａ（第１の画線）と画線Ａ’（第２の画線）とで構成されている。この図１（ａ）の画線が、印刷物の表面上においてマトリクス状に規則的に配置される。図１（ａ）に示すようにユニット内はユニットの中心を境に対向するように、所定の方向に沿って画線Ａ又は画線Ａ’が形成される。画線Ａと画線Ａ’とは、対を成しており、相互にオンオフの関係にある。このオンオフの関係とは、例えば、一方が黒（オン）のときは他方は白（オフ）、一方が有着色のときは他方は無着色であり、基本的には双方ともに黒又は双方ともに白であることがないということである。そして、画線Ａと画線Ａ’とは、面積が同一である。このような画線Ａと画線Ａ’とが存在することで通常の可視条件下では視認されず、画線Ａのみにより不可視画像（ネガ又はポジ）、画線Ａ’のみにより不可視画像（ポジ又はネガ）がそれぞれ形成されている。
【００９１】
このような構成を有する画線を印刷物上にマトリクス状に縦横隙間なく、連続的にかつ、規則的に配置すると図１（ｂ）となる。この図１（ｂ）は、印刷物に印刷された印刷模様３を構成するマトリクス状に、縦ステップ数ｖと横ステップ数ｈをもって配置された複数の画線と、不可視画像がその構成が解るように太実線で簡易的に示した模式図である。なお、本実施の形態でいうステップ数とは、印刷模様３上で繰り返されるユニットの数のことを指すもので、ステップ数に何ら制限はない。このステップ数は、不可視画像の解像度と比例している。不可視画像で示される太実線はあくまで位置を説明するものであり、実際は目視できるものではない。このとき、印刷模様３における画線Ａの総面積と画線Ａ’の総面積は等しい。また、画線Ａ及び画線Ａ’が横方向に並ぶことによって、画線Ａ群から成る平行万線及び画線Ａ’群から成る平行万線が形成される。すなわち、図１（ｂ）は、線位相変調（Line phase modulation）によって、不可視画像を施している状態となっているものである。しかし、この状態では、肉眼視で複数の画線Ａと複数の画線Ａ’とがマトリクス状に配置されたユニットの近傍部にて画線Ａと画線Ａ’の双方がオン（有着色）になるため、濃度が高く（濃く）見えたり、また、複数の画線Ａと複数の画線Ａ’とがマトリクス状に配置されたユニットの近傍部にて画線Ａと画線Ａ’の双方がオフ（無着色）になるため、濃度が低く（淡く）見えたりして、肉眼視では濃度が不均衡となって見えることもある。図１（ｂ）は、線位相変調（Line phase modulation）を示しているが、これに限定することなく、点位相変調（Dot phase modulation）であっても良い。
【００９２】
この濃度の不均衡に見えるのを緩和するため、最小単位であるユニット［ｈ，ｖ］ごとに、画線の削除並びに追加を実行するものである。なお、［ｖ］はユニットを縦上から数えたステップ数で、［ｈ］はユニットを横左から数えたステップ数である。まず、マトリクス状に配置した列ごとのユニット［ｈ，ｖ］において順次画線Ａ［ｈ，ｖ］及び画線Ａ’［ｈ，ｖ］の検知が行われる。なお、画線Ａ［ｈ，ｖ］及び画線Ａ’［ｈ，ｖ］を検知する方法は、例えば、印刷模様３がビットマップ形式の２値画像の場合、処理すべきユニット内において、一般的にラベリングと呼ばれる処理によって、画線Ａ［ｈ，ｖ］又は画線Ａ’［ｈ，ｖ］を識別して削除してもよい。
【００９３】
次に、ユニット［ｈ，ｖ］に画線Ａ’［ｈ，ｖ］を有し、かつ、ユニット［ｈ，ｖ＋１］に画線Ａ［ｈ，ｖ＋１］を有する条件に一致したとき、ユニット［ｖ］における本来配置される位置である画線Ａ’［ｈ，ｖ］の削除が行われる。すなわち、図２（ａ）に示されるように、ユニット［ｈ，ｖ］、ユニット［ｈ，ｖ＋１］、ユニット［ｈ，ｖ＋２］の配置の際、ユニット［ｈ，ｖ］の画線Ａ’［ｈ，ｖ］とユニット［ｈ，ｖ＋１］の画線Ａ［ｈ，ｖ＋１］が隣接している場合、図２（ｂ）に示されるように、ユニット［ｈ，ｖ］の画線Ａ’［ｈ，ｖ］が削除され、図２（ｃ）に示される印刷模様３となる。
【００９４】
次に、ユニット［ｈ，ｖ］に画線Ａ［ｈ，ｖ］を有し、かつ、ユニット［ｈ，ｖ＋１］に画線Ａ’［ｈ，ｖ＋１］を有する条件に一致したとき、ユニット［ｈ，ｖ］とユニット［ｈ，ｖ＋１］の間に画線ａの追加を行う。すなわち、図３（ｂ）に示されるように、ユニット［ｈ，ｖ］とユニット［ｈ，ｖ＋１］の中間付近に、画線Ａ又は画線Ａ’の半分又は略半分の画線面積を有する画線ａ（第４の画線）が追加される。これにより、ユニット［ｈ，ｖ］とユニット［ｈ，ｖ＋１］間における肉眼視での濃度の不均衡が緩和される。
【００９５】
次に、ユニット［ｈ，ｖ］に画線Ａ’［ｈ，ｖ］を有し、ユニット［ｈ，ｖ＋１］に画線が無く、かつ、ユニット［ｈ，ｖ＋２］に画線Ａ［ｈ，ｖ＋２］を有する条件に一致したとき、ユニット［ｈ，ｖ＋１］の中心又は略中心における画線Ｅの追加を行う。すなわち、図３（ｃ）に示されるように、ユニット［ｈ，ｖ＋１］の中心又は略中心に、画線Ａ又は画線Ａ’の半分又は略半分の画線面積を有する画線Ｅ（第４の画線）が追加される。これにより、ユニット［ｈ，ｖ］とユニット［ｈ，ｖ＋２］間における肉眼視での濃度の不均衡が緩和される。
【００９６】
次に、ユニット［ｈ，ｖ］に画線Ａ’［ｈ，ｖ］を有し、ユニット［ｈ，ｖ＋１］に画線が無く、かつ、ユニット［ｈ，ｖ＋２］に画線Ａ’［ｈ，ｖ＋２］を有する条件に一致したとき、ユニット［ｈ，ｖ＋１］における画線Ｅ及びユニット［ｈ，ｖ＋１］とユニット［ｈ，ｖ＋２］の間に画線ａの追加を行う。すなわち、図３（ｄ）に示されるように、ユニット［ｈ，ｖ＋１］の中心又は略中心に、画線Ａ又は画線Ａ’の半分又は略半分の画線面積を有する画線Ｅ（第４の画線）が追加され、ユニット［ｈ，ｖ＋１］とユニット［ｈ，ｖ＋２］の間に画線Ａ又は画線Ａ’の半分又は略半分の画線面積を有する画線ａが追加される。これにより、ユニット［ｈ，ｖ］とユニット［ｈ，ｖ＋２］間における肉眼視での濃度の不均衡が緩和される。よって、これら処理が図１（ｂ）の印刷模様３に適用された場合、図３（ｅ）に示される印刷模様３全域において、肉眼視での濃度の不均衡が緩和される。
【００９７】
この状態で、図４に示されたように、万線フィルタ又はレンチキュラーレンズから成る判別具２を印刷物１上の印刷模様３に重ね合わせ、正面から目視で観察することによって、図５に示されたように、印刷模様３に施されている不可視画像５を可視画像として発現させることができる。なお、長さＳが３４０μｍで、印刷模様３がオフセット印刷によりコート紙に印刷されている。しかし、長さＳ、印刷物の基材、印刷方法、印刷材料、印刷装置等について何ら限定するものでない。印刷模様３と判別具２の重ねる位置によって不可視画像５は、ネガ画像として視認されたり、ポジ画像として視認されたりする。なお、偽造防止用印刷物Ｃ１に埋め込まれた不可視画像５は、判別具（レンチキュラーレンズ又は万線フィルタ）２を重ねていない状態では確認することができない。
【００９８】
印刷物上の所定の位置に、判別具であるレンチキュラーレンズにおける各レンズの中心線が画線Ａの中心、すなわち図３（ａ）における線Ｌ１に一致するように載置する。この場合、画線Ａが拡大された状態となるため、画線Ａにより構成されている画像（模様）が確認できることとなる。画線Ａ’が拡大されるように縦軸方向に沿って判別具を移動させた場合、画線Ａにより視認された不可視画像のネガポジが反転して視認される。
【００９９】
（偽造防止用印刷物Ｃ２）
偽造防止用印刷物Ｃ２について詳細に説明する。図６に、偽造防止用印刷物Ｃ２に対する印刷模様の一画線の基本を部分的に拡大して示す。ここで、縦横の寸法Ｓは、例えば、４２３μｍというように１ｍｍ以下の大きさである。このような画線はユニットと称する最小単位であり、印刷物の表面上においてマトリクス状に規則的に配置される。各画線は、少なくとも三つ以上の画線要素を備えている。画線Ａ（第１の画線）と画線Ａ’（第２の画線）とは、対を成しており、相互にオン、オフの関係にある。このオン、オフの関係とは、例えば、一方が黒（オン）のときは他方は白（オフ）、一方が有着色のときは他方は無着色であり、双方ともに黒又は双方ともに白であることがないということである。そして、画線Ａと画線Ａ’とは、面積が同一である。このような画線Ａと画線Ａ’とが存在することで通常の可視条件下では視認されず、画線Ａのみにより不可視画像（ネガ又はポジ）、画線Ａ’のみにより不可視画像（ポジ又はネガ）がそれぞれ形成されている。
【０１００】
画線Ｄ（第３の画線）は、可視画像を構成する要素であり、通常の視認状態において肉眼で視認される任意の連続階調から成る模様を構成する。なお、画線Ｄは、画線Ａと画線Ａ’、との間に配置される。図６に示される領域Ｔは、画線Ｄの最大領域を示したものであり、この領域内であれば画線Ｄは、通常の印刷用網点の他、画線の大小、画線の濃度変化、画線の粗密又はＦＭスクリーン等のランダムドットの集合であっても良く、その形状は何ら限定するものではない。前述の粗密とは、一定領域内に配置される同一画線面積を有する画線量の変化であり、配置密度が高い領域はシャドー、配置密度が低い領域がハイライトを再現するものである。そのため、画線の粗密を任意に設定することにより、連続階調を再現するものである。
【０１０１】
また、さらに、画線Ｄは、単色に限らず、例えば、シアン、マゼンタ、イエロー及びブラックの減法混色から成る複数の画線によって構成しても良い。これにより、任意の連続階調から成る模様は、カラー画像として表現することができる。色彩については特に限定されるものではない。また、銀インキ等の光輝性インキで印刷することができる。
【０１０２】
図７は、偽造防止用印刷物Ｃ２に印刷された印刷模様３を構成するマトリクス状に配置された構成が解るように簡易的に示した模式図である。なお、図７は、同じ印刷物であって、不可視画像とその位置構成が解るように太実線で簡易的に示した模式図であり、図７は不可視画像「Ａ」の位置を表したものである。
【０１０３】
図７で示された印刷模様３の状態でも、肉眼視において不可視画像を施している状態になっているが、マトリクス状に配置されたユニットの近傍部にて部分的に濃度が高く（濃く）見えたり、また、部分的に濃度が低く（淡く）見えたりして、肉眼視では濃度が不均衡となって見えることもある。こうした濃度の不均衡は、画線Ｄにて表現する連続階調から成る模様に対する雑音成分となり、可視画像の視認性を悪くするという問題がある。
【０１０４】
この濃度の不均衡に見えるのを緩和するため、最小単位であるユニット［ｈ，ｖ］ごとに、画線の削除並びに追加を実行するものである。なお、［ｖ］はユニットを縦上から数えたステップ数で、［ｈ］はユニットを横左から数えたステップ数である。まず、マトリクス状に配置した列ごとのユニット［ｈ，ｖ］において、順次画線Ａ［ｈ，ｖ］及び画線Ａ’［ｈ，ｖ］の検知が行われる。なお、画線Ａ［ｈ，ｖ］及び画線Ａ’［ｈ，ｖ］を検知する方法は、例えば、印刷模様３がビットマップ形式の２値画像の場合、処理すべきユニット内において、一般的にラベリングと呼ばれる処理によって、画線Ａ［ｈ，ｖ］又は画線Ａ’［ｈ，ｖ］を識別して削除しても良い。
【０１０５】
次に、ユニット［ｈ，ｖ］に画線Ａ’［ｈ，ｖ］を有し、かつ、ユニット［ｈ，ｖ＋１］に画線Ａ［ｈ，ｖ＋１］を有する条件に一致したとき、ユニット［ｈ，ｖ］における本来配置される位置である画線Ａ’［ｈ，ｖ］の削除が行われる。すなわち、図８（ａ）に示されるように、ユニット［ｈ，ｖ］、ユニット［ｈ，ｖ＋１］、ユニット［ｈ，ｖ＋２］の配置の際、ユニット［ｈ，ｖ］の画線Ａ’［ｈ，ｖ］とユニット［ｈ，ｖ＋１］の画線Ａ［ｈ，ｖ＋１］が隣接している場合、図８（ｂ）に示されるように、ユニット［ｈ，ｖ］の画線Ａ’［ｈ，ｖ］が削除される。
【０１０６】
図９は、偽造防止用印刷物Ｃ２におけるユニット［ｈ，ｖ］の画線構成を示した平面図である。基本的な画線構成は、図６で示されたものと同様であるが、連続階調を奏する画線Ｄの他に、濃度の不均衡を緩和させるため、画線ａ、画線Ｅを設けている。画線ａ及び画線Ｅの位置は、図６における画線Ｄが占める領域内にあって、画線Ａ、画線Ａ’と隣接し、画線Ｄの周囲に配置されているが、画線Ａ、画線Ａ’及び画線Ｄが存在しない所定の領域に配置すれば良い。濃度の不均衡を緩和させるためのユニット［ｈ，ｖ］内における画線ａ及び画線Ｅの合計画線面積は、ユニット［ｈ，ｖ］内における画線Ａ又は画線Ａ’の画線面積の半分又は略半分である。この略半分の画線面積とは、画線Ａ又は画線Ａ’の画線面積率を１００％としたとき、４０％〜６０％の画線面積率のことであり、４０％以下の画線面積率とした場合には、濃度が淡く見えることから濃度の不均衡を緩和することができず、６０％を超える画線面積率とした場合には、濃度が濃く見えることから濃度の不均衡を緩和することができないからである。なお、下記に示す実施の形態における略半分についても同様である。また、画線Ｄは、図１０に示される任意の連続階調から成る模様４を構成するもので、ハイライトからシャドーの連続階調に応じて画線Ｄの大きさが変化することで、図１０に示された模様４の濃淡を決定している。なお、画線Ｄは、ユニットの第１の画線又は第２の画線が形成される内部及び／又はユニット同士の境界線を中心又は略中心に配置される。
【０１０７】
次に、ユニット［ｈ，ｖ］に画線Ａ［ｈ，ｖ］を有し、かつ、ユニット［ｈ，ｖ＋１］に画線Ａ’［ｈ，ｖ＋１］を有する条件に一致したとき、ユニット［ｈ，ｖ］とユニット［ｈ，ｖ＋１］の間に画線ａの追加を行う。すなわち、図１１（ｂ）に示されるように、ユニット［ｈ，ｖ］の画線Ａとユニット［ｈ，ｖ＋１］の画線Ａ’の中間付近に、画線Ａ又は画線Ａ’の半分又は略半分の画線面積を有する画線ａ（ユニットごとの合計面積：第４の画線）が追加される。これにより、ユニット［ｈ，ｖ］とユニット［ｈ，ｖ＋１］間における肉眼視での濃度の不均衡が緩和される。
【０１０８】
次に、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ［ｈ，ｖ＋２］を有する条件に一致したとき、処理ｆ７にて、ユニット［ｈ，ｖ］とユニット［ｈ，ｖ＋２］の間に画線Ｅの追加を行う。すなわち、図１１（ｃ）に示されるように、ユニット［ｈ，ｖ］の画線Ａ’とユニット［ｈ，ｖ＋２］の画線Ａの中間付近に、画線Ａ又は画線Ａ’の半分又は略半分の画線面積を有する画線Ｅ（第４の画線）が追加される。これにより、ユニット［ｈ，ｖ］とユニット［ｈ，ｖ＋２］間における肉眼視での濃度の不均衡が緩和される。
【０１０９】
次に、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ’［ｈ，ｖ＋２］を有する条件に一致したとき、ユニット［ｈ，ｖ］とユニット［ｈ，ｖ＋２］の間に画線Ｅ及び画線ａの追加を行う。すなわち、図１１（ｄ）に示されるように、ユニット［ｈ，ｖ］の画線Ａ’とユニット［ｈ，ｖ＋２］の画線Ａ’の中心又は略中心に、画線Ａ又は画線Ａ’の半分又は略半分の画線面積を有する画線Ｅ及び画線ａ（第４の画線）が追加される。これにより、ユニット［ｈ，ｖ］とユニット［ｈ，ｖ＋２］間における肉眼視での濃度の不均衡が緩和される。よって、これら処理を印刷模様３に適用された場合、印刷模様３全域において、肉眼視での濃度の不均衡が緩和される。なお、画線ａ、画線Ｅのユニット内に配置される位置は、特に限定させることなく、画線Ａ、画線Ａ’及び画線Ｄが存在しない領域に配置される。
【０１１０】
（偽造防止用印刷物Ｃ３）
偽造防止用印刷物Ｃ２で示された濃度の不均衡の緩和方法は、ユニット［ｈ，ｖ］の画線構成において、連続階調を奏する画線Ｄの他に、濃度の不均衡を緩和させるため画線ａ、画線Ｅを、図６における画線Ｄが占める領域内に設けているが、本発明の効果を妨げない範囲であれば、画線Ｄが占める領域の外にあっても良い。図１２（ａ）は、偽造防止用印刷物Ｃ３におけるユニット［ｈ，ｖ］の画線構成を示したものである。基本的な画線構成は図６で示されたものと同様で、濃度の不均衡を緩和させるための画線ａ、画線Ｅの役割は偽造防止印刷物Ｃ２と同じである。また、画線ａ、画線Ｅの位置は、画線Ａ及び画線Ａ’と隣接し、かつ、図６で示された画線Ｄが占める領域の外にある。ユニット［ｈ，ｖ］内における画線ａ、画線Ｅのそれぞれの画線面積は、ユニット［ｈ，ｖ］内における画線Ａ又は画線Ａ’の画線面積の半分又は略半分である。なお、画線Ｄは、図１０に示される任意の連続階調から成る模様４を構成するもので、図１２（ｂ）の概念図に示されるように、ハイライトからシャドーの連続階調に応じて画線Ｄの大きさが変化することで、図１０に示された模様４の濃淡を決定している。
【０１１１】
さらに、マトリクス状に配置されたユニットの近傍部にて部分的に濃度が高く（濃く）見えたり、また、部分的に濃度が低く（淡く）見えたりして、肉眼視では濃度が不均衡となって見えるため、偽造防止用印刷物Ｃ２と同様に、画線Ａ’の削除を行う。その結果、図８（ｂ）に示されたものと同じ構成となる。
【０１１２】
次に、偽造防止用印刷物Ｃ２と同様に、肉眼視での濃度の不均衡が緩和させるための画線ａ、画線Ｅを、図７の印刷模様３に適用することによって、図１３（ａ）〜（ｄ）に示される画線構成となる。さらに、図１４に示される印刷模様３全域において、肉眼視での濃度の不均衡が緩和される。
【０１１３】
（偽造防止用印刷物Ｃ４）
偽造防止用印刷物Ｃ２及び偽造防止用印刷物Ｃ３で示された濃度の不均衡の緩和方法は、ユニット［ｈ，ｖ］の画線構成において、濃度の不均衡を緩和させるため画線ａ、画線Ｅを、連続階調を奏する画線Ｄの周囲に設けているが、本発明の効果を妨げない範囲であれば、図６で示された画線Ｄが占める領域の中心にあっても良い。図１５（ａ）は、偽造防止用印刷物Ｃ４におけるユニット［ｈ，ｖ］の画線構成を示したものである。基本的な画線構成は、図６で示されたものと同様で、濃度の不均衡を緩和させるための画線ａ、画線Ｅの役割は、偽造防止用印刷物Ｃ２及び偽造防止用印刷物Ｃ３と同じである。また、画線ａ、画線Ｅの位置は、画線Ａ及び画線Ａ’と接することはなく、かつ、図６で示された画線Ｄが占める領域の中心にある。ユニット［ｈ，ｖ］内における画線ａ、画線Ｅのそれぞれの画線面積は、ユニット［ｈ，ｖ］内における画線Ａ、画線Ａ’の画線面積の半分又は略半分である。なお、画線Ｄは、濃度の不均衡を緩和させるための画線ａ、画線Ｅを取り巻くドーナツ状の画線であり、図１０に示される任意の連続階調から成る模様４を構成するもので、図１５（ｂ）の概念図に示されるように、ハイライトからシャドーの連続階調に応じて画線Ｄのドーナツ状の画線の幅が変化することで、図１０に示された模様４の濃淡を決定している。
【０１１４】
さらに、マトリクス状に配置されたユニットの近傍部にて部分的に濃度が高く（濃く）見えたり、また、部分的に濃度が低く（淡く）見えたりして、肉眼視では濃度が不均衡となって見えるため、偽造防止用印刷物Ｃ２と同様に、画線Ａ’の削除を行う。その結果、図８（ｂ）に示されたものと同じ構成となる。
【０１１５】
次に、偽造防止用印刷物Ｃ２及び偽造防止用印刷物Ｃ３と同様に、肉眼視での濃度の不均衡を緩和させるための画線ａ、画線Ｅを、図７の印刷模様３に適用することによって、図１６（ａ）〜（ｄ）に示される画線構成となる。さらに、図１７に示される印刷模様３全域において、肉眼視での濃度の不均衡が緩和される。
【０１１６】
（偽造防止用印刷物Ｃ５）
偽造防止用印刷物Ｃ２乃至Ｃ４で示された濃度の不均衡の緩和方法は、ユニット［ｈ，ｖ］の画線構成において、濃度の不均衡を緩和させるため画線ａ、画線Ｅを、連続階調を奏する画線Ｄの周囲に設けているが、本発明の効果を妨げない範囲であれば、図６に示された画線Ｄを取り巻く配置にあっても良い。図１８（ａ）は、偽造防止用印刷物Ｃ５におけるユニット［ｈ，ｖ］の画線構成を示したものである。基本的な画線構成は図６で示されたものと同様で、濃度の不均衡を緩和させるための画線ａ、画線Ｅの役割は偽造防止用印刷物Ｃ２乃至Ｃ４と同じである。また、画線ａ、画線Ｅの位置は、画線Ａ、画線Ａ’と接することはなく、かつ図６で示された画線Ｄを取り巻く配置にある。ユニット［ｈ，ｖ］内における画線ａ、画線Ｅのそれぞれの画線面積は、ユニット［ｈ，ｖ］内における画線Ａ、画線Ａ’の画線面積の半分又は略半分である。なお、画線Ｄは円状の画線であり、その画線Ｄを取り巻くように濃度の不均衡を緩和させるための画線ａ、画線Ｅが配置され、図１０に示される任意の連続階調から成る模様４を構成している。図１８（ｂ）の概念図に示されるように、ハイライトからシャドーの連続階調に応じて画線Ｄの多さが変化するのに対し、画線Ｄを取り巻く画線ａ、画線Ｅは、画線Ｄの形状に合わせながらもハイライトからシャドーの中で画線面積は変化しないことで、図１０に示された模様４の濃淡を決定している。
【０１１７】
さらに、マトリクス状に配置されたユニットの近傍部にて部分的に濃度が高く（濃く）見えたり、また、部分的に濃度が低く（淡く）見えたりして、肉眼視では濃度が不均衡となって見えるため、偽造防止用印刷物Ｃ２と同様に、画線Ａ’の削除を行う。その結果、図８（ｂ）に示されたものと同じ構成となる。
【０１１８】
次に、偽造防止用印刷物Ｃ２と同様に、肉眼視での濃度の不均衡を緩和させるための画線ａ、画線Ｅを、図７の印刷模様３に適用することによって、図１９（ａ）〜（ｄ）に示される画線構成となる。さらに、図２０に示される印刷模様３全域において、肉眼視での濃度の不均衡が緩和される。
【０１１９】
また、印刷模様３を構成する画線中に、ユニット［ｈ，ｖ］内に画線Ａ又はＡ’が完全に欠落したものができることがある。この場合、画線Ａ又はＡ’と略同じ画線面積を有する画線を、少なくとも図６で示された画線Ｄが配置される領域内に追加することが望ましい。これにより、肉眼視での濃度の不均衡が一層緩和される。
【０１２０】
（偽造防止用印刷物Ｃ６）
上述した偽造防止用印刷物Ｃ２乃至Ｃ５では、図２１に示された印刷模様３の部分拡大図（図２１の円内）のように、印刷模様３における連続階調から成る模様４が画線Ｄの大きさが連続的に変化していることで写真画像を表現している。しかし、偽造防止用印刷物Ｃ２乃至Ｃ５は、ユニットの寸法が４２３μｍであるから、連続階調におけるハイライト部の表現は微細な画線となるため、その微細な画線が表現できる解像度を有する印刷方法及び手段が必要となる。偽造防止用印刷物Ｃ６は、画線Ａ及び画線Ａ’が少なくとも解像できる印刷方法及び手段で実施できるように、同じ大きさから成る画線Ｄであっても良い。つまり、図２２に示される印刷模様３の部分拡大図（図２２の円内）のように、図６で示された画線Ｄの占める領域に同一の画線面積にて成る着色された部分が、マトリクス状に配置されたユニットごとにランダムに着色されて相対的な写真階調を表現しても良い。このように画線Ｄを着色するための方法として公知の階調表現方法であるディザ法を用いても良い。これにより解像度の低いプリンタ等においても連続階調画像を備えた可視画像を設けることができる。なお、図２１及び図２２は、ユニット内に構成する各々の画線の基本的な位置関係をわかりやすくするため、画線Ａ及び画線Ａ’がすべて着色された状態で表している。
【０１２１】
（偽造防止用印刷物Ｃ７）
上述した偽造防止用印刷物Ｃ２乃至Ｃ６では、図２１に示された印刷模様３の部分拡大図（図２１の円内）のように、印刷模様３における連続階調から成る模様４が画線Ｄの大きさが連続的に変化していることで写真画像を表現している。しかし、偽造防止用印刷物Ｃ２乃至Ｃ６は、特にオフセット印刷、凸版印刷、スクリーン印刷等の一般的にプリプレスと呼ばれる商用印刷での適用性を高めたものであり、本発明の技術はこれに限らない。偽造防止用印刷物Ｃ７は、画線Ｄがグレースケール的に適当な濃度で塗りつぶされた画線とされている。つまり、図２３に示される印刷模様３の部分拡大図（図２３の円内）のように、図６で示された画線Ｄの占める領域が、マトリクス状に配置されたユニットごとにグレースケール的に適当な濃度で着色されて相対的な写真階調を表現しても良い。このように画線Ｄの占める領域を着色するための方法として、写真高画質が印刷可能なインクジェットプリンタによっても連続階調画像を備えた可視画像を設けることができる。さらに、印刷物１に銀塩式感光材料が塗布された印画紙を用いても良い。なお、図２１乃至図２３は、ユニット内に構成する各々の画線の基本的な位置関係をわかりやすくするため、画線Ａ及び画線Ａ’がすべて着色された状態で表している。
【０１２２】
上記記載の画線Ａ、画線Ａ’、画線Ｄ、画線ａ及び画線Ｅは、本発明の効果を満足するものであれば如何なる形状であっても良い。
【０１２３】
（網点データを作製する装置Ａ１）
前述した網点データを作製するための装置を、図２４に示す装置のブロック図をもとに説明する。網点データを作製する装置Ａ１は、画像入力手段１１、項目設定手段１２、演算手段１３及び画像出力手段１４を有している。
【０１２４】
（画像入力手段）
画像入力手段１１は、レンチキュラーレンズ又は万線フィルタを重ねた場合に不可視画像が潜像画像として視認される基となる図２５（ａ）に示すような第１の画像データ２３を入力する手段である。第１の画像データ２３の濃度補正は適宜行うことができる。第１の画像データ２３は、個人情報等のテキストファイル（ＴＸＴ形式、ＣＳＶ形式）から所定の情報を取り出してイメージファイルに変換することで取得しても良い。
【０１２５】
（項目設定手段）
項目設定手段１２は、図２６に示すように網点データにおける解像度の設定を行う生成データ解像度設定部１５、着色の設定を行う着色設定部１６、第１の画線、第２の画線及び第４の画線の網点形状の設定を行う網点形状設定部１７を有し、設定項目ごとに設定を行う。
【０１２６】
（生成データ解像度設定部）
生成データ解像度設定部１５は、本発明における網点データの解像度を設定する。解像度の設定は、任意の解像度を入力しても良く、又はあらかじめ記憶してある複数の解像度から選択しても良い。
【０１２７】
（着色設定部）
着色設定部１６は、第１の画線、第２の画線及び第４の画線における『Ｃ』、『Ｍ』、『Ｙ』及び／又は『Ｋ』と背景部における『Ｃ』、『Ｍ』、『Ｙ』及び／又は『Ｋ』の設定を、任意に設定により設定する。『Ｃ』は、網点データから作製される偽造防止用印刷物に対するシアン成分の割合を示すものであり、『Ｍ』は、偽造防止用印刷物に対するマゼンタ成分の割合を示すものであり、『Ｙ』は、偽造防止用印刷物に対するイエロー成分の割合を示すものであり、『Ｋ』は、偽造防止用印刷物に対するブラック成分の割合を示すものである。なお、本発明の着色設定部の色彩は、『Ｃ』、『Ｍ』、『Ｙ』及び『Ｋ』に限定されることはなく、特色、蛍光インキ、金インキ、銀インキ等のプリンタで出力可能な色彩であればよい。
【０１２８】
（網点形状設定部）
網点形状設定部１７は、ユニットの高さ及び幅、ユニット内に形成する第１の画線、第２の画線及び第４の画線の網点形状を設定する。
【０１２９】
（演算手段）
演算手段１３は、画像入力手段１１によって入力された第１の画像データ２３を項目設定手段１２によって設定された内容で第１の画線及び第２の画線から成る不可視画像を有する画像データを形成し、さらに、不可視画像を有する画像データ及び濃度の不均衡を緩和するための第４の画線を合成し、図２５（ｇ）に示すように合成画像データ２６（網点データ）を生成する。
【０１３０】
演算手段１３は、図２７に示すように、輪郭抽出部１８、不可視画像配置部１９、画線削除部２０及び濃度不均衡緩和画線配置部２１を有する。
【０１３１】
（輪郭抽出部）
輪郭抽出部１８は、図２５（ａ）に示した第１の画像データ２３の輪郭を抽出し、図２５（ｂ）に示すように第１の画像データの輪郭画像データ２４を生成する。
【０１３２】
（不可視画像配置部）
不可視画像配置部１９は、輪郭画像データ２４を用いて、図２５（ｃ）に示すようにユニットを輪郭内部の輪郭内部ユニット２４ａ１と輪郭外部の輪郭外部ユニット２４ｂ１に区分けして、図２５（ｄ）に示すように輪郭内部ユニット２４ａ１内に第１の画線又は第２の画線のいずれか一方をオンにして他方をオフにして配置し、輪郭外部ユニット２４ｂ１内に第１の画線又は第２の画線の他方をオンにして一方をオフにして配置する。
【０１３３】
（画線削除部）
画線削除部２０は、図２５（ｅ）に示すように輪郭内部ユニット２４ａ１内及び輪郭外部ユニット２４ｂ１内に配置された第１の画線及び第２の画線において、隣接して配置された第１の画線及び第２の画線がともにオン状態の場合に、第１の画線又は第２の画線のいずれか一方の画線を削除することでオフとする。
【０１３４】
（濃度不均衡緩和画線配置部）
濃度不均衡緩和画線配置部２１は、図２５（ｆ）に示すように第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線を、第１の画線と第２の画線の境界線を中心又は略中心として配置する。本発明で記載される略同色とは、色差ΔEが２以下のことを言う。
【０１３５】
（画像出力手段）
画像出力手段１４は、作製された網点データをもとに版面及び／又は印刷物を得る。画像出力手段１４の具体例としては、ハードディスク等の記憶装置、フィルム版面出力機等の製版装置又はプリンタ等の印刷装置が挙げられる。
【０１３６】
（網点データ作製用ソフトウェアにおける操作画面）
図２８に、網点データを作製するソフトウェアにおける操作画面の一例について示す。操作画面は、「画像入力設定部」及び「項目設定部」を有する。項目設定部は、「生成データ解像度設定部」、「着色設定部」及び「網点形状設定部」を有する。
【０１３７】
（画像入力設定部）
「画像入力設定部」（ａ）は、上述した画像入力手段に入力されるべき、不可視画像となる第１の画像データを入力する。第１の画像データの入力方法は、網点データの設計者（以下、「設計者」という。）が、例えば、あらかじめハードディスクに記録された画像ファイルを読み込むことで指定しても良い。第１の画像データの濃度補正は適宜行うことができる。
【０１３８】
（生成データ解像度設定部）
「生成データ解像度設定部」（ｂ）は、上述した項目設定手段により、本発明における網点データの解像度を設定する。解像度の設定は、設計者が任意に入力しても良く、あらかじめ記憶してある複数の解像度から選択しても良い。ここで設定する解像度は、網点データから作製される印刷物を得るために使用する製版装置又は印刷装置の解像度に合わせることが好ましく、例えば、フィルム版面出力機であれば２５４０ＤＰＩの解像度が一般的である。
【０１３９】
（着色設定部）
「着色設定部」（ｃ）は、上述した項目設定手段により、設計者が不可視画像を有する第１の画像データの第１の画線及び第２の画線、濃度の不均衡を緩和するための第４の画線における『Ｃ』、『Ｍ』、『Ｙ』及び『Ｋ』の設定を行う。この設定は、推奨値による自動設定の場合と設計者による任意設定の場合とがある。また、『その他』として特色、蛍光インキ、金インキ、銀インキ等の設定を行うこともできる。ただし、第１の画線、第２の画線及び第４の画線は、同色の必要がある。
【０１４０】
着色設定は、０％〜１００％の範囲で行う。０％の場合は完全な白であり、１００％の場合は画像として表現可能な最も濃い色となる。
【０１４１】
着色設定のうちの『Ｃ』は、網点データから作製される偽造防止用印刷物に対するシアン成分の割合を設定するものであり、『Ｍ』は、偽造防止用印刷物に対するマゼンタ成分の割合を設定するものであり、『Ｙ』は、偽造防止用印刷物に対するイエロー成分の割合を設定するものであり、『Ｋ』は、偽造防止用印刷物に対するブラック成分の割合を設定するものを示している。
【０１４２】
ここで指定された着色設定は、後に画像出力手段によって解釈され、印刷物又は版面等の出力物の結果に影響を与える。着色設定の解釈方法及びその影響は、各画像出力手段に依存するが、例えば、家庭用インクジェットプリンタによる出力時には、着色設定の値の大小は『Ｃ』、『Ｍ』、『Ｙ』及び『Ｋ』各インクの吐出量及び着弾インク密度の大小に影響を与えるのが一般的であり、例えば、フィルム版面出力機による出力時には、『Ｃ』、『Ｍ』、『Ｙ』及び『Ｋ』の各版面の網点面積の大小に影響を与えるのが一般的である。
【０１４３】
（網点形状設定部）
「網点形状設定部」（ｄ）は、上述した項目設定手段により、図３（ｅ）に示す合成画像データのユニットのサイズを設定する。設定するユニットのサイズとしてはユニットの高さ及び幅の設定を行い、操作者が入力する。
【０１４４】
また、「網点形状設定部」（ｄ）は、前述した項目設定手段により、不可視画像を有する第１の画像データの第１の画線の形状及び第２の画線の形状の設定、濃度の不均衡を緩和するための第４の画線の形状を設定する。
【０１４５】
さらに、「網点形状設定部」（ｄ）は、前述した項目設定手段により、不可視画像を有する第１の画像データの第１の画線のサイズ及び第２の画線のサイズの設定、濃度の不均衡を緩和するための第４の画線のサイズを設定する。設定する画線のサイズとしては不可視画像を有する第１の画線の高さと幅、第２の画線の高さと幅、濃度の不均衡を緩和するための第４の画線の高さと幅の設定を行う。なお、第１の画線と第２の画線の画線面積率は同一の必要があり、濃度の不均衡を緩和するための第４の画線は、第１の画線及び第２の画線における半分又は略半分の画線面積率の必要がある。第１の画線及び第２の画線のサイズは、ユニット内に配置されるため、ユニットの設定サイズよりも小さいサイズで設定される。同様に、第４の画線もユニットの設定サイズよりも小さいサイズで設定される。
【０１４６】
不可視画像を有する第１の画像データの第１の画線の形状及び第２の画線の形状の種類としては、『長円形』、『長方形』、『半円形』、『ドーナツ形』、『円形』又は『正方形』が挙げられる。濃度の不均衡を緩和するための第４の画線の種類としては、『円形』、『半円形』、『ドーナツ形』、『正方形』又は『長方形』が挙げられる。ただし、画線の形状については、本実施の形態に挙げた種類に限定されるものではなく、他の形状をソフトウェアに追加して、それを読み込んで選択しても構わない。
【０１４７】
（網点データを作製する装置Ａ２）
前述した網点データを作製するための装置Ａ２を、図２９に示す装置のブロック図をもとに説明する。網点データを作製する装置は、画像入力手段１１’、項目設定手段１２’、演算手段１３’及び画像出力手段１４’を有している。
【０１４８】
（画像入力手段）
画像入力手段１１’は、レンチキュラーレンズ又は万線フィルタを重ねた場合に不可視画像が潜像画像として視認される基となる図３０（ａ）に示すような第１の画像データ２３’と、図３０（ｂ）に示すような可視画像として視認される基となる第２の画像データ２５を入力する手段である。可視画像として視認される基となる第２の画像データ２５は、二値画像データ、階調画像データであっても良い。第１の画像データ２３’及び第２の画像データ２５の濃度補正は適宜行うことができる。第１の画像データ２３’は、個人情報等のテキストファイル（ＴＸＴ形式、ＣＳＶ形式）から所定の情報を取り出してイメージファイルに変換することで取得しても良い。
【０１４９】
（項目設定手段）
項目設定手段１２’は、図３１に示すように網点データにおける解像度の設定を行う生成データ解像度設定部１５’、着色の設定を行う着色設定部１６’、第１の画線、第２の画線、第３の画線及び第４の画線の網点形状の設定を行う網点形状設定部１７’を有し、設定項目ごとに設定を行う。
【０１５０】
（生成データ解像度設定部）
生成データ解像度設定部１５’は、本発明における網点データの解像度を設定する。解像度の設定は、任意の解像度を入力しても良く、又はあらかじめ記憶してある複数の解像度から選択しても良い。
【０１５１】
（着色設定部）
着色設定部１６’は、第１の画線、第２の画線、第３の画線及び第４の画線における『Ｃ』、『Ｍ』、『Ｙ』及び／又は『Ｋ』と背景部における『Ｃ』、『Ｍ』、『Ｙ』及び／又は『Ｋ』の設定を、任意に設定により設定する。『Ｃ』は、網点データから作製される偽造防止用印刷物に対するシアン成分の割合を示すものであり、『Ｍ』は、偽造防止用印刷物に対するマゼンタ成分の割合を示すものであり、『Ｙ』は、偽造防止用印刷物に対するイエロー成分の割合を示すものであり、『Ｋ』は、偽造防止用印刷物に対するブラック成分の割合を示すものである。なお、本発明の着色設定部の色彩は、『Ｃ』、『Ｍ』、『Ｙ』及び『Ｋ』に限定させることなく、特色、蛍光インキ、金インキ、銀インキ等のプリンタで出力可能な色彩であれば限定されることがない。
【０１５２】
（網点形状設定部）
網点形状設定部１７’は、ユニットの高さ及び幅、ユニット内に形成する第１の画線、第２の画線、第３の画線及び第４の画線の網点形状を設定する。
【０１５３】
（演算手段）
演算手段１３’は、画像入力手段１１’によって入力された第１の画像データ２３’及び第２の画像データ２５を項目設定手段１２’によって設定された内容で第１の画線及び第２の画線から成る不可視画像を有する画像データを形成し、第３の画線から成る可視画像となる画像データを形成し、さらに、不可視画像を有する画像データ、可視画像となる画像データ及び濃度の不均衡を緩和するための第４の画線を合成し、図３０（ｉ）に示すように合成画像データ２６’（網点データ）を生成する。
【０１５４】
演算手段１３’は、図３２に示すように、輪郭抽出部１８’、不可視画像配置部１９’、可視画像配置部２２、画線削除部２０’及び濃度不均衡緩和画線配置部２１’を有する。
【０１５５】
（輪郭抽出部）
輪郭抽出部１８’は、図３０（ａ）に示した第１の画像データ２３’の輪郭を抽出し、図３０（ｃ）に示すような第１の画像データの輪郭画像データ２４’を生成する。
【０１５６】
不可視画像配置部１９’は、輪郭画像データ２４’を用いて、図３０（ｄ）に示すようにユニットを輪郭内部の輪郭内部ユニット２４ａ１’と輪郭外部の輪郭外部ユニット２４ｂ１’に区分けして、図３０（ｅ）に示すように輪郭内部ユニット２４ａ１’内に第１の画線又は第２の画線のいずれか一方をオンにして他方をオフにして配置し、輪郭外部ユニット２４ｂ１’内に第１の画線又は第２の画線の他方をオンとして一方をオフにして配置する。
【０１５７】
（可視画像配置部）
可視画像配置部は、図３０（ｆ）に示すようにユニットの第１の画線又は第２の画線が形成される内部及び／又はユニット同士の境界線を中心又は略中心に可視画像を形成するための第３の画線を配置する。
【０１５８】
（画線削除部）
画線削除部２０は、図３０（ｇ）に示すように輪郭内部ユニット２４ａ１’内及び輪郭外部ユニット２４ｂ１’内に配置された第１の画線及び第２の画線において、隣接して配置された第１の画線及び第２の画線がともにオン状態の場合に、第１の画線又は第２の画線のいずれか一方の画線を削除することでオフとする。
【０１５９】
（濃度不均衡緩和画線配置部）
濃度不均衡緩和画線配置部２１’は、図３０（ｈ）に示すように第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線を、第１の画線、第２の画線及び第３の画線が存在しない所定の領域に配置する。
【０１６０】
（画像出力手段）
画像出力手段１４’は、作製された網点データをもとに版面及び／又は印刷物を得る。画像出力手段の具体例としては、ハードディスク等の記憶装置、フィルム版面出力機等の製版装置又はプリンタ等の印刷装置が挙げられる。
【０１６１】
（網点データ作製用ソフトウェアにおける操作画面）
図３３に、網点データを作製するソフトウェアにおける操作画面の一例について示す。操作画面は、「画像入力設定部」及び「項目設定部」を有する。項目設定部は、「生成データ解像度設定部」、「着色設定部」及び「網点形状設定部」を有する。
【０１６２】
（画像入力設定部）
「画像入力設定部」（ａ）は、上述した画像入力手段に入力されるべき、不可視画像となる第１の画像データ及び可視画像となる第２の画像を入力する。第１の画像データ及び第２の画像データの入力方法は、網点データの設計者が、例えば、あらかじめハードディスクに記録された画像ファイルを読み込むことで指定しても良い。第１の画像データ及び第２の画像データの濃度補正は適宜行うことができる。
【０１６３】
（生成データ解像度設定部）
「生成データ解像度設定部」（ｂ）は、上述した項目設定手段により、本発明における網点データの解像度を設定する。解像度の設定は、設計者が任意に入力しても良く、あらかじめ記憶してある複数の解像度から選択しても良い。ここで設定する解像度は、網点データから作製される印刷物を得るために使用する製版装置又は印刷装置の解像度に合わせることが好ましく、例えば、フィルム版面出力機であれば２５４０ＤＰＩの解像度が一般的である。
【０１６４】
（着色設定部）
「着色設定部」（ｃ）は、上述した項目設定手段により、設計者が不可視画像を有する第１の画像データの第１の画線及び第２の画線、可視画像データである第３の画線、濃度の不均衡を緩和するための第４の画線における『Ｃ』、『Ｍ』、『Ｙ』及び『Ｋ』の設定を行う。この設定は、推奨値による自動設定の場合と設計者による任意設定の場合とがある。また、『その他』として特色、蛍光インキ、金インキ、銀インキ等の設定を行うこともできる。ただし、第１の画線、第２の画線及び第４の画線は、同色の必要がある。第３の画線の色彩は、第１の画線、第２の画線及び第４の画線と同色であっても異なっていても良い。また、第３の画線は、階調を有する顔画像等からなるフルカラーの色彩であってもよい。
【０１６５】
着色設定は、０％〜１００％の範囲で行う。０％の場合は完全な白であり、１００％の場合は画像として表現可能な最も濃い色となる。
【０１６６】
着色設定のうちの『Ｃ』は、網点データから作製される偽造防止用印刷物に対するシアン成分の割合を設定するものであり、『Ｍ』は、偽造防止用印刷物に対するマゼンタ成分の割合を設定するものであり、『Ｙ』は、偽造防止用印刷物に対するイエロー成分の割合を設定するものであり、『Ｋ』は、偽造防止用印刷物に対するブラック成分の割合を設定するものを示している。
【０１６７】
ここで指定された着色設定は、後に画像出力手段によって解釈され、印刷物又は版面等の出力物の結果に影響を与える。着色設定の解釈方法及びその影響は、各画像出力手段に依存するが、例えば、家庭用インクジェットプリンタによる出力時には、着色設定の値の大小は『Ｃ』、『Ｍ』、『Ｙ』及び『Ｋ』各インクの吐出量及び着弾インク密度の大小に影響を与えるのが一般的であり、例えば、フィルム版面出力機による出力時には、『Ｃ』、『Ｍ』、『Ｙ』及び『Ｋ』各版面の網点面積の大小に影響を与えるのが一般的である。
【０１６８】
（網点形状設定部）
「網点形状設定部」（ｄ）は、上述した項目設定手段により、図１１（ｅ）に示す合成画像データのユニットのサイズを設定する。設定するユニットのサイズとしてはユニットの高さ及び幅の設定を行い、操作者が入力する。
【０１６９】
また、「網点形状設定部」（ｄ）は、前述した項目設定手段により、不可視画像を有する第１の画像データの第１の画線の形状及び第２の画線の形状の設定、可視画像となる第２の画像データの第３の画線の形状の設定、濃度の不均衡を緩和するための第４の画線の形状を設定する。
【０１７０】
さらに、「網点形状設定部」（ｄ）は、前述した項目設定手段により、不可視画像を有する第１の画像データの第１の画線のサイズ及び第２の画線のサイズの設定、可視画像となる第２の画像データの第３の画線のサイズの設定、濃度の不均衡を緩和するための第４の画線のサイズを設定する。設定する画線のサイズとしては不可視画像を有する第１の画線の高さと幅、第２の画線の高さと幅、可視画像となる第３の画線の高さと幅、濃度の不均衡を緩和するための第４の画線の高さと幅の設定を行う。なお、第１の画線と第２の画線の画線面積率は同一の必要があり、濃度の不均衡を緩和するための第４の画線は、第１の画線及び第２の画線における半分又は略半分の画線面積率の必要がある。第１の画線及び第２の画線のサイズは、ユニット内に配置されるため、ユニットの設定サイズよりも小さいサイズで設定される。同様に、第３の画像及び第４の画線もユニットの設定サイズよりも小さいサイズで設定される。なお、可視画像が階調画像の場合は、第３の画線の高さ及び幅は一定ではなく、ハイライト部からシャドー部にかけて大きさが徐々に変化する。
【０１７１】
不可視画像を有する第１の画像データの第１の画線の形状及び第２の画線の形状の種類としては、『長円形』、『長方形』、『半円形』、『ドーナツ形』、『円形』又は『正方形』が挙げられる。可視画像となる第４の画線の種類としては、『円形』、『半円形』、『ドーナツ形』、『正方形』又は『長方形』が挙げられる。濃度の不均衡を緩和するための第４の画線の種類としては、『円形』、『半円形』、『ドーナツ形』、『正方形』又は『長方形』が挙げられる。ただし、画線の形状については、本実施の形態に挙げた種類に限定されるものではなく、他の形状をソフトウェアに追加して、それを読み込んで選択しても構わない。
【０１７２】
（網点データの作製用ソフトウェアＢ１）
前述の網点データ作製装置Ａ１を用いて、網点データを作製するソフトウェアＢ１について、図３４に示すフローチャートをもとに説明する。
【０１７３】
（画像入力ステップ）
第１に、画像入力手段により、操作画面の「画像入力設定部」（ａ）において、設計者がレンチキュラーレンズ又は万線フィルタを重ねた場合に前記不可視画像が潜像画像として視認される基となる図２５（ａ）に示すような第１の画像データ２３の入力を行う（ＳＴＥＰ１）。画像の入力方法については、網点データの設計者が、あらかじめハードディスクに記録された画像ファイルを読み込むことで指定する。入力された画像データは、濃度補正は適宜行うことができる。第１の画像データ２３は、個人情報等のテキストファイル（ＴＸＴ形式、ＣＳＶ形式）から所定の情報を取り出してイメージファイルに変換することで取得しても良い。
【０１７４】
（設定項目ステップ）
第２に、項目設定手段により、図２５（ｇ）に示すような合成画像データ２６を生成するための、網点データにおける解像度の設定、着色の設定及び第１の画線、第２の画線及び第４の画線の網点形状の設定を、設定項目ごとに行う（ＳＴＥＰ２）。
【０１７５】
（演算ステップ）
第３に、演算手段により、入力された第１の画像データを項目設定手段によって設定された内容で第１の画線、第２の画線から成る不可視画像を有する画像データを生成し、さらに、不可視画像を有する画像データ及び濃度の不均衡を緩和するための第４の画線を合成して、図２５（ｇ）に示すような合成画像データ２６（網点データ）を生成する。画像入力手段による画像の入力、項目設定手段による生成データ解像度の設定及び網点の設定が終了した時点で、操作画面における「変換」を行う。以降の工程は、すべて演算手段による処理となる。
【０１７６】
（設定項目ステップ）
設定項目ステップについて詳細に説明する。図３５に示すように設定項目ステップは、生成データ解像度設定ステップ、着色設定ステップ及び網点形状設定ステップを有する。
【０１７７】
（生成データ解像度設定ステップ）
項目設定手段により、操作画面の「生成データ解像度設定部」（ｂ）において、設計者が本発明における網点データの解像度を設定する。生成データ解像度の設定方法は、設計者が任意に入力しても良く、あらかじめ記憶してある複数の解像度から選択しても良い（ＳＴＥＰ２−１）。
【０１７８】
（着色設定ステップ）
項目設定手段により、操作画面の「着色設定部」（ｃ）において、設計者が不可視画像を有する第１の画像データの第１の画線及び第２の画線、濃度の不均衡を緩和するための第４の画線における『Ｃ』、『Ｍ』、『Ｙ』及び『Ｋ』の設定を行う。この設定は、推奨値による自動設定の場合と設計者による任意設定の場合とがある（ＳＴＥＰ２−２）。
【０１７９】
（網点形状設定ステップ）
項目設定手段により、操作画面の「網点形状設定部」（ｄ）において、不可視画像を有する第１の画像データのユニットのサイズを設定する。設定するユニットのサイズとしてはユニットの高さ及び幅の設定を行い（ＳＴＥＰ２−３）、操作者が入力する。
【０１８０】
また、「網点形状設定部」（ｄ）は、前述した項目設定手段により、不可視画像を有する第１の画像データの第１の画線の形状及び第２の画線の形状の設定、濃度の不均衡を緩和するための第４の画線の形状を設定する。
【０１８１】
さらに、「網点形状設定部」（ｄ）は、前述した項目設定手段により、不可視画像を有する第１の画像データの第１の画線のサイズ及び第２の画線のサイズの設定、濃度の不均衡を緩和するための第４の画線のサイズを設定する。設定する画線のサイズとしては不可視画像を有する第１の画線の高さと幅、第２の画線の高さと幅、濃度の不均衡を緩和するための第４の画線の高さと幅の設定を行う。なお、濃度の不均衡を緩和するための第４の画線は、第１の画線及び第２の画線における半分又は略半分の画線面積率の必要がある。第１の画線及び第２の画線のサイズは、ユニット内に配置されるため、ユニットの設定サイズよりも小さいサイズで設定される。同様に、第４の画線もユニットの設定サイズよりも小さいサイズで設定される。ＳＴＥＰ２−１乃至ＳＴＥＰ２−３の順序は特に限定されるものではない。
【０１８２】
（演算ステップ）
演算ステップについて詳細に説明する。演算ステップは、図３６に示すように輪郭抽出ステップ、不可視画像配置ステップ、画線削除ステップ及び濃度不均衡緩和画線配置ステップを有する。
【０１８３】
（輪郭抽出ステップ）
第１に、輪郭抽出部によって、図２５（ａ）に示した第１の画像データの輪郭を抽出し、図２５（ｂ）に示す第１の画像データの輪郭画像データ２４を生成する（ＳＴＥＰ３−１）。
【０１８４】
（不可視画像配置ステップ）
第２に、不可視画像配置部によって、図２５（ｂ）に示した輪郭画像データを用いて、図２５（ｃ）に示すようにユニットを輪郭内部の輪郭内部ユニットと輪郭外部の輪郭外部ユニットに区分けして、図２５（ｄ）に示すように、輪郭内部ユニット内に第１の画線又は第２の画線のいずれか一方をオンにして他方をオフにして配置し、輪郭外部ユニット内に第１の画線又は第２の画線の他方をオンにして一方をオフにして配置する（ＳＴＥＰ３−２）。
【０１８５】
（画線削除ステップ）
第３に、画線削除部によって、図２５（ｅ）に示す輪郭内部ユニット内及び輪郭外部ユニット内に配置された第１の画線及び第２の画線において、隣接して配置された第１の画線及び第２の画線がともにオン状態の場合に、第１の画線又は第２の画線のいずれか一方の画線を削除することでオフとする（ＳＴＥＰ３−３）。
【０１８６】
（濃度不均衡緩和画線配置ステップ）
第４に、濃度不均衡緩和画線配置部によって、図２５（ｆ）に示す第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線を、第１の画線と第２の画線の境界線を中心又は略中心として配置し、図２５（ｇ）に示す合成画像データ２６（網点データ）を生成する（ＳＴＥＰ３−４）。
【０１８７】
画線削除ステップ及び濃度不均衡緩和画線配置ステップについて、さらに詳細に説明する。この濃度の不均衡に見えるのを緩和するため、図３７に示すように最小単位であるユニット［ｈ，ｖ］ごとに、画線の削除並びに追加を実行するものである。なお、［ｖ］はユニットを縦上から数えたステップ数で、［ｈ］は、ユニットを横左から数えたステップ数である。まず、処理ｆ１にて、マトリクス状に配置した列ごとのユニット［ｈ，ｖ］において順次画線Ａ［ｈ，ｖ］及び画線Ａ’［ｈ，ｖ］の検知が行われる。なお、画線Ａ［ｈ，ｖ］及び画線Ａ’［ｈ，ｖ］を検知する方法は、例えば、印刷模様３がビットマップ形式の２値画像の場合、処理すべきユニット内において、一般的にラベリングと呼ばれる処理によって、画線Ａ［ｈ，ｖ］又は画線Ａ’［ｈ，ｖ］を識別して削除してもよい。
【０１８８】
次に、処理ｆ２にて、ユニット［ｈ，ｖ］に画線Ａ’［ｈ，ｖ］を有し、かつ、ユニット［ｈ，ｖ＋１］に画線Ａ［ｈ，ｖ＋１］を有する条件に一致したとき、処理ｆ３にて、ユニット［ｖ］における本来配置される位置である画線Ａ’［ｈ，ｖ］の削除が行われる。すなわち、図２（ａ）に示されるように、ユニット［ｈ，ｖ］、ユニット［ｈ，ｖ＋１］、ユニット［ｈ，ｖ＋２］の配置の際、ユニット［ｈ，ｖ］の画線Ａ’［ｈ，ｖ］とユニット［ｈ，ｖ＋１］の画線Ａ［ｈ，ｖ＋１］が隣接している場合、図２（ｂ）に示されるように、ユニット［ｈ，ｖ］の画線Ａ’［ｈ，ｖ］が削除される。また、処理ｆ２の条件に一致しない場合は処理４に移行する。なお、この処理ｆ２、処理ｆ３が図１（ｂ）の印刷模様３に適用された場合、図２（ｃ）に示される印刷模様となる。また、部分的に画線Ａ’が削除されることによって、画線Ａの総面積に対し画線Ａ’の総面積が少ない状態となる。
【０１８９】
次に、処理ｆ４にて、ユニット［ｈ，ｖ］に画線Ａ［ｈ，ｖ］を有し、かつ、ユニット［ｈ，ｖ＋１］に画線Ａ’［ｈ，ｖ＋１］を有する条件に一致したとき、処理ｆ５にて、ユニット［ｈ，ｖ］とユニット［ｈ，ｖ＋１］の間に画線ａの追加を行う。すなわち、図３（ｂ）に示されるように、ユニット［ｈ，ｖ］とユニット［ｈ，ｖ＋１］の中間に、画線Ａ又は画線Ａ’の半分又は略半分の画線面積を有する画線ａが追加される。これにより、ユニット［ｈ，ｖ］とユニット［ｈ，ｖ＋１］間における肉眼視での濃度の不均衡が緩和される。
【０１９０】
次に、処理ｆ６にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ［ｈ，ｖ＋２］を有する条件に一致したとき、処理ｆ７にて、ユニット［ｈ，ｖ＋１］の中心又は略中心に画線Ｅの追加を行う。すなわち、図３（ｃ）に示されるように、ユニット［ｈ，ｖ＋１］の中心又は略中心に、画線Ａ又は画線Ａ’の半分又は略半分の画線面積を有する画線Ｅが追加される。これにより、ユニット［ｈ，ｖ］とユニット［ｈ，ｖ＋２］間における肉眼視での濃度の不均衡が緩和される。
【０１９１】
次に、処理ｆ８にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ’［ｈ，ｖ＋２］を有する条件に一致したとき、処理ｆ９にて、ユニット［ｈ，ｖ＋１］の中心又は略中心における画線Ｅ及びユニット［ｈ，ｖ＋１］とユニット［ｈ，ｖ＋２］の間に画線ａの追加を行う。すなわち、図３（ｄ）に示されるように、ユニット［ｈ，ｖ＋１］の中心又は略中心に、画線Ａ又は画線Ａ’の半分又は略半分の画線面積を有する画線Ｅが追加され、ユニット［ｈ，ｖ＋１］とユニット［ｈ，ｖ＋２］の間に画線Ａ又は画線Ａ’の半分又は略半分の画線面積を有する画線ａが追加される。これにより、ユニット［ｈ，ｖ］とユニット［ｈ，ｖ＋２］間における肉眼視での濃度の不均衡が緩和される。よって、これら処理ｆ４から処理ｆ８が図１（ｂ）の印刷模様３に適用された場合、図３（ｅ）に示される印刷模様３全域において、肉眼視での濃度の不均衡が緩和される。
【０１９２】
ユニットのサイズは操作者が入力する。なお、ユニット幅及びユニット高さ情報は、用いる画像形式によって異なるが、例えば、画像形式がＥＰＳ形式である場合は、画像幅及び画像高さ情報が記されたタグを画像ファイル中から探し出して情報を取得し、又は、例えば、画像形式がＢＭＰ形式の場合は、画像ファイル中の所定の位置に記載されている画像解像度情報及び画素数情報を取得し、計算を行うことでユニット幅及びユニット高さ情報を得ることもできる。
【０１９３】
以上の工程を経て合成画像データ（網点データ）が作製される。作製された網点データには、第１の画線、第２の画線から成る不可視画像を有する画像データと、濃度の不均衡を緩和するための第４の画線が含まれる。
【０１９４】
（画像出力ステップ）
さらに、作製された網点データをもとに偽造防止用印刷物を作製することも可能である（ＳＴＥＰ４）。この偽造防止用印刷物の作製には、例えば、画像データを色分解して印刷版面を出力し、商業印刷機によって印刷する方法、画像データを基に、直接インクジェットプリンタにより出力する方法等がある。
【０１９５】
（網点データの作製用ソフトウェアＢ２）
前述の網点データ作製装置Ａ２を用いて、網点データを作製するソフトウェアＢ２について、図３８に示すフローチャートをもとに説明する。
【０１９６】
（画像入力ステップ）
第１に、画像入力手段により、操作画面の「画像入力設定部」（ａ）において、設計者がレンチキュラーレンズ又は万線フィルタを重ねた場合に不可視画像が潜像画像として視認される基となる図３０（ａ）に示すような第１の画像データ２３’及び可視画像として視認される基となる第２の画像データ２５の入力を行う（ＳＴＥＰ１）。可視画像として視認される基となる第２の画像データ２５は、二値画像データ、階調画像データであっても良い。画像の入力方法については、網点データの設計者が、あらかじめハードディスクに記録された画像ファイルを読み込むことで指定する。入力された画像データは、濃度補正を適宜行うことができる。第１の画像データ２３’は、個人情報等のテキストファイル（ＴＸＴ形式、ＣＳＶ形式）から所定の情報を取り出してイメージファイルに変換することで取得しても良い。
【０１９７】
（設定項目ステップ）
第２に、項目設定手段により、図３０（ｉ）に示す合成画像データ２６’を生成するための、網点データにおける解像度の設定、着色の設定及び第１の画線、第２の画線及び第４の画線の網点形状の設定を、設定項目ごとに行う（ＳＴＥＰ２）。
【０１９８】
（演算ステップ）
第３に、演算手段により、入力された第１の画像データを項目設定手段によって設定された内容で第１の画線、第２の画線から成る不可視画像を有する画像データを生成し、入力された第２の画像データを項目設定手段によって設定された内容で第３の画線から成る可視画像となる画像データを生成し、さらに、不可視画像を有する画像データ、可視画像となる画像データ及び濃度の不均衡を緩和するための第４の画線を合成して図３０（ｉ）に示すような合成画像データ２６’（網点データ）を生成する。画像入力手段による画像の入力、項目設定手段による生成データ解像度の設定及び網点の設定が終了した時点で、操作画面における「変換」を行う。以降の工程は、すべて演算手段による処理となる。
【０１９９】
（設定項目ステップ）
設定項目ステップについて詳細に説明する。設定項目ステップは、図３９に示すように生成データ解像度設定ステップ、着色設定ステップ及び網点形状設定ステップを有する。
【０２００】
（生成データ解像度設定ステップ）
項目設定手段により、操作画面の「生成データ解像度設定部」（ｂ）において、設計者が本発明における網点データの解像度を設定する。生成データ解像度の設定方法は、設計者が任意に入力しても良く、あらかじめ記憶してある複数の解像度から選択しても良い（ＳＴＥＰ２−１）。
【０２０１】
（着色設定ステップ）
項目設定手段により、操作画面の「着色設定部」（ｃ）において、設計者が不可視画像を有する第１の画像データの第１の画線及び第２の画線、可視画像となる第２の画像データ、濃度の不均衡を緩和するための第４の画線における『Ｃ』、『Ｍ』、『Ｙ』及び『Ｋ』の設定を行う。この設定は、推奨値による自動設定の場合と設計者による任意設定の場合とがある（ＳＴＥＰ２−２）。また、第３の画線は、階調を有する顔画像等からなるフルカラーの色彩であってもよい。
【０２０２】
（網点形状設定ステップ）
項目設定手段により、操作画面の「網点形状設定部」（ｄ）において、設計者がユニットのサイズを設定する。設定するユニットのサイズとしてはユニットの高さ及び幅の設定を行い、操作者が入力する。
【０２０３】
また、「網点形状設定部」（ｄ）は、前述した項目設定手段により、不可視画像を有する第１の画像データの第１の画線の形状及び第２の画線の形状の設定、可視画像となる第２の画像データの第３の画線の形状の設定、濃度の不均衡を緩和するための第４の画線の形状を設定する。
【０２０４】
さらに、「網点形状設定部」（ｄ）は、前述した項目設定手段により、不可視画像を有する第１の画像データの第１の画線のサイズ及び第２の画線のサイズの設定、可視画像となる第２の画像データの第３の画線のサイズの設定、濃度の不均衡を緩和するための第４の画線のサイズを設定する。設定する画線のサイズとしては不可視画像を有する第１の画線の高さと幅、第２の画線の高さと幅、可視画像となる第３の画線の高さと幅、濃度の不均衡を緩和するための第４の画線の高さと幅の設定を行う。なお、濃度の不均衡を緩和するための第４の画線は、第１の画線及び第２の画線における半分又は略半分の画線面積率とする必要がある。第１の画線及び第２の画線のサイズは、ユニット内に配置されるため、ユニットの設定サイズよりも小さいサイズで設定される。同様に、第３の画線及び第４の画線もユニットの設定サイズよりも小さいサイズで設定される。なお、可視画像が階調画像の場合は、第３の画線の高さ及び幅は一定ではなく、ハイライト部からシャドー部にかけて大きさが徐々に変化する。ＳＴＥＰ２−１乃至ＳＴＥＰ２−３の順序は特に限定されるものではない。
【０２０５】
（演算ステップ）
演算ステップについて詳細に説明する。演算ステップは、図４０に示すように輪郭抽出ステップ、不可視画像配置ステップ、可視画像配置ステップ、画線削除ステップ及び濃度不均衡緩和画線配置ステップを有する。
【０２０６】
（輪郭抽出ステップ）
第１に、輪郭抽出部によって、図３０（ａ）に示した第１の画像データの輪郭を抽出し、図３０（ｃ）に示す第１の画像データの輪郭画像データを生成する（ＳＴＥＰ３−１）。
【０２０７】
（不可視画像配置ステップ）
第２に、不可視画像配置部によって、図３０（ｃ）に示した輪郭画像データを用いて、図３０（ｄ）に示すようにユニットを輪郭内部の輪郭内部ユニットと輪郭外部の輪郭外部ユニットに区分けして、図３０（ｅ）に示すように、輪郭内部ユニット内に第１の画線又は第２の画線のいずれか一方をオンにして他方をオフにして配置し、輪郭外部ユニット内に第１の画線又は第２の画線の他方をオンにして一方をオフにして配置する（ＳＴＥＰ３−２）。
【０２０８】
（可視画線配置ステップ）
第５に、可視画像配置部によって、図３０（ｆ）に示すようにユニットの第１の画線又は第２の画線が形成される内部及び／又はユニット同士の境界線を中心又は略中心に可視画像を形成するための第３の画線を配置する（ＳＴＥＰ３−３）。
【０２０９】
（画線削除ステップ）
第３に、画線削除部によって、図３０（ｇ）に示す輪郭内部ユニット内及び輪郭外部ユニット内に配置された第１の画線及び第２の画線において、隣接して配置された第１の画線及び第２の画線がともにオン状態の場合に、第１の画線又は第２の画線のいずれか一方の画線を削除することでオフとする（ＳＴＥＰ３−４）。
【０２１０】
（濃度不均衡緩和画線配置ステップ）
第４に、濃度不均衡緩和画線配置部によって、図３０（ｈ）に示す第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線を、第１の画線、第２の画線及び第３の画線が存在しない所定の領域に配置する（ＳＴＥＰ３−５）。なお、可視画線配置ステップの順序は特に限定されるものではない。
【０２１１】
画線削除ステップ及び濃度不均衡緩和画線配置ステップについて、さらに詳細に説明する。この濃度の不均衡に見えるのを緩和するため、図３７に示すように最小単位であるユニット［ｈ，ｖ］ごとに、画線の削除並びに追加を実行するものである。なお、［ｖ］はユニットを縦上から数えたステップ数で、［ｈ］はユニットを横左から数えたステップ数である。まず、処理ｆ１にて、マトリクス状に配置した列ごとのユニット［ｈ，ｖ］において順次画線Ａ［ｈ，ｖ］及び画線Ａ’［ｈ，ｖ］の検知が行われる。なお、画線Ａ［ｈ，ｖ］及び画線Ａ’［ｈ，ｖ］を検知する方法は、例えば、印刷模様がビットマップ形式の２値画像の場合、処理すべきユニット内において、一般的にラベリングと呼ばれる処理によって、画線Ａ［ｈ，ｖ］又は画線Ａ’［ｈ，ｖ］を識別して削除してもよい。
【０２１２】
次に、処理ｆ２にて、ユニット［ｈ，ｖ］に画線Ａ’［ｈ，ｖ］を有し、かつ、ユニット［ｈ，ｖ＋１］に画線Ａ［ｈ，ｖ＋１］を有する条件に一致したとき、処理ｆ３にて、ユニット［ｈ，ｖ］における本来配置される位置である画線Ａ’［ｈ，ｖ］の削除が行われる。すなわち、図８（ａ）に示されるように、ユニット［ｈ，ｖ］、ユニット［ｈ，ｖ＋１］、ユニット［ｈ，ｖ＋２］の配置の際、ユニット［ｈ，ｖ］の画線Ａ’［ｈ，ｖ］とユニット［ｈ，ｖ＋１］の画線Ａ［ｈ，ｖ＋１］が隣接している場合、図８（ｂ）に示されるように、ユニット［ｈ，ｖ］の画線Ａ’［ｈ，ｖ］が削除される。また、処理ｆ２の条件に一致しない場合は処理４に移行する。なお、この処理ｆ２、処理ｆ３が図７の印刷模様３に適用された場合、図８（ｃ）に示される印刷模様３となる。また、部分的に画線Ａ’が削除されることによって、画線Ａの総面積に対し画線Ａ’の総面積が少ない状態となる。
【０２１３】
次に、処理ｆ４にて、ユニット［ｈ，ｖ］に画線Ａ［ｈ，ｖ］を有し、かつ、ユニット［ｈ，ｖ＋１］に画線Ａ’［ｈ，ｖ＋１］を有する条件に一致したとき、処理ｆ５にて、ユニット［ｈ，ｖ］とユニット［ｈ，ｖ＋１］の間に画線ａの追加を行う。すなわち、図１１（ｂ）に示されるように、ユニット［ｈ，ｖ］の画線Ａとユニット［ｈ，ｖ＋１］の画線Ａ’の中間付近に、画線Ａ又は画線Ａ’の半分又は略半分の画線面積を有する画線ａが追加される。これにより、ユニット［ｈ，ｖ］とユニット［ｈ，ｖ＋１］間における肉眼視での濃度の不均衡が緩和される。
【０２１４】
次に、処理ｆ６にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ［ｈ，ｖ＋２］を有する条件に一致したとき、処理ｆ７にて、ユニット［ｈ，ｖ］とユニット［ｈ，ｖ＋２］の画線Ａ’の間に画線Ｅの追加を行う。すなわち、図１１（ｃ）に示されるように、ユニット［ｈ，ｖ］の画線Ａ’とユニット［ｈ，ｖ＋２］の画線Ａ’の中間付近に、画線Ａ又は画線Ａ’の半分又は略半分の画線面積を有する画線Ｅが追加される。これにより、ユニット［ｈ，ｖ］とユニット［ｈ，ｖ＋２］間における肉眼視での濃度の不均衡が緩和される。
【０２１５】
次に、処理ｆ８にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ’［ｈ，ｖ＋２］を有する条件に一致したとき、処理ｆ９にて、ユニット［ｈ，ｖ］とユニット［ｈ，ｖ＋２］の間に画線Ｅ及び画線ａの追加を行う。すなわち、図１１（ｄ）に示されるように、ユニット［ｈ，ｖ］の画線Ａとユニット［ｈ，ｖ＋２］の画線Ａ’の中間付近に、画線Ａ又は画線Ａ’の半分又は略半分の画線面積を有する画線Ｅ及び画線ａが追加される。これにより、ユニット［ｈ，ｖ］とユニット［ｈ，ｖ＋２］間における肉眼視での濃度の不均衡が緩和される。よって、これら処理ｆ４から処理ｆ８が図７の印刷模様３に適用された場合、図１１（ｅ）に示される印刷模様３全域において、肉眼視での濃度の不均衡が緩和される。
【０２１６】
なお、ユニット幅及びユニット高さ情報の取得方法は、用いる画像形式によってそれぞれ異なり、例えば、画像形式がＥＰＳ形式である場合は、画像幅及び画像高さ情報が記されたタグを画像ファイル中から探し出して情報を取得し、又は、例えば、画像形式がＢＭＰ形式の場合は、画像ファイル中の所定の位置に記載されている画像解像度情報及び画素数情報を取得し、計算を行うことでユニット幅及びユニット高さ情報を得る。
【０２１７】
以上の工程を経て合成画像データ（網点データ）が作製される。作製された網点データには、第１の画線、第２の画線から成る不可視画像を有する画像データと、可視画像となる第３の画線、濃度の不均衡を緩和するための第４の画線が含まれる。
【０２１８】
（画像出力ステップ）
さらに、作製された網点データをもとに偽造防止用印刷物を作製することも可能である（ＳＴＥＰ４）。この偽造防止用印刷物の作製には、例えば、画像データを色分解して印刷版面を出力し、商業印刷機によって印刷する方法、画像データを基に、直接インクジェットプリンタにより出力する方法等がある。
【０２１９】
（偽造防止用印刷物Ｃ８）
ここで、可視画像とは、通常の可視光のもとで目視により視認され得る画像であり、不可視画像とは、通常の可視光のもとで目視により視認され得ない、あるいは極めて視認され難い画像である。
【０２２０】
図４１に示されたように、偽造防止用印刷物Ｃ８の印刷模様３を通常の可視条件において目視により観察すると、任意の図形及び文字等から成る模様４と、任意の図形及び文字から成る模様８とが視認される。図４１に示された模様４と模様８とは重畳するような配置となっており、これに限らず様々なデザイン表現を施すことができる。そして、印刷物Ｃ８上に判別具２を所定の角度（これを０度とする）を持って重ね合わせると、図４２（ａ）又は図４２（ｂ）に示されたような第１の不可視画像５が可視画像となって発現する。また、印刷物１上に判別具２を所定の角度に対して９０度を成す角度を持って重ね合わせると、図４３（ａ）又は図４３（ｂ）に示されたような第２の不可視画像６が可視画像となって発現する。図４２（ａ）又は図４２（ｂ）並びに図４３（ａ）又は図４３（ｂ）に示されるようにネガポジ状のどちらかに見えるのは、判別具２と印刷物１との間の相対的な位置によって生ずるものであり、本発明の効果の範囲内である。なお、可視画像については、二つの模様４及び模様８で説明するが本発明はこれに限定されることなく、模様４又は模様８で作製することができる。
【０２２１】
図４４に、偽造防止用印刷物Ｃ８に形成された印刷模様の一画線の構成要素を拡大して示す。図４４（ａ）に示されるように、印刷模様３は、少なくとも七つ以上の画線要素で構成されている。図４４（ｂ）に示されるように、画線Ａと画線Ａ’とは、対を成して第１の不可視画像を形成し、画線Ａと画線Ａ’とが、それぞれユニット（四角形）内において中心から上下対称に、第１の方向に配置されている。図４４（ｃ）に示されたように画線Ｂと画線Ｂ’とが対を成して第２の不可視画像を形成し、画線Ｂと画線Ｂ’とは、それぞれユニット（四角形）内において中心から左右対称に、第２の方向に配置されている。図４４（ｄ）に示されたように画線Ｃは、第１の可視画像（デザイン：模様）を形成し、図４１に示されたような任意の図形及び文字から成る模様４を構成する画線となり、ユニット（四角形）の四隅に画線Ｃの中心又は略中心がくるように配置されている。さらに、画線Ｄは図４４（ｅ）に示されたように、第２の可視画像（デザイン：模様）を形成し、図４１に示されたような任意の図形及び文字から成る模様８を構成する画線となり、ユニット（四角形）の中心に画線Ｄの中心又は略中心が一致するように配置されている。図４４（ｆ）に示される画線Ｅ、図４４（ｇ）に示される画線ａ及び図４４（ｈ）に示される画線ｂは、それぞれ肉眼視での濃度の不均衡を緩和するために設けられるものであるが、それらの画線の追加については後述にて詳細に説明する。
【０２２２】
このような構成を有する画線を印刷物上にマトリクス状に縦横隙間なく、連続的、かつ、規則的に配置すると、図４５となる。この図４５は、印刷物に印刷された印刷模様３を構成するマトリクス状に、縦ステップ数ｖと横ステップ数ｈをもって配置された複数の画線と、不可視画像の構成が解るように太実線で簡易的に示した模式図であり、図４５（ａ）と図４５（ｂ）は、同じ印刷模様３において不可視画像の違いを説明するものである。なお、本実施の形態でいうステップ数とは、印刷模様３上で繰り返されるユニットの数のことを指すもので、ステップ数に何ら制限はない。このステップ数は、可視画像及び不可視画像の解像度と比例している。不可視画像で示される太実線は、あくまで位置を説明するものであり、実際は、図４５のように目視できるものではない。このとき、印刷模様３における画線Ａの総面積と画線Ａ’の総面積及び画線Ｂの総面積と画線Ｂ’の総面積は等しい。すなわち、図４５は、点位相変調（Dot phase modulation）によって、図４５（ａ）と図４５（ｂ）に示される二種類の不可視画像を施している状態となっているものである。しかし、この状態では肉眼視で、複数の画線Ａと複数の画線Ａ’及び複数の画線Ｂと複数の画線Ｂ’とがマトリクス状に配置された近傍部の濃度が高く見えたり、また、マトリクス状に配置された空白部によって濃度が低く見えたりして、肉眼視では濃度が不均衡となって見えることもある。
【０２２３】
この濃度の不均衡に見えるのを緩和するため、縦方向に処理を行うための図４６に示されたアルゴリズム及び横方向に処理を行うための図４７に示されたアルゴリズムによって最小単位であるユニット［ｈ，ｖ］ごとに、画線の削除並びに追加を実行するものである。なお、［ｖ］はユニットを縦上から数えたステップ数で、［ｈ］はユニットを横左から数えたステップ数である。まず、処理ｆ１にて、マトリクス状に配置した列ごとのユニット［ｈ，ｖ］において順次画線Ａ［ｈ，ｖ］及び画線Ａ’［ｈ，ｖ］並びに画線Ｂ［ｈ，ｖ］及び画線Ｂ’［ｈ，ｖ］の検知が行われる。なお、画線Ａ［ｈ，ｖ］及び画線Ａ’［ｈ，ｖ］並びに画線Ｂ［ｈ，ｖ］及び画線Ｂ’［ｈ，ｖ］を検知する方法は、例えば、印刷模様３がビットマップ形式の２値画像の場合、処理すべきユニット内において、一般的にラベリングと呼ばれる処理によって、画線Ａ［ｈ，ｖ］又は画線Ａ’［ｈ，ｖ］並びに画線Ｂ［ｈ，ｖ］又は画線Ｂ’［ｈ，ｖ］を識別して削除してもよい。
【０２２４】
次に、図４６に示される処理ｆ２にて、ユニット［ｈ，ｖ］に画線Ａ’［ｈ，ｖ］を有し、かつ、ユニット［ｈ，ｖ＋１］に画線Ａ［ｈ，ｖ＋１］を有する条件に一致したとき、処理ｆ３にて、ユニット［ｈ，ｖ］における本来配置される位置である画線Ａ’［ｈ，ｖ］の削除が行われる。すなわち、図４８（ａ）に示されるように、ユニット［ｈ，ｖ］、ユニット［ｈ，ｖ＋１］、ユニット［ｈ，ｖ＋２］の配置の際、ユニット［ｈ，ｖ］の画線Ａ’［ｈ，ｖ］とユニット［ｈ，ｖ＋１］の画線Ａ［ｈ，ｖ＋１］が隣接している場合、図４８（ｂ）に示されるように、ユニット［ｈ，ｖ］の画線Ａ’［ｈ，ｖ］が削除される。また、処理ｆ２の条件に一致しない場合は処理４に移行する。一方、図４７に示される処理ｆ１２にて、ユニット［ｈ，ｖ］に画線Ｂ’［ｈ，ｖ］を有し、かつ、ユニット［ｈ＋１，ｖ］に画線Ｂ［ｈ＋１，ｖ］を有する条件に一致したとき、処理ｆ１３にて、ユニット［ｈ，ｖ］における本来配置される位置である画線Ｂ’［ｈ，ｖ］の削除が行われる。すなわち、図４８（ｃ）に示されるように、ユニット［ｈ，ｖ］、ユニット［ｈ＋１，ｖ］、ユニット［ｈ＋２，ｖ］の配置の際、ユニット［ｈ，ｖ］の画線Ｂ’［ｈ，ｖ］とユニット［ｈ＋１，ｖ］の画線Ｂ［ｈ＋１，ｖ］が隣接している場合、図４８（ｄ）に示されるように、ユニット［ｈ，ｖ］の画線Ｂ’［ｈ，ｖ］が削除される。また、処理ｆ１２の条件に一致しない場合は処理ｆ１４に移行する。なお、この処理ｆ１２、処理ｆ１３が図４５の印刷模様３に適用された場合、図４９に示される印刷模様３となる。また、部分的に画線Ａ’及び画線Ｂ’が削除されることによって、画線Ａの総面積に対し画線Ａ’の総面積が少なく、画線Ｂの総面積に対し画線Ｂ’の総面積が少ない状態となる。
【０２２５】
次に、図４６に示される処理ｆ４にて、ユニット［ｈ，ｖ］に画線Ａ［ｈ，ｖ］を有し、かつ、ユニット［ｈ，ｖ＋１］に画線Ａ’［ｈ，ｖ＋１］を有する条件に一致したとき、処理ｆ５にて、ユニット［ｈ，ｖ］とユニット［ｈ，ｖ＋１］の間に画線ａの追加を行う。すなわち、図５０（ｂ）に示されるように、ユニット［ｈ，ｖ］とユニット［ｈ，ｖ＋１］の中間に、画線Ａ又は画線Ａ’の半分又は略半分の画線面積を有する画線ａが追加される。これにより、ユニット［ｈ，ｖ］とユニット［ｈ，ｖ＋１］間における肉眼視での濃度の不均衡が緩和される。一方、図４７に示される処理ｆ１４にて、ユニット［ｈ，ｖ］に画線Ｂ［ｈ，ｖ］を有し、かつ、ユニット［ｈ＋１，ｖ］に画線Ｂ’［ｈ＋１，ｖ］を有する条件に一致したとき、処理ｆ１５にて、ユニット［ｈ，ｖ］とユニット［ｈ＋１，ｖ］の間に画線ｂの追加を行う。すなわち、図５０（ｆ）に示されるように、ユニット［ｈ，ｖ］とユニット［ｈ＋１，ｖ］の中間に、画線Ｂ又は画線Ｂ’の半分又は略半分の画線面積を有する画線ｂが追加される。これにより、ユニット［ｈ，ｖ］とユニット［ｈ＋１，ｖ］間における肉眼視での濃度の不均衡が緩和される。
【０２２６】
次に、図４６に示される処理ｆ６にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ［ｈ，ｖ＋２］を有する条件に一致したとき、処理ｆ７にて、ユニット［ｈ，ｖ＋１］の中心又は略中心に画線Ｅの追加を行う。すなわち、図５０（ｃ）に示されるように、ユニット［ｈ，ｖ＋１］の中心又は略中心に、画線Ａ又は画線Ａ’の半分又は略半分の画線面積を有する画線Ｅが追加される。これにより、ユニット［ｈ，ｖ］とユニット［ｈ，ｖ＋２］間における肉眼視での濃度の不均衡が緩和される。一方、図４７に示される処理ｆ１６にて、ユニット［ｈ，ｖ］に画線Ｂ’［ｈ，ｖ］を有し、ユニット［ｈ＋１，ｖ］に画線がなく、かつ、ユニット［ｈ＋２，ｖ］に画線Ｂ［ｈ＋２，ｖ］を有する条件に一致したとき、処理ｆ１７にて、ユニット［ｈ＋１，ｖ］の中心又は略中心に画線Ｅの追加を行う。すなわち、図５０（ｇ）に示されるように、ユニット［ｈ＋１，ｖ］の中心又は略中心に、画線Ｂ又は画線Ｂ’の半分又は略半分の画線面積を有する画線Ｅが追加される。これにより、ユニット［ｈ，ｖ］とユニット［ｈ＋２，ｖ］間における肉眼視での濃度の不均衡が緩和される。
【０２２７】
次に、図４６に示される処理ｆ８にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ’［ｈ，ｖ＋２］を有する条件に一致したとき、処理ｆ９にて、ユニット［ｈ，ｖ＋１］とユニット［ｈ，ｖ＋２］の間に画線Ｅ及び画線ａの追加を行う。すなわち、図５０（ｄ）に示されるように、ユニット［ｈ，ｖ＋１］の中心又は略中心に、画線Ａ又は画線Ａ’の半分又は略半分の画線面積を有する画線Ｅと、ユニット［ｈ，ｖ＋１］とユニット［ｈ，ｖ＋２］の間に画線Ａ又は画線Ａ’の半分又は略半分の画線面積を有する画線ａが追加される。これにより、ユニット［ｈ，ｖ］とユニット［ｈ，ｖ＋２］間における肉眼視での濃度の不均衡が緩和される。一方、図４７に示される処理ｆ１８にて、ユニット［ｈ，ｖ］に画線Ｂ’［ｈ，ｖ］を有し、ユニット［ｈ＋１，ｖ］に画線が無く、かつ、ユニット［ｈ＋２，ｖ］に画線Ｂ’［ｈ＋２，ｖ］を有する条件に一致したとき、処理ｆ１９にて、ユニット［ｈ＋１，ｖ］の中心又は略中心に画線Ｅ及びユニット［ｈ＋１，ｖ］とユニット［ｈ＋２，ｖ］の間に画線ｂの追加を行う。すなわち、図５０（ｈ）に示されるように、ユニット［ｈ＋１，ｖ］の中心又は略中心に、画線Ｂ又は画線Ｂ’の半分又は略半分の画線面積を有する画線Ｅが追加され、ユニット［ｈ＋１，ｖ］とユニット［ｈ＋２，ｖ］の間に画線Ｂ又は画線Ｂ’の半分又は略半分の画線面積を有する画線ｂが追加される。これにより、ユニット［ｈ，ｖ］とユニット［ｈ＋２，ｖ］間における肉眼視での濃度の不均衡が緩和される。よって、これら図４６における処理ｆ４から処理ｆ８及び図４７における処理ｆ１４から処理ｆ１８が適用された場合、図５１に示される印刷模様３全域において、肉眼視での濃度の不均衡が緩和される。
【０２２８】
次に、図５２に示されるように、画線Ｃと画線Ｄとを配置する。画線Ｃは、第１の可視画像（デザイン：模様）を形成し、図４１に示されたような任意の図形及び文字から成る模様４を構成する画線となり、画線Ｄは、第２の可視画像（デザイン：模様）を形成し、図４１に示されたような任意の図形及び文字から成る模様８を構成する画線となる。この状態で、図５３に示されたように、例えば、レンチキュラーレンズから成る判別具２を印刷物１上の印刷模様３に重ね合わせ、正面から目視で観察することによって、印刷模様３に施されている不可視画像を可視画像として発現させることができる。なお、偽造防止用印刷物Ｃ８では、長さＳが３４０μｍで、印刷模様３がオフセット印刷によりコート紙に印刷されている。しかし、長さＳ、印刷物の基材、印刷方法、印刷材料、印刷装置等について何ら限定するものでない。
【０２２９】
印刷模様３に対して、レンチキュラーレンズの各レンズの中心線７が図５０における線Ｌ１に一致するように、レンチキュラーレンズから成る判別具２を印刷物１上の印刷模様３に重ね合わせ、正面から目視で観察した状態を図５４に示す。この場合、レンチキュラーレンズの中心線７が図５４（ａ）に示された位置にあり、中心線７上に位置するのは画線Ａと、画線Ｂ及びＢ’となっている。レンチキュラーレンズの特性によって、中心線７に位置する画線Ａ、Ｂ及びＢ’が膨張して見えるため、目視では、図５４（ｂ）に示されたような図形の可視画像が発現する。ここで、画線Ｂ及びＢ’は、画線Ａに対して中心線７との接線が少ないので、これらにより形成される画像は視認され難い。このため、画線Ａにより形成される第１の不可視画像のみが視認される。
【０２３０】
印刷物１の印刷模様３に対し、レンチキュラーレンズにおける各レンズの中心線７が図５０における線Ｌ２と一致するように、レンチキュラーレンズから成る判別具２を印刷物１上の印刷模様３に重ね合わせ、正面から目視で観察した状態を図５５に示す。この場合、レンチキュラーレンズの中心線７が図５５（ａ）に示された位置にあり、中心線７に位置するのは画線Ｂ、Ａ及びＡ’となっている。レンチキュラーレンズの特性によって中心線７に位置する画線Ｂ、Ａ及びＡ’が膨張して見えるため、目視では図５５（ｂ）に示されたような図形の可視画像が発現する。ここで、画線Ａ及びＡ’は、画線Ｂに対して中心線７との接線が少ないので、これらにより形成される画像は視認され難い。このため、画線Ｂにより形成される第２の不可視画像のみが視認される。
【０２３１】
偽造防止用印刷物Ｃ８では、判別具としてレンチキュラーレンズを用いているが、前述した偽造防止用印刷物Ｃ１〜Ｃ７の場合と同様に、例えば、万線フィルタであっても同様の効果が得られる。レンチキュラーレンズでの観察時において、画線ａ、画線ｂ、画線Ｃ、画線Ｄ及び画線Ｅはほとんど視認されないため、第１の不可視画像及び第２の不可視画像が可視画像として発現したときの視認性を阻害することはない。
【０２３２】
偽造防止用印刷物Ｃ８の印刷模様３の画線は、図４４に示されたような円形の形状に限らず、図５６に示されたような楕円形であっても良い。図５６（ａ）に示されるように、印刷模様３は、少なくとも七つ以上の画線要素で構成されている。図５６（ｂ）に示されるように、画線Ａと画線Ａ’とは、対を成して第１の不可視画像を形成し、画線Ａと画線Ａ’とがそれぞれユニット（四角形）内において中心から上下対称に、第１の方向に配置されている。図５６（ｃ）に示されたように画線Ｂと画線Ｂ’とが対を成して第２の不可視画像を形成し、画線Ｂと画線Ｂ’とは、それぞれユニット（四角形）内において中心から左右対称に、第２の方向に配置されている。図５６（ｄ）に示されたように画線Ｃは、第１の可視画像（デザイン：模様）を形成し、図４１に示されたような任意の図形及び文字から成る模様４を構成する画線となり、ユニット（四角形）の四隅に画線Ｃの中心又は略中心がくるように配置されている。さらに、画線Ｄは、図５６（ｅ）に示されたように、第２の可視画像（デザイン：模様）を形成し、図４１に示されたような任意の図形及び文字から成る模様８を構成する画線となり、ユニット（四角形）の中心に画線Ｄの中心又は略中心が一致するように配置されている。図５６（ｆ）に示されたように画線Ｅ、図５６（ｇ）に示されたように画線ａ、図５６（ｈ）に示されたように画線ｂは、それぞれ肉眼視での濃度の不均衡を緩和するために設けられている。このような構成を備えるものであれば、各々の画線の形状については限定するものではない。
【０２３３】
偽造防止用印刷物Ｃ８によれば、画線Ｃ及びＤを用いて自由度が高く意匠性を有する鮮明な可視画像を、不可視画像の発現時における視認性を阻害することなく形成することができるため、有価証券等の印刷物においても有用である。また、印刷物上に単一の判別具を重ね合わせることによって、画線Ａ及びＡ’で形成される不可視画像を容易に、かつ、鮮明に発現させることが可能である。さらに、本発明における印刷物を構成する各画線を同一色とした単色印刷のみでも十分な偽造防止効果が得られる上に、製版及び印刷方法等について何ら限定しないため、コストを低減させることができる。また、画線ａ及び画線Ｅにおける最短幅を印刷物品質が維持できる最低画線幅以上にしておくことにより、必然的に印刷物品質の不安定要素を解消することができる。
【０２３４】
（模様４が階調画像の例）
模様４が階調画像である偽造防止用印刷物は、図５７に示されたように、印刷物１に判別具２を重ね合わせることにより、容易に不可視画像を発現させて真偽性を判別することができるものである。判別具２は、透明性を有するフィルタに複数の直線が万線状に一方向に沿って形成された万線フィルタ又はレンチキュラーレンズ等である。万線フィルタ又はレンチキュラーレンズ等を重ねることなく印刷物１の印刷模様３を通常の可視条件において目視により観察すると、図５８に示されたように、任意の連続階調から成る模様４（例えば、顔写真。）が視認される。そして、印刷物１上に判別具２を所定の角度（これを０度とする）をもって重ね合わせると、図５９（ａ）又は図５９（ｂ）に示されたような第１の不可視画像５が可視画像となって発現する。また、印刷物１上に判別具２を所定の角度に対して９０度を成す角度を持って重ね合わせると、図６０（ａ）又は図６０（ｂ）に示されたような第２の不可視画像６が可視画像となって発現する。図５９（ａ）又は図５９（ｂ）並びに図６０（ａ）又は図６０（ｂ）に示されるようにネガポジ状のどちらかに見えるのは、判別具２と印刷物１との間の相対的な位置によって生ずるものであり、本発明の効果の範囲内である。なお、ここで、可視画像とは、通常の可視光のもとで目視により視認され得る画像であり、不可視画像とは、通常の可視光のもとで目視により視認され得ない、あるいは極めて視認され難い画像であり、万線フィルタ又はレンチキュラーレンズ等を重ねることで視認されるものである。
【０２３５】
図６１に、本発明の印刷物に対する印刷模様の一画線の基本を部分的に拡大して示す。ここで、縦横の寸法Ｓは、例えば、４２３μｍというように１ｍｍ以下の大きさである。このような画線は、ユニットと称する最小単位であり、印刷物の表面上においてマトリクス状に規則的に配置される。各画線は、少なくとも三つ以上の画線要素を備えている。画線Ａと画線Ａ’とは、対を成しており、相互にオン、オフの関係にある。このオン、オフの関係とは、例えば、一方が黒（オン）のときは他方は白（オフ）、一方が有着色のときは他方は無着色であり、双方ともに黒又は双方ともに白であることがないということである。そして、画線Ａと画線Ａ’とは、面積が同一である。このような画線Ａと画線Ａ’とが存在することで通常の可視条件下では視認されず、画線Ａのみにより第１の不可視画像（ネガ又はポジのいずれか一方）、画線Ａ’のみにより第１の不可視画像（ポジ又はネガの他方）がそれぞれ形成されている。
【０２３６】
同様に、画線Ｂと画線Ｂ’とは、対を成してオン、オフの関係にあり、かつ、面積が同一である。画線Ｂのみにより第２の不可視画像（ネガ又はポジのいずれか一方）、画線Ｂ’のみにより第２の不可視画像（ポジ又はネガの他方）がそれぞれ形成されている。
【０２３７】
画線Ｄは、可視画像を構成する要素であり、通常の視認状態において肉眼で視認される任意の連続階調から成る模様４を構成する。なお、画線Ｄは、画線Ａと画線Ａ’、画線Ｂと画線Ｂ’との間に配置される。図６１に示される領域Ｔは、画線Ｄの最大領域を示したものであり、この領域内であれば画線Ｄは、通常の印刷用網点の他、画線の大小、画線の濃度変化、画線の粗密又はＦＭスクリーン等のランダムドットの集合であっても良く、その形状は何ら限定するものではない。前述の粗密とは、一定領域内に配置される同一画線面積を有する画線量の変化であり、配置密度が高い領域はシャドー、配置密度が低い領域がハイライトを再現するものである。そのため、画線の粗密を任意に設定することにより、連続階調を再現するものである。
【０２３８】
また、さらに、画線Ｄは、単色に限らず、例えば、シアン、マゼンタ、イエロー及びブラックの加法混色から成る複数の画線によって構成しても良い。これにより、任意の連続階調から成る模様４は、カラー画像として表現することができる。色彩については特に限定されるものではない。また、銀インキ等の光輝性インキで印刷することができる。
【０２３９】
図６２は、印刷物に印刷された印刷模様３を構成するマトリクス状に配置された構成が解るように簡易的に示した模式図である。なお、図６２（ａ）と図６２（ｂ）は、同じ印刷物であって、不可視画像とその位置構成が解るように太実線で簡易的に示した模式図であり、図６２（ａ）は不可視画像「Ａ」の位置を表し、図６２（ｂ）は不可視画像「Ｂ」の位置を表したものである。
【０２４０】
この状態で、図６３に示されたように、例えば、レンチキュラーレンズから成る判別具２を印刷物１上の印刷模様３に重ね合わせ、正面から目視で観察することによって、印刷模様３に施されている不可視画像を可視画像として発現させることができる。なお、偽造防止用印刷物では、長さＳが４２３μｍで、印刷模様３がオフセット印刷によりコート紙に印刷されている。しかし、長さＳ、印刷物の基材、印刷方法、印刷材料、印刷装置等について何ら限定するものでない。
【０２４１】
レンチキュラーレンズから成る判別具２を印刷物１上の印刷模様３に重ね合わせ、正面から目視で観察した状態を図６４に示す。レンチキュラーレンズの中心線７が図６１における線Ｌ１と一致するように、図６４（ａ）に示された位置にあるとき、中心線７に位置するのは、画線Ａとなっている。レンチキュラーレンズの特性によって中心線７に位置する画線Ａが膨張して見えるため、目視では、図６４（ｂ）に示されたような図形の可視画像が発現する。ここで、画線Ａと画線Ａ’とはオン、オフの関係にある。よって、第１の不可視画像がネガポジ状のどちらかに見える可視画像となって発現する。
【０２４２】
一方、レンチキュラーレンズの中心線７が、図６１における線Ｌ２と一致するように図６５（ａ）に示された位置にあるとき、中心線７に位置するのは、画線Ｂとなっている。レンチキュラーレンズの特性によって、中心線７に位置する画線Ｂが膨張して見えるため、目視では図６５（ｂ）に示されたような図形の可視画像が発現する。ここで、画線Ｂと画線Ｂ’とはオン、オフの関係にある。よって、第２の不可視画像がネガポジ状のどちらかに見える可視画像となって発現する。
【０２４３】
ここで判別具２は、レンチキュラーレンズに限られず、例えば、万線フィルタであっても同様の効果が得られる。この万線フィルタの場合は、フィルタ上の万線に該当する部分が可視画像を構成する画線を隠蔽することで、不可視画像を構成する画線のみが確認できることとなるが、可視画像を完全には隠蔽することができずに若干視認されてしまうことがある。ただし、これによって本発明の効果を損なうことはないため、簡易的に判別を行うには、万線フィルタを用いても充分である。なお、後述する実施の形態についても同様である。
【０２４４】
（偽造防止用印刷物Ｃ９）
図６２で示された印刷模様３の状態でも、肉眼視において不可視画像を施している状態になっているが、マトリクス状に配置されたユニットの近傍部にて部分的に濃度が高く（濃く）見えたり、また、部分的に濃度が低く（淡く）見えたりして、肉眼視では濃度が不均衡となって見えることもある。こうした濃度の不均衡は、画線Ｄにて表現する連続階調から成る模様４に対する雑音成分となり、可視画像の視認性を悪くするという問題がある。
【０２４５】
この濃度が不均衡に見えるのを緩和するため、図４６に示されたアルゴリズムによって最小単位であるユニット［ｈ，ｖ］ごとに、画線の削除並びに追加を実行するものである。なお、［ｈ，ｖ］はユニットを縦上から数えたステップ数で、［ｈ］はユニットを横左から数えたステップ数である。まず、処理ｆ１にて、マトリクス状に配置した列ごとのユニット［ｈ，ｖ］において順次画線Ａ［ｈ，ｖ］及び画線Ａ’［ｈ，ｖ］の検知が行われる。なお、画線Ａ［ｈ，ｖ］及び画線Ａ’［ｈ，ｖ］を検知する方法は、例えば、印刷模様３がビットマップ形式の２値画像の場合、処理すべきユニット内において、一般的にラベリングと呼ばれる処理によって、画線Ａ［ｈ，ｖ］又は画線Ａ’［ｈ，ｖ］を識別して削除しても良い。
【０２４６】
次に、処理ｆ２にて、ユニット［ｈ，ｖ］に画線Ａ’［ｈ，ｖ］を有し、かつ、ユニット［ｈ，ｖ＋１］に画線Ａ［ｈ，ｖ＋１］を有する条件に一致したとき、処理ｆ３にて、ユニット［ｖ］における本来配置される位置である画線Ａ’［ｈ，ｖ］の削除が行われる。すなわち、図６６（ａ）に示されるように、ユニット［ｈ，ｖ］、ユニット［ｈ，ｖ＋１］、ユニット［ｈ，ｖ＋２］の配置の際、ユニット［ｈ，ｖ］の画線Ａ’［ｈ，ｖ］とユニット［ｈ，ｖ＋１］の画線Ａ［ｈ，ｖ＋１］が隣接している場合、図６６（ｂ）に示されるように、ユニット［ｈ，ｖ］の画線Ａ’［ｈ，ｖ］が削除される。また、処理ｆ２の条件に一致しない場合は処理ｆ４に移行する。また、部分的に画線Ａ’が削除されることによって、画線Ａの総面積に対し画線Ａ’の総面積が少ない状態となる。
【０２４７】
併せて、図４７に示されたアルゴリズムによって最小単位であるユニット［ｈ，ｖ］ごとに、画線の削除並びに追加を実行される。まず、処理ｆ１１にて、マトリクス状に配置した列ごとのユニット［ｈ，ｖ］において順次画線Ｂ［ｈ，ｖ］及び画線Ｂ’［ｈ，ｖ］の検知が行われる。なお、画線Ｂ［ｈ，ｖ］及び画線Ｂ’［ｈ，ｖ］を検知する方法は、例えば、印刷模様３がビットマップ形式の２値画像の場合、処理すべきユニット内において、一般的にラベリングと呼ばれる処理によって、画線Ｂ［ｈ，ｖ］又は画線Ｂ’［ｈ，ｖ］を識別して削除しても良い。
【０２４８】
次に、処理ｆ１２にて、ユニット［ｈ，ｖ］に画線Ｂ’［ｈ，ｖ］を有し、かつ、ユニット［ｈ＋１，ｖ］に画線Ｂ［ｈ＋１，ｖ］を有する条件に一致したとき、処理ｆ１３にて、ユニット［ｈ，ｖ］における本来配置される位置である画線Ｂ’［ｈ，ｖ］の削除が行われる。すなわち、図６６（ｃ）に示されるように、ユニット［ｈ，ｖ］、ユニット［ｈ＋１，ｖ］、ユニット［ｈ＋２，ｖ］の配置の際、ユニット［ｈ，ｖ］の画線Ｂ’［ｈ，ｖ］とユニット［ｈ＋１，ｖ］の画線Ｂ［ｈ＋１，ｖ］が隣接している場合、図６６（ｄ）に示されるように、ユニット［ｈ，ｖ］の画線Ｂ’［ｈ，ｖ］が削除される。また、処理ｆ１２の条件に一致しない場合は処理１４に移行する。また、部分的に画線Ａ’が削除されることによって、画線Ｂの総面積に対し画線Ｂ’の総面積が少ない状態となる。
【０２４９】
図６７（ａ）は、偽造防止用印刷物Ｃ９におけるユニット［ｈ，ｖ］の画線構成を示した平面図である。基本的な画線構成は図６１で示されたものと同様であるが、連続階調を奏する画線Ｄの他に、濃度の不均衡を緩和させるため画線ａ、画線ｂ、画線Ｅを設けている。画線ａ、画線ｂ、画線Ｅの位置は、図６１における画線Ｄが占める領域内にあって、画線Ａ、画線Ａ’、画線Ｂ、画線Ｂ’と隣接し、画線Ｄの周囲に配置される。ユニット［ｈ，ｖ］内における画線ａ、画線ｂ、画線Ｅのそれぞれの画線面積の合計は、ユニット［ｈ，ｖ］内における画線Ａ、画線Ａ’、画線Ｂ、又は画線Ｂ’の画線面積の半分又は略半分である。この略半分の画線面積とは、画線Ａ、画線Ａ’、画線Ｂ又は画線Ｂ’の画線面積率を１００％としたとき、４０％〜６０％の画線面積率のことであり、４０％以下の画線面積率とした場合には、濃度が淡く見えることから濃度の不均衡を緩和することができず、６０％を超える画線面積率とした場合には、濃度が濃く見えることから濃度の不均衡を緩和することができないからである。なお、下記に示す実施の形態における略半分についても同様である。また、画線Ｄは、図５８に示される任意の連続階調から成る模様４を構成するもので、図６７（ｂ）の概念図に示されるように、ハイライトからシャドーの連続階調に応じて画線Ｄの大きさが変化することで、図５８に示された印刷模様３の濃淡を決定している。
【０２５０】
次に、図４６に示される処理ｆ４にて、ユニット［ｈ，ｖ］に画線Ａ［ｈ，ｖ］を有し、かつ、ユニット［ｈ，ｖ＋１］に画線Ａ’［ｈ，ｖ＋１］を有する条件に一致したとき、処理ｆ５にて、ユニット［ｈ，ｖ］における画線ａ［ｈ，ｖ］の追加を行う。すなわち、図６８（ｂ）に示されるように、ユニット［ｈ，ｖ］に、画線Ａ又は画線Ａ’の半分又は略半分の画線面積を有する画線ａが追加される。これにより、ユニット［ｈ，ｖ］とユニット［ｈ，ｖ＋１］間における肉眼視での濃度の不均衡が緩和される。一方、図４７に示される処理ｆ１４にて、ユニット［ｈ，ｖ］に画線Ｂ［ｈ，ｖ］を有し、かつ、ユニット［ｈ＋１，ｖ］に画線Ｂ’［ｈ＋１，ｖ］を有する条件に一致したとき、処理ｆ１５にて、ユニット［ｈ，ｖ］における画線ｂ［ｈ，ｖ］の追加を行う。すなわち、図６８（ｆ）に示されるように、ユニット［ｈ，ｖ］に、画線Ｂ又は画線Ｂ’の半分又は略半分の画線面積を有する画線ｂが追加される。これにより、ユニット［ｈ，ｖ］とユニット［ｈ＋１，ｖ］間における肉眼視での濃度の不均衡が緩和される。
【０２５１】
次に、図４６に示される処理ｆ６にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ［ｈ，ｖ＋２］を有する条件に一致したとき、処理ｆ７にて、ユニット［ｈ，ｖ＋１］に画線Ｅの追加を行う。すなわち、図６８（ｃ）に示されるように、ユニット［ｈ，ｖ＋１］に、画線Ａ又は画線Ａ’の半分又は略半分の画線面積を有する画線Ｅが追加される。これにより、ユニット［ｈ，ｖ］とユニット［ｈ，ｖ＋２］間における肉眼視での濃度の不均衡が緩和される。一方、図４７に示される処理ｆ１６にて、ユニット［ｈ，ｖ］に画線Ｂ’［ｈ，ｖ］を有し、ユニット［ｈ＋１，ｖ］に画線がなく、かつ、ユニット［ｈ＋２，ｖ］に画線Ｂ［ｈ＋２，ｖ］を有する条件に一致したとき、処理ｆ１７にて、ユニット［ｈ＋１，ｖ］に画線Ｅの追加を行う。すなわち、図６８（ｇ）に示されるように、ユニット［ｈ＋１，ｖ］に、画線Ｂ又は画線Ｂ’の半分又は略半分の画線面積を有する画線Ｅが追加される。これにより、ユニット［ｈ，ｖ］とユニット［ｈ＋２，ｖ］間における肉眼視での濃度の不均衡が緩和される。
【０２５２】
次に、図４６に示される処理ｆ８にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ’［ｈ，ｖ＋２］を有する条件に一致したとき、処理ｆ９にて、ユニット［ｈ，ｖ＋１］に画線Ｅ及び画線ａの追加を行う。すなわち、図６８（ｄ）に示されるように、ユニット［ｈ，ｖ＋１］に、画線Ａ又は画線Ａ’の半分又は略半分の画線面積を有する画線Ｅと画線ａが追加される。これにより、ユニット［ｈ，ｖ］とユニット［ｈ，ｖ＋２］間における肉眼視での濃度の不均衡が緩和される。一方、図４７に示される処理ｆ１８にて、ユニット［ｈ，ｖ］に画線Ｂ’［ｈ，ｖ］を有し、ユニット［ｈ＋１，ｖ］に画線がなく、かつ、ユニット［ｈ＋２，ｖ］に画線Ｂ’［ｈ＋２，ｖ］を有する条件に一致したとき、処理ｆ１９にて、ユニット［ｈ＋１，ｖ］に画線Ｅ及び画線ｂの追加を行う。すなわち、図６８（ｈ）に示されるように、ユニット［ｈ＋１，ｖ］に、画線Ｂ又は画線Ｂ’の半分又は略半分の画線面積を有する画線Ｅと画線ｂが追加される。これにより、ユニット［ｈ，ｖ］とユニット［ｈ＋２，ｖ］間における肉眼視での濃度の不均衡が緩和される。よって、これら図４６における処理ｆ４から処理ｆ８及び図４７における処理ｆ１４から処理ｆ１８が図６４（ａ）の印刷模様３に適用された場合、図６９に示される印刷模様３全域において、肉眼視での濃度の不均衡が緩和される。
【０２５３】
（偽造防止用印刷物Ｃ１０）
偽造防止用印刷物Ｃ９で示された濃度の不均衡の緩和方法は、ユニット［ｈ，ｖ］の画線構成において、連続階調を奏する画線Ｄの他に、濃度の不均衡を緩和させるため、画線ａ、画線ｂ及び画線Ｅを、図６１における画線Ｄが占める領域Ｔ内に設けているが、本発明の効果を妨げない範囲であれば、画線Ｄが占める領域Ｔの外にあっても良い。図７０（ａ）は、偽造防止用印刷物Ｃ１０におけるユニット［ｈ，ｖ］の画線構成を示したものである。基本的な画線構成は、図６１で示されたものと同様で、濃度の不均衡を緩和させるための画線ａ、画線ｂ及び画線Ｅの役割は偽造防止用印刷物Ｃ９と同じである。また、画線ａ、画線ｂ及び画線Ｅの位置は、画線Ａ、画線Ａ’、画線Ｂ、画線Ｂ’と隣接し、かつ、図６１で示された画線Ｄが占める領域の外にある。ユニット［ｈ，ｖ］内における画線ａ、画線ｂ及び画線Ｅのそれぞれの画線面積の合計は、ユニット［ｈ，ｖ］内における画線Ａ、画線Ａ’、画線Ｂ、又は画線Ｂ’の画線面積の半分又は略半分である。なお、画線Ｄは、図５８に示される任意の連続階調から成る模様４を構成するもので、図７０（ｂ）の概念図に示されるように、ハイライトからシャドーの連続階調に応じて画線Ｄの大きさが変化することで、図５８に示された印刷模様３の濃淡を決定している。
【０２５４】
さらに、マトリクス状に配置されたユニットの近傍部にて部分的に濃度が高く（濃く）見えたり、また、部分的に濃度が低く（淡く）見えたりして、肉眼視では濃度が不均衡となって見えるため、偽造防止用印刷物Ｃ９と同様に、図４６に示されたアルゴリズムの処理ｆ１〜ｆ３の条件に一致した画線Ａ’の削除を行い、併せて図４７に示されたアルゴリズムの処理ｆ１１〜ｆ１３の条件に一致した画線Ｂ’の削除を行う。その結果、図６６（ｂ）及び図６６（ｄ）に示されたものと同じ構成となる。
【０２５５】
次に、偽造防止用印刷物Ｃ９と同様に、肉眼視での濃度の不均衡が緩和させるための画線ａ、画線ｂ及び画線Ｅを、これら図４６における処理ｆ４から処理ｆ８及び図４７における処理ｆ１４から処理ｆ１８が図６４（ａ）の印刷模様３に適用することによって、図７１（ａ）〜（ｈ）に示される画線構成となる。さらに、図７２に示される印刷模様３全域において、肉眼視での濃度の不均衡が緩和される。
【０２５６】
（偽造防止用印刷物Ｃ１１）
偽造防止用印刷物Ｃ９及び偽造防止用印刷物Ｃ１０で示された濃度の不均衡の緩和方法は、ユニット［ｈ，ｖ］の画線構成において、濃度の不均衡を緩和させるため画線ａ、画線ｂ、画線Ｅを、連続階調を奏する画線Ｄの周囲に設けているが、本発明の効果を妨げない範囲であれば、図６１に示された画線Ｄが占める領域Ｔの中心又は略中心にあっても良い。図７３（ａ）は、偽造防止用印刷物Ｃ１１におけるユニット［ｈ，ｖ］の画線構成を示したものである。基本的な画線構成は、図６１で示されたものと同様で、濃度の不均衡を緩和させるための画線ａ、画線ｂ及び画線Ｅの役割は偽造防止用印刷物Ｃ９及び偽造防止用印刷物Ｃ１０と同じである。また、画線ａ、画線ｂ及び画線Ｅの位置は、画線Ａ、画線Ａ’、画線又は画線Ｂ’と接することはなく、かつ図６１で示された画線Ｄが占める領域の中心又は略中心にある。ユニット［ｈ，ｖ］内における画線ａ、画線ｂ及び画線Ｅのそれぞれの画線面積は、ユニット［ｈ，ｖ］内における画線Ａ、画線Ａ’、画線Ｂ、又は画線Ｂ’の画線面積の半分又は略半分である。なお、画線Ｄは、濃度の不均衡を緩和させるための画線ａ、画線ｂ及び画線Ｅを取り巻くドーナツ状の画線であり、図５８に示される任意の連続階調から成る模様４を構成するもので、図７３（ｂ）の概念図に示されるように、ハイライトからシャドーの連続階調に応じて画線Ｄのドーナツ状の画線の幅が変化することで、図５８に示された印刷模様３の濃淡を決定している。
【０２５７】
さらに、マトリクス状に配置されたユニットの近傍部にて部分的に濃度が高く（濃く）見えたり、また、部分的に濃度が低く（淡く）見えたりして、肉眼視では濃度が不均衡となって見えるため、偽造防止用印刷物Ｃ９と同様に、図４６に示されたアルゴリズムの処理ｆ１〜ｆ３の条件に一致した画線Ａ’の削除を行い、併せて、図４７に示されたアルゴリズムの処理ｆ１１〜ｆ１３の条件に一致した画線Ｂ’の削除を行う。その結果、図６６（ｂ）及び図６６（ｄ）に示されたものと同じ構成となる。
【０２５８】
次に、偽造防止用印刷物Ｃ９及び偽造防止用印刷物Ｃ１０と同様に、肉眼視での濃度の不均衡を緩和させるための画線ａ、画線ｂ及び画線Ｅを、これら図４６における処理ｆ４から処理ｆ８及び図４７における処理ｆ１４から処理ｆ１８を図６４（ａ）の印刷模様３に適用することによって、図７４（ａ）〜（ｈ）に示される画線構成となる。さらに、図７５に示される印刷模様３全域において、肉眼視での濃度の不均衡が緩和される。
【０２５９】
（偽造防止用印刷物Ｃ１２）
偽造防止用印刷物Ｃ９及びＣ１０で示された濃度の不均衡の緩和方法は、ユニット［ｈ，ｖ］の画線構成において、濃度の不均衡を緩和させるため画線ａ、画線ｂ及び画線Ｅを、連続階調を奏する画線Ｄの周囲に設けているが、本発明の効果を妨げない範囲であれば、図６１に示された画線Ｄを取り巻く配置にあっても良い。図７６（ａ）は、偽造防止用印刷物Ｃ１２におけるユニット［ｈ，ｖ］の画線構成を示したものである。基本的な画線構成は図６１で示されたものと同様で、濃度の不均衡を緩和させるための画線ａ、画線ｂ及び画線Ｅの役割は偽造防止用印刷物Ｃ９乃至Ｃ１１と同じである。また、画線ａ、画線ｂ及び画線Ｅの位置は、画線Ａ、画線Ａ’、画線Ｂ又は画線Ｂ’と接することはなく、かつ、図６１で示された画線Ｄを取り巻く配置にある。ユニット［ｈ，ｖ］内における画線ａ、画線ｂ及び画線Ｅのそれぞれの画線面積は、ユニット［ｈ，ｖ］内における画線Ａ、画線Ａ’、画線Ｂ、又は画線Ｂ’の画線面積の半分又は略半分である。なお、画線Ｄは円状の画線であり、その画線Ｄを取り巻くように濃度の不均衡を緩和させるための画線ａ、画線ｂ及び画線Ｅが配置され、図５８に示される任意の連続階調から成る模様４を構成している。図７６（ｂ）の概念図に示されるように、ハイライトからシャドーの連続階調に応じて画線Ｄの多さが変化するのに対し、画線Ｄを取り巻く画線ａ、画線ｂ及び画線Ｅは、画線Ｄの形状に合わせながらもハイライトからシャドーの中で画線面積は変化しないことで、図５８に示された印刷模様３の濃淡を決定している。
【０２６０】
さらに、マトリクス状に配置されたユニットの近傍部にて部分的に濃度が高く（濃く）見えたり、また、部分的に濃度が低く（淡く）見えたりして、肉眼視では濃度が不均衡となって見えるため、偽造防止用印刷物Ｃ９と同様に、図４６に示されたアルゴリズムの処理ｆ１〜ｆ３の条件に一致した画線Ａ’の削除を行い、併せて図４７に示されたアルゴリズムの処理ｆ１１〜ｆ１３の条件に一致した画線Ｂ’の削除を行う。その結果、図６６（ｂ）及び図６６（ｄ）に示されたものと同じ構成となる。
【０２６１】
次に、偽造防止用印刷物Ｃ９乃至Ｃ１１と同様に、肉眼視での濃度の不均衡を緩和させるための画線ａ、画線ｂ及び画線Ｅを、これら図４６における処理ｆ４から処理ｆ８及び図４７における処理ｆ１４から処理ｆ１８を図６４（ａ）の印刷模様３に適用することによって、図７７（ａ）〜（ｈ）に示される画線構成となる。さらに、図７８に示される印刷模様３全域において、肉眼視での濃度の不均衡が緩和される。
【０２６２】
また、図４６及び図４７に示される処理を行った際、印刷模様３を構成する画線中に、ユニット［ｈ，ｖ］内に画線Ａ又はＡ’及び画線Ｂ又はＢ’が完全に欠落したものができることがある。この場合、画線Ａ、Ａ’、Ｂ又はＢ’と略同じ画線面積を有する画線を、少なくとも図６１で示された画線Ｄが配置される領域内に追加することが望ましい。これにより、肉眼視での濃度の不均衡が一層緩和される。
【０２６３】
さらに、偽造防止用印刷物Ｃ９乃至Ｃ１２に示された画線Ａ、画線Ａ’、画線Ｂ、画線Ｂ’、画線ａ、画線ｂ及び画線Ｅは、本発明の効果を満足するものであれば如何なる形状であっても良い。
【０２６４】
（偽造防止用印刷物Ｃ１３）
上述した偽造防止用印刷物Ｃ９乃至Ｃ１２では、図７９に示された印刷模様３の部分拡大図（図７９の円内）のように、印刷模様３における連続階調から成る模様が画線Ｄの大きさが連続的に変化していることで写真画像を表現している。しかし、偽造防止用印刷物Ｃ９乃至Ｃ１２は、ユニットの寸法が４２３μｍであるから、連続階調におけるハイライト部の表現は微細な画線となるため、その微細な画線が表現できる解像度を有する印刷方法及び手段が必要となる。偽造防止用印刷物Ｃ１３は、画線Ａ、画線Ａ’、画線Ｂ及び画線Ｂ’が少なくとも解像できる印刷方法及び手段で実施できるように、同じ大きさから成る画線Ｄであっても良い。つまり、図８０に示される印刷模様３の部分拡大図（図８０の円内）のように、図６１で示された画線Ｄの占める領域に同一の画線面積にて成る着色された部分が、マトリクス状に配置されたユニットごとにランダムに着色されて相対的な写真階調を表現しても良い。このように画線Ｄを着色するための方法として公知の階調表現方法であるディザ法を用いても良い。これにより解像度の低いプリンタ等においても連続階調画像を備えた可視画像を設けることができる。なお、図７９及び図８０は、ユニット内に構成する各々の画線の基本的な位置関係をわかりやすくするため、画線Ａ、画線Ａ’、画線Ｂ及び画線Ｂ’がすべて着色された状態で表している。
【０２６５】
（偽造防止用印刷物Ｃ１４）
上述した偽造防止用印刷物Ｃ９乃至Ｃ１２では、図７９に示された印刷模様３の部分拡大図（図７９の円内）ように、印刷模様３における連続階調から成る模様が画線Ｄの大きさが連続的に変化していることで写真画像を表現している。しかし、偽造防止用印刷物Ｃ９乃至Ｃ１２は、特にオフセット印刷、凸版印刷、スクリーン印刷等の一般的にプリプレスと呼ばれる商用印刷での適用性を高めたものであり、本発明の技術はこの限りではない。偽造防止用印刷物Ｃ１４は、画線Ｄがグレースケール的に適当な濃度で塗りつぶされた画線とされている。つまり、図８１に示される印刷模様３の部分拡大図（図８１の円内）のように、図６１で示された画線Ｄの占める領域が、マトリクス状に配置されたユニットごとにグレースケール的に適当な濃度で着色されて相対的な写真階調を表現しても良い。このように画線Ｄの占める領域を着色するための方法として、写真高画質が印刷可能なインクジェットプリンタによっても連続階調画像を備えた可視画像を設けることができる。また、さらに、印刷物１に銀塩式感光材料が塗布された印画紙を用いても良い。なお、図７９及び図８１は、ユニット内に構成する各々の画線の基本的な位置関係をわかりやすくするため、画線Ａ、画線Ａ’、画線Ｂ及び画線Ｂ’がすべて着色された状態で表している。
【０２６６】
（偽造防止用印刷物Ｃ１５）
偽造防止用印刷物Ｃ９乃至Ｃ１４の連続階調を有する偽造防止用印刷物は、図６１に示された画線Ｄは単色に限らず、例えば、シアン、マゼンタ、イエロー及びブラックの減法混色から成る複数の画線によって構成しても良い。これにより、図５８に示された印刷模様３は任意の連続階調から成る模様４はカラー画像として表現することができる。この場合、カラー画像のための多色化される要素は、連続階調の可視画像を奏するための画線Ｄとしているが、不可視画像にカラー画像のための多色化を適用しても良い。つまり、不可視画像を構成する要素である画線Ａ、画線Ａ’、画線Ｂ及び画線Ｂ’に、任意の色彩を用いても良い。このとき、画線Ａと画線Ａ’、画線Ｂと画線Ｂ’の色彩が補色の関係であれば、通常の観察時には薄いグレーのように見える。例えば、図５８の印刷物１において、印刷模様３中の画線Ａと画線Ａ’をマゼンタで着色した場合、画線Ｂと画線Ｂ’はその補色であるグリーンを用いる。そして、印刷物１上に判別具２を所定の角度（これを０度とする）を持って重ね合わせると、図５９（ａ）又は図５９（ｂ）に示されたような第１の不可視画像５がマゼンタ色の可視画像となって発現する。また、印刷物１上に判別具２を所定の角度に対して９０度を成す角度を持って重ね合わせると、図６０（ａ）又は図６０（ｂ）に示されたような第２の不可視画像６がグリーン色の可視画像となって発現する。色の組み合わせは任意であり、例えば、可視画像を構成する画線Ｄを白黒画像とした場合、判別具２によって出現した第１の不可視画像５並びに第２の不可視画像６が着色されているので、観察者には、劇的な変化として認識することができる。このように、画線Ｄ、画線Ａ、画線Ａ’、画線Ｂ及び画線Ｂ’を様々な色で着色することにより、豊富なバリエーションの印刷物を得ることができる。
【０２６７】
連続階調を有する有意味な可視画像は、ハイライトからシャドーの連続階調を有していれば顔画像、文字、数字、図柄、絵柄、ロゴマーク等、特に限定されるものではない。可視画像は、文字、数字、図柄、絵柄、ロゴマーク等、特に限定されるものではない。なお、身分証明書、入場券等の本人確認が必要とされる印刷物を形成する場合は、連続階調を有する有意味な可視画像に顔画像とし、不可視画像を個人情報や発行日とすることが好ましい。本発明の連続階調を有する偽造防止用印刷物は、インクジェットプリンタ、レーザプリンタ等、特に限定されるものではない。本発明の偽造防止用印刷物Ｃ８乃至Ｃ１５の基材は、紙、プラスチック等、特に限定されるものではない。
【０２６８】
（網点データを作製する装置Ａ３）
前述した網点データを作製するための装置を、図８２に示す装置のブロック図をもとに説明する。網点データを作製する装置Ａ３は、画像入力手段１１、項目設定手段１２、演算手段１３及び画像出力手段１４を有している。
【０２６９】
（画像入力手段）
画像入力手段１１は、レンチキュラーレンズ又は万線フィルタを重ねた場合に不可視画像が潜像画像として視認される基となる図８３（ａ）に示すような第１の画像データ２３ａ及び第２の画像データ２３ｂを入力する手段である。第１の画像データ２３ａ及び第２の画像データ２３ｂは、個人情報等のテキストファイル（ＴＸＴ形式、ＣＳＶ形式）から所定の情報を取り出してイメージファイルに変換することで取得しても良い。
【０２７０】
（項目設定手段）
項目設定手段１２は、図８６に示すように網点データにおける解像度の設定を行う生成データ解像度設定部１５、着色の設定を行う着色設定部１６、第１の画線、第２の画線、第４の画線、第５の画線、第６の画線及び第７の画線の網点形状の設定を行う網点形状設定部１７を有し、設定項目ごとに設定を行う。
【０２７１】
（生成データ解像度設定部）
生成データ解像度設定部１５は、本発明における網点データの解像度を設定する。解像度の設定は、任意の解像度を入力しても良く、又はあらかじめ記憶してある複数の解像度から選択しても良い。
【０２７２】
（着色設定部）
着色設定部１６は、第１の画線、第２の画線、第４の画線、第５の画線、第６の画線及び第７の画線における『Ｃ』、『Ｍ』、『Ｙ』及び／又は『Ｋ』と背景部における『Ｃ』、『Ｍ』、『Ｙ』及び／又は『Ｋ』の設定を、任意の設定により設定する。『Ｃ』は、網点データから作製される偽造防止用印刷物に対するシアン成分の割合を示すものであり、『Ｍ』は、偽造防止用印刷物に対するマゼンタ成分の割合を示すものであり、『Ｙ』は、偽造防止用印刷物に対するイエロー成分の割合を示すものであり、『Ｋ』は、偽造防止用印刷物に対するブラック成分の割合を示すものである。なお、本発明の着色設定部の色彩は、『Ｃ』、『Ｍ』、『Ｙ』及び『Ｋ』に限定されることはなく、特色、蛍光インキ、金インキ、銀インキ等のプリンタで出力可能な色彩であればよい。
【０２７３】
（網点形状設定部）
網点形状設定部１７は、ユニットの高さ及び幅と、ユニット内に形成する第１の画線、第２の画線、第４の画線、第５の画線、第６の画線及び第７の画線の網点形状を設定する。
【０２７４】
（演算手段）
演算手段１３は、画像入力手段１１によって入力された第１の画像データ２３ａを項目設定手段１２によって設定された内容で第１の画線及び第２の画線から成る第１の不可視画像を有する画像データを形成し、第２の画像データ２３ｂを項目設定手段１２によって設定された内容で第５の画線及び第６の画線から成る第２の不可視画像を有する画像データを形成し、さらに、第１の不可視画像を有する画像データ及び濃度の不均衡を緩和するための第４の画線を合成し、第２の不可視画像を有する画像データ及び濃度の不均衡を緩和するための第７の画線を合成し、濃度の不均衡が緩和された第１の不可視画像を有する画像データと濃度の不均衡が緩和された第２の不可視画像を有する画像データを合成し、図８５（ｂ）に示すように合成画像データ２６（網点データ）を生成する。
【０２７５】
演算手段１３は、図８７に示すように、輪郭抽出部１８、不可視画像配置部１９、画線削除部２０及び濃度不均衡緩和画線配置部２１を有する。
【０２７６】
（輪郭抽出部）
輪郭抽出部１８は、図８３（ａ）に示した第１の画像データ２３ａの輪郭及び第２の画像データ２３ｂの輪郭を抽出し、図８３（ｂ）に示すように第１の画像データの輪郭画像データ２４ａ及び第２の画像データの輪郭画像データ２４ｂを生成する。
【０２７７】
（不可視画像配置部）
不可視画像配置部１９は、輪郭画像データ２４ａ及び輪郭画像データ２４ｂを用いて、図８３（ｃ）に示すように輪郭画像データ２４ａのユニットを輪郭内部の輪郭内部ユニット２４ａ１と輪郭外部ユニット２４ａ２に区分けし、輪郭画像データ２４ｂのユニットを輪郭内部の輪郭内部ユニット２４ｂ１と輪郭外部ユニット２４ｂ２に区分けし、図８４（ａ）に示すように輪郭内部ユニット２４ａ１内に第１の画線（Ａ）又は第２の画線（Ａ’）のいずれか一方をオンにして他方をオフにして配置し、輪郭外部ユニット２４ａ２内に第１の画線又は第２の画線の他方をオンとして一方をオフにして配置し、輪郭内部ユニット２４ｂ１内に第５の画線（Ｂ）又は第６の画線（Ｂ’）のいずれか一方をオンにして他方をオフにして配置し、輪郭外部ユニット２４ｂ２内に第５の画線又は第６の画線の他方をオンとして一方をオフにして配置する。
【０２７８】
（画線削除部）
画線削除部２０は、図８４（ｂ）に示すように輪郭画像データ２４ａの輪郭内部ユニット２４ａ１内及び輪郭外部ユニット２４ａ２内に配置された第１の画線及び第２の画線において、隣接して配置された第１の画線及び第２の画線がともにオン状態の場合に、第１の画線又は第２の画線のいずれか一方の画線を削除することでオフとする。また、輪郭画像データ２４ｂの輪郭内部ユニット２４ｂ１内及び輪郭外部ユニット２４ｂ２内に配置された第５の画線及び第６の画線において、隣接して配置された第５の画線及び第６の画線がともにオン状態の場合に、第５の画線又は第６の画線のいずれか一方の画線を削除することでオフとする。
【０２７９】
（濃度不均衡緩和画線配置部）
濃度不均衡緩和画線配置部２１は、図８５（ａ）に示すように第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線ａを、連続してオフとなる画線をはさむ第１の画線と第２の画線の中心又は略中心の位置に配置する。また、第５の画線又は第６の画線を削除した空間の位置及び複数隣接して配置されたユニットのうち、オフとなっている部分が隣接して配置されている位置に所定の領域における濃度の不均衡を緩和するために、第５の画線及び第６の画線における半分又は略半分の画線面積率、かつ、同色又は略同色の第７の画線ｂを、連続してオフとなる画線をはさむ第５の画線と第６の画線の中心又は略中心の位置に配置する。本発明で記載される略同色とは、色差ΔEが２以下のことをいう。
【０２８０】
（画像出力手段）
画像出力手段１４は、作製された網点データをもとに版面及び／又は印刷物を得る。画像出力手段１４の具体例としては、ハードディスク等の記憶装置、フィルム版面出力機等の製版装置又はプリンタ等の印刷装置が挙げられる。
【０２８１】
（網点データ作製用ソフトウェアにおける操作画面）
図８８に、網点データを作製するソフトウェアにおける操作画面の一例について示す。操作画面は、「画像入力設定部」及び「項目設定部」を有する。項目設定部は、「生成データ解像度設定部」、「着色設定部」及び「網点形状設定部」を有する。
【０２８２】
（画像入力設定部）
「画像入力設定部」（ａ）は、上述した画像入力手段に入力されるべき、第１の不可視画像となる第１の画像データ２３ａ及び第２の不可視画像となる第２の画像データ２３ｂを入力する。第１の画像データ及び第２の画像データの入力方法は、設計者が、例えば、あらかじめハードディスクに記録された画像ファイルを読み込むことで指定しても良い。
【０２８３】
（生成データ解像度設定部）
「生成データ解像度設定部」（ｂ）は、上述した項目設定手段により、本発明における網点データの解像度を設定する。解像度の設定は、設計者が任意に入力しても良く、あらかじめ記憶してある複数の解像度から選択しても良い。ここで設定する解像度は、網点データから作製される印刷物を得るために使用する製版装置又は印刷装置の解像度に合わせることが好ましく、例えば、フィルム版面出力機であれば２５４０ＤＰＩの解像度が一般的である。
【０２８４】
（着色設定部）
「着色設定部」（ｃ）は、上述した項目設定手段により、設計者が第１の不可視画像を有する第１の画像データの第１の画線及び第２の画線、第２の不可視画像を有する第２の画像データの第５の画線及び第６の画線、濃度の不均衡を緩和するための第４の画線及び第７の画線における『Ｃ』、『Ｍ』、『Ｙ』及び『Ｋ』の設定を行う。この設定は、推奨値による自動設定の場合と設計者による任意設定の場合とがある。また、『その他』として特色、蛍光インキ、金インキ、銀インキ等の設定を行うこともできる。なお、第１の画線、第２の画線及び第４の画線は、同色の必要があり、第５の画線、第６の画線及び第７の画線は、同色の必要がある。ただし、第１の画線、第２の画線、第４の画線、第５の画線、第６の画線及び第７の画線は、同色であることが好ましい。
【０２８５】
着色設定は、０％〜１００％の範囲で行う。０％の場合は完全な白であり、１００％の場合は画像として表現可能な最も濃い色となる。
【０２８６】
着色設定のうちの『Ｃ』は、網点データから作製される偽造防止用印刷物に対するシアン成分の割合を設定するものであり、『Ｍ』は、偽造防止用印刷物に対するマゼンタ成分の割合を設定するものであり、『Ｙ』は、偽造防止用印刷物に対するイエロー成分の割合を設定するものであり、『Ｋ』は、偽造防止用印刷物に対するブラック成分の割合を設定するものを示している。
【０２８７】
ここで指定された着色設定は、後に画像出力手段によって解釈され、印刷物又は版面等の出力物の結果に影響を与える。着色設定の解釈方法及びその影響は、各画像出力手段に依存するが、例えば、家庭用インクジェットプリンタによる出力時には、着色設定の値の大小は『Ｃ』、『Ｍ』、『Ｙ』及び『Ｋ』各インクの吐出量及び着弾インク密度の大小に影響を与えるのが一般的であり、例えば、フィルム版面出力機による出力時には、『Ｃ』、『Ｍ』、『Ｙ』及び『Ｋ』の各版面の網点面積の大小に影響を与えるのが一般的である。
【０２８８】
（網点形状設定部）
「網点形状設定部」（ｄ）は、上述した項目設定手段により、図８５（ｂ）に示す合成画像データのユニットのサイズを設定する。設定するユニットのサイズとしてはユニットの高さ及び幅の設定を行い、操作者が入力する。
【０２８９】
また、「網点形状設定部」（ｄ）は、前述した項目設定手段により、第１の不可視画像を有する第１の画像データの第１の画線の形状及び第２の画線の形状の設定、第２の不可視画像を有する第２の画像データの第５の画線の形状及び第６の画線の形状の設定、濃度の不均衡を緩和するための第４の画線及び第７の画線の形状を設定する。
【０２９０】
さらに、「網点形状設定部」（ｄ）は、前述した項目設定手段により、第１の不可視画像を有する第１の画像データの第１の画線のサイズ及び第２の画線のサイズの設定、第２の不可視画像を有する第２の画像データの第５の画線のサイズ及び第６の画線のサイズの設定、濃度の不均衡を緩和するための第４の画線及び第７の画線のサイズを設定する。設定する画線のサイズとしては、第１の不可視画像を形成する第１の画線の高さと幅と、第２の画線の高さと幅と、第２の不可視画像を形成する第５の画線の高さと幅と、第６の画線の高さと幅と、濃度の不均衡を緩和するための第４の画線及び第７の画線の高さと幅の設定を行う。なお、第１の画線と第２の画線の画線面積率は同一の必要があり、第５の画線と第６の画線の画線面積率は同一の必要があり、濃度の不均衡を緩和するための第４の画線は、第１の画線及び第２の画線における半分又は略半分の画線面積率の必要があり、濃度の不均衡を緩和するための第７の画線は、第５の画線及び第６の画線における半分又は略半分の画線面積率の必要がある。第１の画線、第２の画線、第５の画線、第６の画線、第４の画線及び第７の画線のサイズは、ユニット内に配置されるため、ユニットの設定サイズよりも小さいサイズで設定される。
【０２９１】
第１の不可視画像を有する第１の画像データの第１の画線の形状及び第２の画線の形状及び第２の不可視画像を有する第２の画像データの第５の画線の形状及び第６の画線の形状の種類としては、『長円形』、『長方形』、『半円形』、『ドーナツ形』、『円形』又は『正方形』が挙げられる。濃度の不均衡を緩和するための第４の画線及び第７の画線の種類としては、『円形』、『半円形』、『ドーナツ形』、『正方形』又は『長方形』が挙げられる。ただし、画線の形状については、本実施の形態に挙げた種類に限定されるものではなく、他の形状をソフトウェアに追加して、それを読み込んで選択しても構わない。
【０２９２】
（網点データを作製する装置Ａ４）
前述した網点データを作製するための装置Ａ４を、図８９に示す装置のブロック図をもとに説明する。網点データを作製する装置は、画像入力手段１１’、項目設定手段１２’、演算手段１３’及び画像出力手段１４’を有している。
【０２９３】
（画像入力手段）
画像入力手段１１’は、レンチキュラーレンズ又は万線フィルタを重ねた場合に不可視画像が潜像画像として視認される基となる、図９０（ａ）に示すような第１の画像データ２３ａ’及び第２の画像データ２３ｂ’と、図９０（ｂ）に示すような可視画像として視認される基となる第３の画像データ２３ｃを入力する手段である。可視画像として視認される基となる第３の画像データ２３ｃは、二値画像データ、階調画像データであっても良い。第１の画像データ２３ａ’及び第２の画像データ２３ｂ’は、個人情報等のテキストファイル（ＴＸＴ形式、ＣＳＶ形式）から所定の情報を取り出してイメージファイルに変換することで取得しても良い。
【０２９４】
（項目設定手段）
項目設定手段１２’は、図９３に示すように網点データにおける解像度の設定を行う生成データ解像度設定部１５’、着色の設定を行う着色設定部１６’、第１の画線、第２の画線、第３の画線、第４の画線、第５の画線、第６の画線及び第７の画線の網点形状の設定を行う網点形状設定部１７’を有し、設定項目ごとに設定を行う。
【０２９５】
（生成データ解像度設定部）
生成データ解像度設定部１５’は、本発明における網点データの解像度を設定する。解像度の設定は、任意の解像度を入力しても良く、又はあらかじめ記憶してある複数の解像度から選択しても良い。
【０２９６】
（着色設定部）
着色設定部１６’は、第１の画線、第２の画線、第３の画線、第４の画線、第５の画線、第６の画線及び第７の画線における『Ｃ』、『Ｍ』、『Ｙ』及び／又は『Ｋ』と背景部における『Ｃ』、『Ｍ』、『Ｙ』及び／又は『Ｋ』の設定を、任意の設定により設定する。『Ｃ』は、網点データから作製される偽造防止用印刷物に対するシアン成分の割合を示すものであり、『Ｍ』は、偽造防止用印刷物に対するマゼンタ成分の割合を示すものであり、『Ｙ』は、偽造防止用印刷物に対するイエロー成分の割合を示すものであり、『Ｋ』は、偽造防止用印刷物に対するブラック成分の割合を示すものである。なお、本発明の着色設定部の色彩は、『Ｃ』、『Ｍ』、『Ｙ』及び『Ｋ』に限定させることなく、特色、蛍光インキ、金インキ、銀インキ等のプリンタで出力可能な色彩であれば限定されることがない。
【０２９７】
（網点形状設定部）
網点形状設定部１７’は、ユニットの高さ及び幅と、ユニット内に形成する第１の画線、第２の画線、第３の画線、第４の画線、第５の画線、第６の画線及び第７の画線の網点形状を設定する。
【０２９８】
（演算手段）
演算手段１３’は、画像入力手段１１’によって入力された第１の画像データ２３ａ’を項目設定手段１２’によって設定された内容で第１の画線及び第２の画線から成る第１の不可視画像を有する画像データを形成し、第２の画像データ２３ｂ’を項目設定手段１２’によって設定された内容で第５の画線及び第６の画線から成る第２の不可視画像を有する画像データを形成し、第３の画像データ２３ｃを項目設定手段１２’によって設定された内容で第３の画線から成る可視画像を有する画像データを形成し、さらに、第１の不可視画像を有する画像データ及び濃度の不均衡を緩和するための第４の画線を合成し、第２の不可視画像を有する画像データ及び濃度の不均衡を緩和するための第７の画線を合成し、濃度の不均衡が緩和された第１の不可視画像を有する画像データ、濃度の不均衡が緩和された第２の不可視画像を有する画像データ及び第３の画線から成る可視画像を有する画像データを合成し、図９２に示すように合成画像データ２６’（網点データ）を生成する。
【０２９９】
演算手段１３’は、図９４に示すように、輪郭抽出部１８’、不可視画像配置部１９’、可視画像配置部２２、画線削除部２０’及び濃度不均衡緩和画線配置部２１’を有する。
【０３００】
（輪郭抽出部）
輪郭抽出部１８’は、図９０（ａ）に示した第１の画像データ２３ａ’の輪郭及び第２の画像データ２３ｂ’の輪郭を抽出し、図９０（ｂ）に示すように第１の画像データの輪郭画像データ２４ａ’及び第２の画像データの輪郭画像データ２４ｂ’を生成する。
【０３０１】
（不可視画像配置部）
不可視画像配置部１９’は、輪郭画像データ２４ａ’及び輪郭画像データ２４ｂ’を用いて、図９０（ｃ）に示すように輪郭画像データ２４ａ’のユニットを輪郭内部の輪郭内部ユニット２４ａ１’と輪郭外部ユニット２４ａ２’に区分けし、輪郭画像データ２４ｂ’のユニットを輪郭内部の輪郭内部ユニット２４ｂ１’と輪郭外部ユニット２４ｂ２’に区分けし、図９１（ａ）に示すように輪郭内部ユニット２４ａ１’内に第１の画線又は第２の画線のいずれか一方をオンにして他方をオフにして配置し、輪郭外部ユニット２４ａ２’内に第１の画線又は第２の画線の他方をオンとして一方をオフにして配置し、輪郭内部ユニット２４ｂ１’内に第５の画線又は第６の画線のいずれか一方をオンにして他方をオフにして配置し、輪郭外部ユニット２４ｂ２’内に第５の画線又は第６の画線の他方をオンとして一方をオフにして配置する。
【０３０２】
（可視画像配置部）
可視画像配置部は、ユニットの中心、略中心及び四隅の少なくとも一つに可視画像を形成するための第３の画線を配置する。例えば、図９０（ｄ）はユニットの四隅に第３の画線を形成した例であり、図９２（ｂ）に示すように前述した演算手段によって合成画像データが得られる。
【０３０３】
（画線削除部）
画線削除部２０’は、図９１（ｂ）に示すように輪郭画像データ２４ａ’の輪郭内部ユニット２４ａ１’内及び輪郭外部ユニット２４ａ２’内に配置された第１の画線及び第２の画線において、隣接して配置された第１の画線及び第２の画線がともにオン状態の場合に、第１の画線又は第２の画線のいずれか一方の画線をオフにすることで削除する。また、輪郭画像データ２４ｂ’の輪郭内部ユニット２４ｂ１’内及び輪郭外部ユニット２４ｂ２’内に配置された第５の画線及び第６の画線において、隣接して配置された第５の画線及び第６の画線がともにオン状態の場合に、第５の画線又は第６の画線のいずれか一方の画線をオフにすることで削除する。
【０３０４】
（濃度不均衡緩和画線配置部）
濃度不均衡緩和画線配置部２１’は、図９２（ａ）に示すように第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線ａを配置する。また、第５の画線又は第６の画線を削除した空間の位置及び複数隣接して配置されたユニットのうち、オフとなっている部分が隣接して配置されている位置に所定の領域における濃度の不均衡を緩和するために、第５の画線及び第６の画線における半分又は略半分の画線面積率、かつ、同色又は略同色の第７の画線ｂを配置する。
【０３０５】
（画像出力手段）
画像出力手段１４’は、作製された網点データをもとに版面及び／又は印刷物を得る。画像出力手段の具体例としては、ハードディスク等の記憶装置、フィルム版面出力機等の製版装置又はプリンタ等の印刷装置が挙げられる。
【０３０６】
（網点データ作製用ソフトウェアにおける操作画面）
図９５に、網点データを作製するソフトウェアにおける操作画面の一例について示す。操作画面は、「画像入力設定部」及び「項目設定部」を有する。項目設定部は、「生成データ解像度設定部」、「着色設定部」及び「網点形状設定部」を有する。
【０３０７】
（画像入力設定部）
「画像入力設定部」（ａ）は、上述した画像入力手段に入力されるべき、第１の不可視画像となる第１の画像データ２３ａ’及び第２の不可視画像となる第２の画像データ２３ｂ’並びに可視画像となる第３の画像データ２３ｃを入力する。第１の画像データ、第２の画像データ及び第３の画像データの入力方法は、設計者が、例えば、あらかじめハードディスクに記録された画像ファイルを読み込むことで指定しても良い。
【０３０８】
（生成データ解像度設定部）
「生成データ解像度設定部」（ｂ）は、上述した項目設定手段により、本発明における網点データの解像度を設定する。解像度の設定は、設計者が任意に入力しても良く、あらかじめ記憶してある複数の解像度から選択しても良い。ここで設定する解像度は、網点データから作製される印刷物を得るために使用する製版装置又は印刷装置の解像度に合わせることが好ましく、例えば、フィルム版面出力機であれば２５４０ＤＰＩの解像度が一般的である。
【０３０９】
（着色設定部）
「着色設定部」（ｃ）は、上述した項目設定手段により、設計者が第１の不可視画像を有する第１の画像データの第１の画線及び第２の画線、第２の不可視画像を有する第２の画像データの第５の画線及び第６の画線、可視画像データである第３の画像データの第３の画線、濃度の不均衡を緩和するための第４の画線及び第７の画線における『Ｃ』、『Ｍ』、『Ｙ』及び『Ｋ』の設定を行う。この設定は、推奨値による自動設定の場合と設計者による任意設定の場合とがある。また、『その他』として特色、蛍光インキ、金インキ、銀インキ等の設定を行うこともできる。ただし、第１の画線、第２の画線、第５の画線、第６の画線、第４の画線及び第７の画線は、同色の必要がある。
【０３１０】
着色設定は、０％〜１００％の範囲で行う。０％の場合は完全な白であり、１００％の場合は画像として表現可能な最も濃い色となる。
【０３１１】
着色設定のうちの『Ｃ』は、網点データから作製される偽造防止用印刷物に対するシアン成分の割合を設定するものであり、『Ｍ』は、偽造防止用印刷物に対するマゼンタ成分の割合を設定するものであり、『Ｙ』は、偽造防止用印刷物に対するイエロー成分の割合を設定するものであり、『Ｋ』は、偽造防止用印刷物に対するブラック成分の割合を設定するものを示している。
【０３１２】
ここで指定された着色設定は、後に画像出力手段によって解釈され、印刷物又は版面等の出力物の結果に影響を与える。着色設定の解釈方法及びその影響は、各画像出力手段に依存するが、例えば、家庭用インクジェットプリンタによる出力時には、着色設定の値の大小は『Ｃ』、『Ｍ』、『Ｙ』及び『Ｋ』各インクの吐出量及び着弾インク密度の大小に影響を与えるのが一般的であり、例えば、フィルム版面出力機による出力時には、『Ｃ』、『Ｍ』、『Ｙ』及び『Ｋ』の各版面の網点面積の大小に影響を与えるのが一般的である。
【０３１３】
（網点形状設定部）
「網点形状設定部」（ｄ）は、上述した項目設定手段により、図９２（ｂ）に示す合成画像データのユニットのサイズを設定する。設定するユニットのサイズとしてはユニットの高さ及び幅の設定を行い、操作者が入力する。
【０３１４】
また、「網点形状設定部」（ｄ）は、前述した項目設定手段により、第１の不可視画像を有する第１の画像データの第１の画線の形状及び第２の画線の形状の設定、第２の不可視画像を有する第２の画像データの第５の画線の形状及び第６の画線の形状の設定、可視画像となる第３の画像データの第３の画線の形状の設定、濃度の不均衡を緩和するための第４の画線及び第７の画線の形状を設定する。
【０３１５】
さらに、「網点形状設定部」（ｄ）は、前述した項目設定手段により、第１の不可視画像を有する第１の画像データの第１の画線のサイズ及び第２の画線のサイズの設定、第２の不可視画像を有する第２の画像データの第５の画線のサイズ及び第６の画線のサイズの設定、可視画像となる第３の画像データの第３の画線のサイズの設定、濃度の不均衡を緩和するための第４の画線及び第７の画線のサイズを設定する。設定する画線のサイズとしては第１の不可視画像を形成する第１の画線の高さと幅と、第２の画線の高さと幅と、第２の不可視画像を形成する第５の画線の高さと幅と、第６の画線の高さと幅と、可視画像となる第３の画線の高さと幅と、濃度の不均衡を緩和するための第４の画線及び第７の画線の高さと幅の設定を行う。なお、第１の画線と第２の画線の画線面積率は同一の必要があり、第５の画線と第６の画線の画線面積率は同一の必要があり、濃度の不均衡を緩和するための第４の画線は、第１の画線及び第２の画線における半分又は略半分の画線面積率の必要があり、濃度の不均衡を緩和するための第７の画線は、第５の画線及び第６の画線における半分又は略半分の画線面積率の必要がある。第１の画線、第２の画線、第３の画線、第４の画線、第５の画線、第６の画線及び第７の画線のサイズは、ユニット内に配置されるため、ユニットの設定サイズよりも小さいサイズで設定される。なお、可視画像が階調画像の場合は、第３の画線の高さ及び幅は一定ではなく、ハイライト部からシャドー部にかけて大きさが徐々に変化する。
【０３１６】
第１の不可視画像を有する第１の画像データの第１の画線の形状及び第２の画線の形状及び第２の不可視画像を有する第２の画像データの第５の画線の形状及び第６の画線の形状の種類としては、『長円形』、『長方形』、『半円形』、『ドーナツ形』、『円形』又は『正方形』が挙げられる。可視画像となる第３の画線データの第３の画線の種類としては、『円形』、『半円形』、『ドーナツ形』、『正方形』又は『長方形』が挙げられる。濃度の不均衡を緩和するための第４の画線及び第７の画線の種類としては、『円形』、『半円形』、『ドーナツ形』、『正方形』又は『長方形』が挙げられる。ただし、画線の形状については、本実施の形態に挙げた種類に限定されるものではなく、他の形状をソフトウェアに追加して、それを読み込んで選択しても構わない。
【０３１７】
（網点データの作製用ソフトウェアＢ３）
前述の網点データ作製装置Ａ３を用いて、網点データを作製するソフトウェアＢ３について、図９６に示すフローチャートをもとに説明する。
【０３１８】
（画像入力ステップ）
第１に、画像入力手段により、操作画面の「画像入力設定部」（ａ）において、設計者がレンチキュラーレンズ又は万線フィルタを重ねた場合に第１の不可視画像及び第２の不可視画像が潜像画像として視認される基となる図８３（ａ）に示すような第１の画像データ２３ａ及び第２の画像データ２３ｂの入力を行う（ＳＴＥＰ１）。画像の入力方法については、網点データの設計者が、あらかじめハードディスクに記録された画像ファイルを読み込むことで指定する。第１の画像データ２３ａ及び第２の画像データ２３ｂは、個人情報等のテキストファイル（ＴＸＴ形式、ＣＳＶ形式）から所定の情報を取り出してイメージファイルに変換することで取得しても良い。
【０３１９】
（設定項目ステップ）
第２に、項目設定手段により、図８５（ｂ）に示すような合成画像データ２６を生成するための、網点データにおける解像度の設定、着色の設定及び第１の画線、第２の画線、第４の画線、第５の画線、第６の画線及び第７の画線の網点形状の設定を、設定項目ごとに行う（ＳＴＥＰ２）。
【０３２０】
（演算ステップ）
第３に、演算手段により、入力された第１の画像データを項目設定手段によって設定された内容で第１の画線及び第２の画線から成る第１の不可視画像を有する画像データを形成し、第２の画像データを項目設定手段によって設定された内容で第５の画線及び第６の画線から成る第２の不可視画像を有する画像データを形成し、さらに、第１の不可視画像を有する画像データ及び濃度の不均衡を緩和するための第４の画線を合成し、第２の不可視画像を有する画像データ及び濃度の不均衡を緩和するための第７の画線を合成し、濃度の不均衡が緩和された第１の不可視画像を有する画像データと濃度の不均衡が緩和された第２の不可視画像を有する画像データを合成して、図８５（ｂ）に示すような合成画像データ２６（網点データ）を生成する。画像入力手段による画像の入力、項目設定手段による生成データ解像度の設定及び網点の設定が終了した時点で、操作画面における「変換」を行う。以降の工程は、すべて演算手段による処理となる。
【０３２１】
（設定項目ステップ）
設定項目ステップについて詳細に説明する。図９７に示すように設定項目ステップは、生成データ解像度設定ステップ、着色設定ステップ及び網点形状設定ステップを有する。
【０３２２】
（生成データ解像度設定ステップ）
項目設定手段により、操作画面の「生成データ解像度設定部」（ｂ）において、設計者が本発明における網点データの解像度を設定する。生成データ解像度の設定方法は、設計者が任意に入力しても良く、あらかじめ記憶してある複数の解像度から選択しても良い（ＳＴＥＰ２−１）。
【０３２３】
（着色設定ステップ）
項目設定手段により、操作画面の「着色設定部」（ｃ）において、設計者が第１の不可視画像を有する第１の画像データの第１の画線及び第２の画線、第２の不可視画像を有する第２の画像データの第５の画線及び第６の画線、濃度の不均衡を緩和するための第４の画線及び第７の画線における『Ｃ』、『Ｍ』、『Ｙ』及び『Ｋ』の設定を行う。この設定は、推奨値による自動設定の場合と設計者による任意設定の場合とがある（ＳＴＥＰ２−２）。
【０３２４】
（網点形状設定ステップ）
項目設定手段により、操作画面の「網点形状設定部」（ｄ）において、設計者が第１の不可視画像を有する第１の画像データ及び第２の不可視画像を有する第２の画像データのユニットのサイズを設定する。設定するユニットのサイズとしては、ユニットの高さ及び幅の設定を行う（ＳＴＥＰ２−３）。ユニットのサイズは操作者が入力する。
【０３２５】
また、「網点形状設定部」（ｄ）は、前述した項目設定手段により、第１の不可視画像を有する第１の画像データの第１の画線の形状及び第２の画線の形状の設定、第２の不可視画像を有する第２の画像データの第５の画線の形状及び第６の画線の形状の設定、濃度の不均衡を緩和するための第４の画線及び第７の画線の形状を設定する。
【０３２６】
さらに、「網点形状設定部」（ｄ）は、前述した項目設定手段により、第１の不可視画像を有する第１の画像データの第１の画線のサイズ及び第２の画線のサイズの設定、第２の不可視画像を有する第２の画像データの第５の画線のサイズ及び第６の画線のサイズの設定、濃度の不均衡を緩和するための第４の画線及び第７の画線のサイズを設定する。設定する画線のサイズとしては第１の不可視画像を形成する第１の画線の高さと幅と、第２の画線の高さと幅と、第２の不可視画像を形成する第５の画線の高さと幅と、第６の画線の高さと幅と、濃度の不均衡を緩和するための第４の画線及び第７の画線の高さと幅の設定を行う。なお、濃度の不均衡を緩和するための第４の画線は、第１の画線及び第２の画線における半分又は略半分の画線面積率の必要がある。また、なお、濃度の不均衡を緩和するための第７の画線は、第５の画線及び第６の画線における半分又は略半分の画線面積率の必要がある。第１の画線、第２の画線、第４の画線、第５の画線、第６の画線及び第７の画線のサイズは、ユニット内に配置されるため、ユニットの設定サイズよりも小さいサイズで設定される。ＳＴＥＰ２−１乃至ＳＴＥＰ２−３の順序は特に限定されるものではなく、最終的に合成画像データが得られればよい。
【０３２７】
（演算ステップ）
演算ステップについて詳細に説明する。演算ステップは、図９８に示すように輪郭抽出ステップ、不可視画像配置ステップ、画線削除ステップ及び濃度不均衡緩和画線配置ステップを有する。
【０３２８】
（輪郭抽出ステップ）
第１に、輪郭抽出部によって、図８３（ａ）に示した第１の画像データ及び第２の画像データの輪郭を抽出し、図８３（ｂ）に示す第１の画像データの輪郭画像データ２４ａ及び第２の画像データの輪郭画像データ２４ｂを生成する（ＳＴＥＰ３−１）。
【０３２９】
（不可視画像配置ステップ）
第２に、不可視画像配置部によって図８３（ｂ）に示した輪郭画像データ２４ａ及び輪郭画像データ２４ｂを用いて、図８３（ｃ）に示すように輪郭画像データ２４ａのユニットを輪郭内部の輪郭内部ユニット２４ａ１と輪郭外部ユニット２４ａ２に区分けし、輪郭画像データ２４ｂのユニットを輪郭内部の輪郭内部ユニット２４ｂ１と輪郭外部ユニット２４ｂ２に区分けし、図８４（ａ）に示すように輪郭内部ユニット２４ａ１内に第１の画線又は第２の画線のいずれか一方をオンにして他方をオフにして配置し、輪郭外部ユニット２４ａ２内に第１の画線又は第２の画線の他方をオンとして一方をオフにして配置し、輪郭内部ユニット２４ｂ１内に第５の画線又は第６の画線のいずれか一方をオンにして他方をオフにして配置し、輪郭外部ユニット２４ｂ２内に第５の画線又は第６の画線の他方をオンとして一方をオフにして配置する。
（ＳＴＥＰ３−２）。
【０３３０】
（画線削除ステップ）
第３に、画線削除部によって、図８４（ａ）及び図８４（ｂ）に示すように輪郭画像データ２４ａの輪郭内部ユニット２４ａ１内及び輪郭外部ユニット２４ａ２内に配置された第１の画線及び第２の画線において、隣接して配置された第１の画線及び第２の画線がともにオン状態の場合に、第１の画線又は第２の画線のいずれか一方の画線を削除することでオフとする。また、輪郭画像データ２４ｂの輪郭内部ユニット２４ｂ１内及び輪郭外部ユニット２４ｂ２内に配置された第５の画線及び第６の画線において、隣接して配置された第５の画線及び第６の画線がともにオン状態の場合に、第５の画線又は第６の画線のいずれか一方の画線を削除することでオフとする（ＳＴＥＰ３−３）。
【０３３１】
（濃度不均衡緩和画線配置ステップ）
第４に、濃度不均衡緩和画線配置部によって、図８５（ａ）に示すように第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線ａを、連続してオフとなる画線をはさむ第１の画線と第２の画線の中心又は略中心の位置に配置する。また、第５の画線又は第６の画線を削除した空間の位置及び複数隣接して配置されたユニットのうち、オフとなっている部分が隣接して配置されている位置に所定の領域における濃度の不均衡を緩和するために、第５の画線及び第６の画線における半分又は略半分の画線面積率、かつ、同色又は略同色の第７の画線ｂを、連続してオフとなる画線をはさむ第５の画線と第６の画線の中心又は略中心の位置に配置し、図８５（ｂ）に示す合成画像データ２６（網点データ）を生成する（ＳＴＥＰ３−４）。
【０３３２】
以上の工程を経て合成画像データ（網点データ）が作製される。作製された網点データには、第１の画線、第２の画線から成る第１の不可視画像を有する第１の画像データと、第５の画線、第６の画線から成る第２の不可視画像を有する第２の画像データと、濃度の不均衡を緩和するための第４の画線及び第７の画線が含まれる。
【０３３３】
（画像出力ステップ）
さらに、作製された網点データをもとに偽造防止用印刷物を作製することも可能である（ＳＴＥＰ４）。この偽造防止用印刷物の作製には、例えば、画像データを色分解して印刷版面を出力し、商業印刷機によって印刷する方法、画像データを基に、直接インクジェットプリンタにより出力する方法等がある。
【０３３４】
（網点データの作製用ソフトウェアＢ４）
前述の網点データ作製装置Ａ４を用いて、網点データを作製するソフトウェアＢ４について、図９９に示すフローチャートをもとに説明する。
【０３３５】
（画像入力ステップ）
第１に、画像入力手段により、操作画面の「画像入力設定部」（ａ）において、設計者がレンチキュラーレンズ又は万線フィルタを重ねた場合に第１の不可視画像及び第２の不可視画像が潜像画像として視認される基となる図９０（ａ）に示すような第１の画像データ２３ａ’及び第２の画像データ２３ｂ’並びに可視画像として視認される基となる第３の画像データ２３ｃの入力を行う（ＳＴＥＰ１）。可視画像として視認される基となる第３の画像データ２３ｃは、二値画像データ、階調画像データであっても良い。画像の入力方法については、網点データの設計者が、あらかじめハードディスクに記録された画像ファイルを読み込むことで指定する。第１の画像データ２３ａ’及び第２の画像データ２３ｂ’は、個人情報等のテキストファイル（ＴＸＴ形式、ＣＳＶ形式）から所定の情報を取り出してイメージファイルに変換することで取得しても良い。
【０３３６】
（設定項目ステップ）
第２に、項目設定手段により、図９２（ｂ）に示すような合成画像データ２６’を生成するための、網点データにおける解像度の設定、着色の設定及び第１の画線、第２の画線、第３の画線、第４の画線、第５の画線、第６の画線及び第７の画線の網点形状の設定を、設定項目ごとに行う（ＳＴＥＰ２）。
【０３３７】
（演算ステップ）
第３に、演算手段により、入力された第１の画像データを項目設定手段によって設定された内容で第１の画線及び第２の画線から成る第１の不可視画像を有する画像データを形成し、第２の画像データを項目設定手段によって設定された内容で第５の画線及び第６の画線から成る第２の不可視画像を有する画像データを形成し、入力された第３の画像データを項目設定手段によって設定された内容で第３の画線から成る可視画像を有する画像データを形成し、さらに、第１の不可視画像を有する画像データ及び濃度の不均衡を緩和するための第４の画線を合成し、第２の不可視画像を有する画像データ及び濃度の不均衡を緩和するための第７の画線を合成し、濃度の不均衡が緩和された第１の不可視画像を有する画像データ、濃度の不均衡が緩和された第２の不可視画像を有する画像データ及び第３の画線から成る可視画像を有する画像データを合成し、図９２（ｂ）に示すように合成画像データ２６’（網点データ）を生成する。画像入力手段による画像の入力、項目設定手段による生成データ解像度の設定及び網点の設定が終了した時点で、操作画面における「変換」を行う。以降の工程は、すべて演算手段による処理となる。
【０３３８】
（設定項目ステップ）
設定項目ステップについて詳細に説明する。設定項目ステップは、図１００に示すように生成データ解像度設定ステップ、着色設定ステップ及び網点形状設定ステップを有する。
【０３３９】
（生成データ解像度設定ステップ）
項目設定手段により、操作画面の「生成データ解像度設定部」（ｂ）において、設計者が本発明における網点データの解像度を設定する。生成データ解像度の設定方法は、設計者が任意に入力しても良く、あらかじめ記憶してある複数の解像度から選択しても良い（ＳＴＥＰ２−１）。
【０３４０】
（着色設定ステップ）
項目設定手段により、操作画面の「着色設定部」（ｃ）において、設計者が第１の不可視画像を有する第１の画像データの第１の画線及び第２の画線、第２の不可視画像を有する第２の画像データの第５の画線及び第６の画線、可視画像となる第３の画像データ、濃度の不均衡を緩和するための第４の画線及び第７の画線における『Ｃ』、『Ｍ』、『Ｙ』及び『Ｋ』の設定を行う。この設定は、推奨値による自動設定の場合と設計者による任意設定の場合とがある（ＳＴＥＰ２−２）。また、第３の画線は、階調を有する顔画像等からなるフルカラーの色彩であってもよい。
【０３４１】
（網点形状設定ステップ）
項目設定手段により、操作画面の「網点形状設定部」（ｄ）において、合成画像データのユニットのサイズを設定する。設定するユニットのサイズとしては、ユニットの高さ及び幅の設定を行い、操作者が入力する（ＳＴＥＰ２−３）。
【０３４２】
また、「網点形状設定部」（ｄ）は、前述した項目設定手段により、第１の不可視画像を有する第１の画像データの第１の画線の形状及び第２の画線の形状の設定、第２の不可視画像を有する第２の画像データの第５の画線の形状及び第６の画線の形状の設定、可視画像となる第３の画像データの第３の画線の形状の設定、濃度の不均衡を緩和するための第４の画線及び第７の画線の形状を設定する。
【０３４３】
さらに、「網点形状設定部」（ｄ）は、前述した項目設定手段により、第１の不可視画像を有する第１の画像データの第１の画線のサイズ及び第２の画線のサイズの設定、第２の不可視画像を有する第２の画像データの第５の画線のサイズ及び第６の画線のサイズの設定、可視画像となる第３の画像データの第３の画線のサイズの設定、濃度の不均衡を緩和するための第４の画線及び第７の画線のサイズを設定する。設定する画線のサイズとしては第１の不可視画像を形成する第１の画線の高さと幅と、第２の画線の高さと幅と、第２の不可視画像を形成する第５の画線の高さと幅と、第６の画線の高さと幅と、可視画像となる第３の画線の高さと幅と、濃度の不均衡を緩和するための第４の画線及び第７の画線の高さと幅の設定を行う。なお、濃度の不均衡を緩和するための第４の画線は、第１の画線及び第２の画線における半分又は略半分の画線面積率とする必要があり、濃度の不均衡を緩和するための第７の画線は、第５の画線及び第６の画線における半分又は略半分の画線面積率とする必要がある。第１の画線、第２の画線、第３の画線、第４の画線、第５の画線、第６の画線及び第７の画線のサイズは、ユニット内に配置されるため、ユニットの設定サイズよりも小さいサイズで設定される。なお、可視画像が階調画像の場合は、第３の画線の高さ及び幅は一定ではなく、ハイライト部からシャドー部にかけて大きさが徐々に変化する。ＳＴＥＰ２−１乃至ＳＴＥＰ２−３の順序は特に限定されるものではなく、最終的に合成画像データが得られればよい。
【０３４４】
（演算ステップ）
演算ステップについて詳細に説明する。演算ステップは、図１０１に示すように輪郭抽出ステップ、不可視画像配置ステップ、画線削除ステップ、濃度不均衡緩和画線配置ステップ及び可視画像配置ステップを有する。
【０３４５】
（輪郭抽出ステップ）
第１に、輪郭抽出部によって、図９０（ａ）に示した第１の画像データ２３ａ’及び第２の画像データ２３ｂ’の輪郭を抽出し、図９０（ｂ）に示す第１の画像データの輪郭画像データ２４ａ’及び第２の画像データの輪郭画像データ２４ｂ’を生成する（ＳＴＥＰ３−１）。
【０３４６】
（不可視画像配置ステップ）
第２に、不可視画像配置部によって図９０（ｂ）に示した輪郭画像データ２４ａ’及び輪郭画像データ２４ｂ’を用いて、図９０（ｃ）に示すように輪郭画像データ２４ａ’のユニットを輪郭内部の輪郭内部ユニット２４ａ１’と輪郭外部ユニット２４ａ２’に区分けし、輪郭画像データ２４ｂ’のユニットを輪郭内部の輪郭内部ユニット２４ｂ１’と輪郭外部ユニット２４ｂ２’に区分けし、図９１（ａ）に示すように輪郭内部ユニット２４ａ１’内に第１の画線又は第２の画線のいずれか一方をオンにして他方をオフにして配置し、輪郭外部ユニット２４ａ２’内に第１の画線又は第２の画線の他方をオンとして一方をオフにして配置し、輪郭内部ユニット２４ｂ１’内に第５の画線又は第６の画線のいずれか一方をオンにして他方をオフにして配置し、輪郭外部ユニット２４ｂ２’内に第５の画線又は第６の画線の他方をオンとして一方をオフにして配置する。
（ＳＴＥＰ３−２）。
【０３４７】
（可視画線配置ステップ）
第５に、可視画像配置部によって、第１の画線、第２の画線、第３の画線、第４の画線、第５の画線、第６の画線及び第７の画線がない領域にユニットの中心、略中心及び四隅の少なくとも一つに可視画像を形成するための第３の画線を配置する（ＳＴＥＰ３−３）。例えば、図９０（ｄ）はユニットの四隅に第３の画線を形成した例であり、図９２（ｂ）に示すように前述した演算手段によって合成画像データが得られる。
【０３４８】
（画線削除ステップ）
第３に、画線削除部によって、図９１（ａ）及び図９１（ｂ）に示すように輪郭画像データ２４ａ’の輪郭内部ユニット２４ａ１’内及び輪郭外部ユニット２４ａ２’内に配置された第１の画線及び第２の画線において、隣接して配置された第１の画線及び第２の画線がともにオン状態の場合に、第１の画線又は第２の画線のいずれか一方の画線を削除することでオフとする。また、輪郭画像データ２４ｂ’の輪郭内部ユニット２４ｂ１’内及び輪郭外部ユニット２４ｂ２’内に配置された第５の画線及び第６の画線において、隣接して配置された第５の画線及び第６の画線がともにオン状態の場合に、第５の画線又は第６の画線のいずれか一方の画線を削除することでオフとする（ＳＴＥＰ３−４）。
【０３４９】
（濃度不均衡緩和画線配置ステップ）
第４に、濃度不均衡緩和画線配置部によって、図９２（ａ）に示すように第１の画線又は第２の画線を削除した空間の位置及び複数隣接して配置されたユニットのうち、オフとなっている部分が隣接して配置されている位置に所定の領域における濃度の不均衡を緩和するために、第１の画線及び第２の画線における半分又は略半分の画線面積率、かつ、同色又は略同色の第４の画線ａを配置する。また、第５の画線又は第６の画線を削除した空間の位置及び複数隣接して配置されたユニットのうち、オフとなっている部分が隣接して配置されている位置に所定の領域における濃度の不均衡を緩和するために、第５の画線及び第６の画線における半分又は略半分の画線面積率、かつ、同色又は略同色の第７の画線ｂを配置し、図９２（ｂ）に示す合成画像データ２６’（網点データ）を生成する（ＳＴＥＰ３−５）。なお、可視画線配置ステップの順序は特に限定されるものではなく、最終的に合成画像データが得られればよい。
【０３５０】
画線削除ステップ及び濃度不均衡緩和画線配置ステップについて、さらに詳細に説明する。この濃度の不均衡に見えるのを緩和するため、図４６に示されたアルゴリズムによって最小単位であるユニット［ｈ，ｖ］ごとに、画線の削除並びに追加を実行するものである。なお、［ｖ］はユニットを縦上から数えたステップ数で、［ｈ］はユニットを横左から数えたステップ数である。まず、処理ｆ１にて、マトリクス状に配置した列ごとのユニット［ｈ，ｖ］において順次画線Ａ［ｈ，ｖ］及び画線Ａ’［ｈ，ｖ］の検知が行われる。なお、画線Ａ［ｈ，ｖ］及び画線Ａ’［ｈ，ｖ］を検知する方法は、例えば、印刷模様３がビットマップ形式の２値画像の場合、処理すべきユニット内において、一般的にラベリングと呼ばれる処理によって、画線Ａ［ｈ，ｖ］又は画線Ａ’［ｈ，ｖ］を識別して削除しても良い。
【０３５１】
次に、処理ｆ２にて、ユニット［ｈ，ｖ］に画線Ａ’［ｈ，ｖ］を有し、かつ、ユニット［ｈ，ｖ＋１］に画線Ａ［ｈ，ｖ＋１］を有する条件に一致したとき、処理ｆ３にて、ユニット［ｈ，ｖ］における本来配置される位置である画線Ａ’［ｈ，ｖ］の削除が行われる。すなわち、図６６（ａ）に示されるように、ユニット［ｈ，ｖ］、ユニット［ｈ，ｖ＋１］、ユニット［ｈ，ｖ＋２］の配置の際、ユニット［ｈ，ｖ］の画線Ａ’［ｈ，ｖ］とユニット［ｈ，ｖ＋１］の画線Ａ［ｈ，ｖ＋１］が隣接している場合、図６６（ｂ）に示されるように、ユニット［ｈ，ｖ］の画線Ａ’［ｈ，ｖ］が削除される。また、処理ｆ２の条件に一致しない場合は処理ｆ４に移行する。また、部分的に画線Ａ’が削除されることによって、画線Ａの総面積に対し画線Ａ’の総面積が少ない状態となる。
【０３５２】
併せて、図４７に示されたアルゴリズムによって最小単位であるユニット［ｈ，ｖ］ごとに、画線の削除並びに追加を実行される。まず、処理ｆ１１にて、マトリクス状に配置した列ごとのユニット［ｈ，ｖ］において順次画線Ｂ［ｈ，ｖ］及び画線Ｂ’［ｈ，ｖ］の検知が行われる。なお、画線Ｂ［ｈ，ｖ］及び画線Ｂ’［ｈ，ｖ］を検知する方法は、例えば、印刷模様３がビットマップ形式の２値画像の場合、処理すべきユニット内において、一般的にラベリングと呼ばれる処理によって、画線Ｂ［ｈ，ｖ］又は画線Ｂ’［ｈ，ｖ］を識別して削除しても良い。
【０３５３】
次に、処理ｆ１２にて、ユニット［ｈ，ｖ］に画線Ｂ’［ｈ，ｖ］を有し、かつ、ユニット［ｈ＋１，ｖ］に画線Ｂ［ｈ＋１，ｖ］を有する条件に一致したとき、処理ｆ１３にて、ユニット［ｈ，ｖ］における本来配置される位置である画線Ｂ’［ｈ，ｖ］の削除が行われる。すなわち、図６６（ｃ）に示されるように、ユニット［ｈ，ｖ］、ユニット［ｈ＋１，ｖ］、ユニット［ｈ＋２，ｖ］の配置の際、ユニット［ｈ，ｖ］の画線Ｂ’［ｈ，ｖ］とユニット［ｈ＋１，ｖ］の画線Ｂ［ｈ＋１，ｖ］が隣接している場合、図６６（ｄ）に示されるように、ユニット［ｈ，ｖ］の画線Ｂ’［ｈ，ｖ］が削除される。また、処理ｆ１２の条件に一致しない場合は処理１４に移行する。また、部分的に画線Ｂ’が削除されることによって、画線Ｂの総面積に対し画線Ｂ’の総面積が少ない状態となる。
【０３５４】
図６７（ａ）は、偽造防止印刷物におけるユニット［ｈ，ｖ］の画線構成を示した平面図である。基本的な画線構成は図６１で示されたものと同様であるが、連続階調を奏する画線Ｄの他に、濃度の不均衡を緩和させるため画線ａ、画線ｂ及び画線Ｅを設けている。画線ａ、画線ｂ及び画線Ｅの位置は、図６１における画線Ｄが占める領域内にあって、画線Ａ、画線Ａ’、画線Ｂ又は画線Ｂ’と隣接し、画線Ｄの周囲に配置される。ユニット［ｈ，ｖ］内における画線ａ、画線ｂ及び画線Ｅのそれぞれの画線面積の合計は、ユニット［ｈ，ｖ］内における画線Ａ、画線Ａ’、画線Ｂ、又は画線Ｂ’の画線面積の半分又は略半分である。この略半分の画線面積とは、画線Ａ、画線Ａ’、画線Ｂ又は画線Ｂ’の画線面積率を１００％としたとき、４０％〜６０％の画線面積率のことであり、４０％以下の画線面積率とした場合には、濃度が淡く見えることから濃度の不均衡を緩和することができず、６０％を超える画線面積率とした場合には、濃度が濃く見えることから濃度の不均衡を緩和することができないからである。また、画線Ｄは、図５８に示される任意の連続階調から成る模様４を構成するもので、図６７（ｂ）の概念図に示されるように、ハイライトからシャドーの連続階調に応じて画線Ｄの大きさが変化することで、図５８に示された印刷模様３の濃淡を決定している。
【０３５５】
次に、図４６に示される処理ｆ４にて、ユニット［ｈ，ｖ］に画線Ａ［ｈ，ｖ］を有し、かつ、ユニット［ｈ，ｖ＋１］に画線Ａ’［ｈ，ｖ＋１］を有する条件に一致したとき、処理ｆ５にて、ユニット［ｈ，ｖ］における画線ａ［ｈ，ｖ］の追加を行う。すなわち、図６８（ｂ）に示されるように、ユニット［ｈ，ｖ］とユニット［ｈ，ｖ＋１］に、画線Ａ又は画線Ａ’の半分又は略半分の画線面積を有する画線ａが追加される。これにより、ユニット［ｈ，ｖ］とユニット［ｈ，ｖ＋１］間における肉眼視での濃度の不均衡が緩和される。一方、図４７に示される処理ｆ１４にて、ユニット［ｈ，ｖ］に画線Ｂ［ｈ，ｖ］を有し、かつ、ユニット［ｈ＋１，ｖ］に画線Ｂ’［ｈ＋１，ｖ］を有する条件に一致したとき、処理ｆ１５にて、ユニット［ｈ，ｖ］における画線ｂ［ｈ，ｖ］の追加を行う。すなわち、図６８（ｆ）に示されるように、ユニット［ｈ，ｖ］とユニット［ｈ＋１，ｖ］に、画線Ｂ又は画線Ｂ’の半分又は略半分の画線面積を有する画線ｂが追加される。これにより、ユニット［ｈ，ｖ］とユニット［ｈ＋１，ｖ］間における肉眼視での濃度の不均衡が緩和される。
【０３５６】
次に、図４６に示される処理ｆ６にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ［ｈ，ｖ＋２］を有する条件に一致したとき、処理ｆ７にて、ユニット［ｈ，ｖ＋１］に画線Ｅの追加を行う。すなわち、図６８（ｃ）に示されるように、ユニット［ｈ，ｖ＋１］に、画線Ａ又は画線Ａ’の半分又は略半分の画線面積を有する画線Ｅが追加される。これにより、ユニット［ｈ，ｖ］とユニット［ｈ，ｖ＋２］間における肉眼視での濃度の不均衡が緩和される。一方、図４７に示される処理ｆ１６にて、ユニット［ｈ，ｖ］に画線Ｂ’［ｈ，ｖ］を有し、ユニット［ｈ＋１，ｖ］に画線がなく、かつ、ユニット［ｈ＋２，ｖ］に画線Ｂ［ｈ＋２，ｖ］を有する条件に一致したとき、処理ｆ１７にて、ユニット［ｈ＋１，ｖ］に画線Ｅの追加を行う。すなわち、図６８（ｇ）に示されるように、ユニット［ｈ＋１，ｖ］に、画線Ｂ又は画線Ｂ’の半分又は略半分の画線面積を有する画線Ｅが追加される。これにより、ユニット［ｈ，ｖ］とユニット［ｈ＋２，ｖ］間における肉眼視での濃度の不均衡が緩和される。
【０３５７】
次に、図４６に示される処理ｆ８にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ’［ｈ，ｖ＋２］を有する条件に一致したとき、処理ｆ９にて、ユニット［ｈ，ｖ＋１］に画線Ｅ及び画線ａの追加を行う。すなわち、図６８（ｄ）に示されるように、ユニット［ｈ，ｖ＋１］に、画線Ａ又は画線Ａ’の半分又は略半分の画線面積を有する画線Ｅ及び画線ａが追加される。これにより、ユニット［ｈ，ｖ］とユニット［ｈ，ｖ＋２］間における肉眼視での濃度の不均衡が緩和される。一方、図４７に示される処理ｆ１８にて、ユニット［ｈ，ｖ］に画線Ｂ’［ｈ，ｖ］を有し、ユニット［ｈ＋１，ｖ］に画線がなく、かつ、ユニット［ｈ＋２，ｖ］に画線Ｂ’［ｈ＋２，ｖ］を有する条件に一致したとき、処理ｆ１９にて、ユニット［ｈ＋１，ｖ］に画線Ｅ及び画線ｂの追加を行う。すなわち、図６８（ｈ）に示されるように、ユニット［ｈ＋１，ｖ］に、画線Ｂ又は画線Ｂ’の半分又は略半分の画線面積を有する画線Ｅ及び画線ｂが追加される。これにより、ユニット［ｈ，ｖ］とユニット［ｈ＋２，ｖ］間における肉眼視での濃度の不均衡が緩和される。よって、これら図４６における処理ｆ４から処理ｆ８及び図４７における処理ｆ１４から処理ｆ１８が図６４（ａ）の印刷模様３に適用された場合、図６９に示される印刷模様３全域において、肉眼視での濃度の不均衡が緩和される。
【０３５８】
なお、ユニット幅及びユニット高さ情報の取得方法は、用いる画像形式によってそれぞれ異なり、例えば、画像形式がＥＰＳ形式である場合は、画像幅及び画像高さ情報が記されたタグを画像ファイル中から探し出して情報を取得し、又、例えば、画像形式がＢＭＰ形式の場合は、画像ファイル中の所定の位置に記載されている画像解像度情報及び画素数情報を取得し、計算を行うことでユニット幅及びユニット高さ情報を得る。
【０３５９】
以上の工程を経て合成画像データ（網点データ）が作製される。作製された網点データには、第１の画線、第２の画線から成る第１の不可視画像を有する第１の画像データと、第５の画線、第６の画線から成る第２の不可視画像を有する第２の画像データと、第３の画線から成る可視画像を有する第３の画像データ、濃度の不均衡を緩和するための第４の画線及び第７の画線が含まれる。
【０３６０】
（画像出力ステップ）
さらに、作製された網点データをもとに偽造防止用印刷物を作製することも可能である（ＳＴＥＰ４）。この偽造防止用印刷物の作製には、例えば、画像データを色分解して印刷版面を出力し、商業印刷機によって印刷する方法、画像データを基に、直接インクジェットプリンタにより出力する方法等がある。
【０３６１】
（偽造防止用印刷物Ｃ１６）
図１０２は、偽造防止用印刷物Ｃ１乃至偽造防止用印刷物Ｃ１５の偽造防止用印刷物において、印刷模様３を光輝性を含むインキで印刷し、印刷模様３上に無色透明材料を用いてベタ刷りにより所望の模様Ｇ（ここでは、アルファベットのＮ）を印刷したものである。
【０３６２】
図１０２に示した連続階調を有する偽造防止用印刷物において、図１０３は印刷物１を拡散光領域と正反射光領域とで観察したときのそれぞれの照明光源３１と視点３２と印刷物１の三つの位置関係を図示したものである。照明光源３１と視点３２と印刷物１が図１０３（ａ）の位置関係にあるとき、拡散光領域で観察したことになり、照明光源３１と視点３２と印刷物１が図１０３（ｂ）の位置関係にあるとき、正反射光領域で観察したことになる。
【０３６３】
図１０３（ａ）で示されたように、拡散光領域で印刷物１を目視で観察した場合、印刷模様３上に施された無色透明材料から成る模様Ｇは完全に透過しているので、光輝性を含むインキから成る印刷模様３が図１０２（ａ）に示されるように視認できる状態となる。一方、図１０３（ｂ）に示されたように、正反射光領域で印刷物１を目視で観察した場合、光輝性を含むインキから成る印刷模様３は、正反射光がもたらす光輝性の作用によって明度が高まり、無色透明材料から成る模様Ｇの部分については、印刷模様３の光輝性の作用が抑制される。これにより、模様Ｇのみが光輝性の違いで図１０２（ｂ）に示されるように強調されて視認される。したがって、模様Ｇの配置で構成した「Ｎ」の文字が観察される。
【０３６４】
本発明は連続階調画像に対して、画像を含む不可視情報を付与するもので、印刷物の発給システムについて説明する。
【０３６５】
図１０４は、連続階調画像に不可視情報を付与された印刷物が示されたものである。身分証明書型の印刷物８における印刷面上の一部に、カード台紙模様３３と顔写真画像３４とが併せて印刷されている。顔写真３４は、上述したいずれか方法によって得られた印刷模様３である。
【０３６６】
次に連続階調を有する偽造防止印刷物の発給装置の一例について説明する。
【０３６７】
本発明の偽造防止用印刷物の発給装置は、図１０５の組織図に示されるように、画像入力手段である可視情報入力手段Ｍ１及び不可視情報入力手段Ｍ２、画像出力手段である印刷手段Ｍ３、表示手段Ｍ４、演算手段である編集手段Ｍ５、書式データベースＭ６及び通信インターフェースＭ７を備えている。
【０３６８】
可視情報入力手段Ｍ１は、カメラ、デジタルカメラ、スキャナ等、特に限定されるものではない。また、後述する書式データベースと同様に、個人情報が入力されたデータベース、通信インターフェースよってあらかじめ個人情報が入力された外部のデータベースサーバから可視情報を得ることができる。
【０３６９】
不可視情報入力手段Ｍ２は、キーボード等からの入力、また、後述する書式データベースと同様に、不可視情報が入力されたデータベース、通信インターフェースよってあらかじめ不可視情報が入力された外部のデータベースサーバから不可視情報を得ることができる。
【０３７０】
印刷手段Ｍ３は、インクジェットプリンタ、レーザプリンタ等、特に限定されるものではない。
【０３７１】
表示手段Ｍ４は、コンピュータで用いられている通常のモニタ、あるいは専用のモニタ等、特に限定されるものではない。
【０３７２】
編集手段Ｍ５は、項目設定手段である可視画像構成手段Ｍ５ａ及び不可視画像構成手段５Ｍｂと、輪郭抽出手段、不可視画像配置手段、可視画像配置手段、画線削除部及び濃度不均衡緩和画線配置手段を有する画像合成手段５Ｍｃを有する。可視画像構成手段Ｍ５ａは可視情報入力手段Ｍ１で得られた画像に対して解像度、着色及び網点形状等を設定し、不可視画像構成手段５Ｍｂは不可視情報入力手段Ｍ２で得られた画像に対して解像度、着色及び網点形状等を設定し、画像合成手段は可視画像構成手段Ｍ５ａで設定された項目と、不可視画像構成手段５Ｍｂで設定された項目に基づいて画線データを合成する。
【０３７３】
書式データベースＭ６は、可視情報入力手段Ｍ１及び不可視情報入力手段Ｍ２以外の印刷に必要なデータが格納されている。
【０３７４】
通信インターフェースＭ７は、ＲＳ−２３２Ｃ、ＩＥＥＥ１３９４等、特に限定されるものではない。
【０３７５】
図１０６は、身分証明書の印刷物を発給されるまでの流れを示した説明図である。図１０６に示されたように、例えば、身分証明書の発行を希望する人が、可視画像入力手段Ｍ１、例えば、デジタルカメラによって顔写真画像３５のデータを得る。次に、別途用意された２種類の不可視情報として、不可視情報３６を、例えば、氏名、不可視情報３７を、例えば、発行日付等のタイムスタンプ情報とし、不可視情報入力手段Ｍ２、例えばキーボードからの入力又は通信インターフェースからの通信情報にて得る。次に、顔写真画像３５のデータと２種類の不可視情報３６のデータを一緒に編集手段Ｍ４、例えば、ノートＰＣへ送られる。編集手段Ｍ４では、顔写真画像３５のデータに不可視情報３６のデータ及び不可視情報３７のデータの埋め込みが行われる。そして、印刷手段Ｍ３、例えば、プリンタで不可視情報３６及び不可視情報３７が埋め込まれた顔写真画像３４が印刷される。
【０３７６】
表示手段Ｍ４は、印刷物の発給に関わる処理について必要に応じて表示する。また、顔写真画像３５のデータに不可視情報３６のデータ及び不可視情報３７のデータは、通信インターフェースＭ７を介して、他のコンピュータ端末から通信によって得ても良い。なお、図１０６に示される機械器具は何ら限定するものではない。
【０３７７】
次に、連続階調を有する偽造防止印刷物の作製方法の一例について説明する。図１０７は、印刷物の発給する方法の基本的なフローを示したものである。
【０３７８】
まず、ステップｆ１では、可視情報入力手段Ｍ１にて顔写真画像３５のデータを得る。入力されるのはビットマップ多値画像であり、画素数等に何ら制限はないが、一例として、１６００×１２００ピクセルのＲＧＢ画像とした。次に、ステップｆ２にて、図６１に示された画線Ｄのデータの領域に配置される画線Ｄのデータに変換される。画線Ｄのデータへの変換は、図１０５に示された、編集手段Ｍ５に含まれる可視画像構成手段Ｍ５ａの設定に基づいて行われ、画線Ｄのデータの画線形状は、上述したいずれかの連続階調表現方法にて施される。さらに、ステップｆ３では、図６１に示された画線Ｄのデータ領域内に、顔写真画像３５のデータから変換された画線Ｄのデータが構築される。
【０３７９】
また、ステップｆ４では、不可視情報入力手段Ｍ２にて不可視情報３６のデータを得る。入力できる情報は画像であってもテキストであっても良い。テキストにて不可視情報のデータを得る場合、編集手段Ｍ５にてビットマップ２値画像に変換される。このとき、上記ビットマップ多値画像と同じ画素数にて構成する。次に、ステップｆ５にて、図６１に示された画線Ａのデータ及び画線Ａ’のデータの領域に配置される画線Ａのデータ及び画線Ａ’のデータに変換される。画線Ａのデータ及び画線Ａ’のデータへの変換は、図１０５に示された、編集手段Ｍ５に含まれる不可視画像構成手段Ｍ５ｂに基づいて行われる。さらに、ステップｆ６では、図６１に示された画線Ａのデータ及び画線Ａ’のデータ領域内に、不可視情報３６のデータから変換された画線Ａのデータ及び画線Ａ’のデータが構築される。
【０３８０】
また、ステップｆ７では、不可視情報入力手段Ｍ２にて不可視情報３７のデータを得る。入力できる情報は画像であってもテキストであっても良い。テキストにて不可視情報のデータを得る場合、編集手段Ｍ５にてビットマップ２値画像に変換される。このとき、上記ビットマップ多値画像と同じ画素数にて構成する。次に、ステップｆ８にて、図６１に示された画線Ｂのデータ及び画線Ｂ’のデータの領域に配置される画線Ｂのデータ及び画線Ｂ’のデータに変換される。画線Ｂのデータ及び画線Ｂ’のデータへの変換は、図１０５に示された、編集手段Ｍ５に含まれる不可視画像構成手段Ｍ５ｂに基づいて行われる。さらに、ステップｆ９では、図６１に示された画線Ｂのデータ及び画線Ｂ’のデータ領域内に、不可視情報３７のデータから変換された画線Ｂのデータ及び画線Ｂ’のデータが構築される。
【０３８１】
次に、ステップｆ１０の処理により、ステップｆ１〜ｆ９で得られた画線Ｄのデータ、画線Ａのデータ、画線Ａ’のデータ、画線Ｂのデータ及び画線Ｂ’のデータを、編集手段Ｍ５に含まれる画像合成手段Ｍ５ｃにて合成する。このとき、上述したいずれかの方法により、濃度の不均衡を緩和させるための画線ａのデータ、画線ｂのデータ及び画線Ｅのデータが配置される。
【０３８２】
さらに、ステップｆ１１は、書式データベースＭ６に格納されている書式データ、例えば図１０４に示されたカード台紙模様９を編集手段Ｍ５に送り、画像合成手段Ｍ５ｃにて顔写真画像３４のデータと合成される。
【０３８３】
最後に、印刷手段Ｍ３によって、不可視情報３６のデータ及び不可視情報３７のデータが埋め込まれた顔写真画像３４のデータと、書式データベースＭ６から得たカード台紙模様９のデータとが併せて印刷された図１０４の印刷物８が得られる。
【符号の説明】
【０３８４】
１          印刷物
２          判別具
３          印刷模様
４          模様
５          不可視画像、第１の不可視画像
６          第２の不可視画像
７          中心線
８          模様
１１、１１’          画像入力手段
１２、１２’          項目設定手段
１３、１３’          演算手段
１４、１４’          画像出力手段
１５、１５’          生成データ解像度設定部
１６、１６’          着色設定部
１７、１７’          網点形状設定部
１８、１８’          輪郭抽出部
１９、１９’          不可視画像配置部
２０、２０’          画線削除部
２１、２１’          濃度不均衡緩和画線配置部
２２          可視画像配置部
２３、２３ａ、２３ａ’          第１の画像データ
２３ｂ、２３ｂ’          第２の画像データ
２３ｃ          第３の画像データ
２４          輪郭画像データ
２４ａ、２４ａ’          第１の画像データの輪郭画像データ
２４ｂ、２４ｂ’          第２の画像データの輪郭画像データ
２４ａ１、２４ｂ１、２４ａ１’２４ｂ１’          輪郭内部ユニット
２４ａ２、２４ｂ２、２４ａ２’２４ｂ２’          輪郭外部ユニット
２５          第２の画像データ
２６、２６’          合成画像データ
３１          照明光源
３２          視点
３３          カード台紙模様
３４、３４’          顔写真画像
３５          顔写真画像
３６          不可視情報
３７          不可視情報
Ａ、Ａ’、Ｂ、Ｂ’、Ｃ、Ｃ’、Ｄ、Ｅ          画線
ａ、ｂ          画線
Ａ１、Ａ２、Ａ３、Ａ４          網点データを作製する装置
Ｂ１、Ｂ２、Ｂ３、Ｂ４          網点データの作製用ソフトウェア
Ｃ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４          偽造防止用印刷物
ｈ          縦ステップ数
ｖ          横ステップ数
Ｓ          寸法
Ｔ          領域
Ｇ          模様
Ｌ１          線
Ｌ２          線
【図１】
2010032718.tif 000003
【図２】
2010032718.tif 000004
【図３】
2010032718.tif 000005
【図４】
2010032718.tif 000006
【図５】
2010032718.tif 000007
【図６】
2010032718.tif 000008
【図７】
2010032718.tif 000009
【図８】
2010032718.tif 000010
【図９】
2010032718.tif 000011
【図１０】
2010032718.tif 000012
【図１１】
2010032718.tif 000013
【図１２】
2010032718.tif 000014
【図１３】
2010032718.tif 000015
【図１４】
2010032718.tif 000016
【図１５】
2010032718.tif 000017
【図１６】
2010032718.tif 000018
【図１７】
2010032718.tif 000019
【図１８】
2010032718.tif 000020
【図１９】
2010032718.tif 000021
【図２０】
2010032718.tif 000022
【図２１】
2010032718.tif 000023
【図２２】
2010032718.tif 000024
【図２３】
2010032718.tif 000025
【図２４】
2010032718.tif 000026
【図２５】
2010032718.tif 000027
【図２６】
2010032718.tif 000028
【図２７】
2010032718.tif 000029
【図２８】
2010032718.tif 000030
【図２９】
2010032718.tif 000031
【図３０】
2010032718.tif 000032
【図３１】
2010032718.tif 000033
【図３２】
2010032718.tif 000034
【図３３】
2010032718.tif 000035
【図３４】
2010032718.tif 000036
【図３５】
2010032718.tif 000037
【図３６】
2010032718.tif 000038
【図３７】
2010032718.tif 000039
【図３８】
2010032718.tif 000040
【図３９】
2010032718.tif 000041
【図４０】
2010032718.tif 000042
【図４１】
2010032718.tif 000043
【図４２】
2010032718.tif 000044
【図４３】
2010032718.tif 000045
【図４４】
2010032718.tif 000046
【図４５】
2010032718.tif 000047
【図４６】
2010032718.tif 000048
【図４７】
2010032718.tif 000049
【図４８】
2010032718.tif 000050
【図４９】
2010032718.tif 000051
【図５０】
2010032718.tif 000052
【図５１】
2010032718.tif 000053
【図５２】
2010032718.tif 000054
【図５３】
2010032718.tif 000055
【図５４】
2010032718.tif 000056
【図５５】
2010032718.tif 000057
【図５６】
2010032718.tif 000058
【図５７】
2010032718.tif 000059
【図５８】
2010032718.tif 000060
【図５９】
2010032718.tif 000061
【図６０】
2010032718.tif 000062
【図６１】
2010032718.tif 000063
【図６２】
2010032718.tif 000064
【図６３】
2010032718.tif 000065
【図６４】
2010032718.tif 000066
【図６５】
2010032718.tif 000067
【図６６】
2010032718.tif 000068
【図６７】
2010032718.tif 000069
【図６８】
2010032718.tif 000070
【図６９】
2010032718.tif 000071
【図７０】
2010032718.tif 000072
【図７１】
2010032718.tif 000073
【図７２】
2010032718.tif 000074
【図７３】
2010032718.tif 000075
【図７４】
2010032718.tif 000076
【図７５】
2010032718.tif 000077
【図７６】
2010032718.tif 000078
【図７７】
2010032718.tif 000079
【図７８】
2010032718.tif 000080
【図７９】
2010032718.tif 000081
【図８０】
2010032718.tif 000082
【図８１】
2010032718.tif 000083
【図８２】
2010032718.tif 000084
【図８３】
2010032718.tif 000085
【図８４】
2010032718.tif 000086
【図８５】
2010032718.tif 000087
【図８６】
2010032718.tif 000088
【図８７】
2010032718.tif 000089
【図８８】
2010032718.tif 000090
【図８９】
2010032718.tif 000091
【図９０】
2010032718.tif 000092
【図９１】
2010032718.tif 000093
【図９２】
2010032718.tif 000094
【図９３】
2010032718.tif 000095
【図９４】
2010032718.tif 000096
【図９５】
2010032718.tif 000097
【図９６】
2010032718.tif 000098
【図９７】
2010032718.tif 000099
【図９８】
2010032718.tif 000100
【図９９】
2010032718.tif 000101
【図１００】
2010032718.tif 000102
【図１０１】
2010032718.tif 000103
【図１０２】
2010032718.tif 000104
【図１０３】
2010032718.tif 000105
【図１０４】
2010032718.tif 000106
【図１０５】
2010032718.tif 000107
【図１０６】
2010032718.tif 000108
【図１０７】
2010032718.tif 000109
【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
基材に、第１の方向に沿って、中心を境に対向するように配置された第１の画線及び第２の画線と、
前記第１の画線及び前記第２の画線が存在しない領域に配置された第３の画線とを有するユニットが、一定のピッチで前記第１の方向及び前記第１の方向と直交する第２の方向にマトリクス状に配置されており、
各々の前記ユニットにおける前記第１の画線と前記第２の画線とはオン、オフの関係にあり、かつ、面積が同一であり、前記第１の画線により第１の不可視画像のポジ画像又はネガ画像のいずれか一方が形成され、前記第２の画線により前記第１の不可視画像のネガ画像又はポジ画像の他方が形成され、
前記第３の画線により連続階調から成る可視画像が形成されることを特徴とする連続階調を有する偽造防止用印刷物。
【請求項２】
前記第３の画線は、画線の大小、画線の濃淡又は画線の粗密から選択される一つの方法によって前記連続階調から成る可視画像が形成されていることを特徴とする請求項１記載の連続階調を有する偽造防止用印刷物。
【請求項３】
前記ユニットにおける最大寸法が１ｍｍ以下であることを特徴とする請求項１又は２記載の連続階調を有する偽造防止用印刷物。
【請求項４】
前記第１の不可視画像を形成するためにオン、オフの関係により配置された前記第１の画線及び前記第２の画線のうち、隣接して配置された前記ユニットにおける前記第１の画線及び前記第２の画線のオフと成る画線が近接して配置されている前記ユニット内の前記第１の画線、前記第２の画線及び前記第３の画線が形成されていない位置に、前記第１の画線又は前記第２の画線における半分又は略半分の画線面積率、かつ、同色である第４の画線が配置されて成ることを特徴とする請求項１乃至３のいずれか１項記載の連続階調を有する偽造防止用印刷物。
【請求項５】
前記第４の画線は、前記ユニット内の前記第１の画線、前記第２の画線及び前記第３の画線が形成されていない領域に前記第３の画線を囲んだ形状、若しくは、前記第３の画線に囲まれた形状によって形成することを特徴とする請求項１乃至４のいずれか１項記載の連続階調を有する偽造防止用印刷物。
【請求項６】
前記第４の画線は、前記ユニット内の前記第１の画線、前記第２の画線及び前記第３の画線が形成されていない領域に形成され、さらに前記第１の画線及び／又は前記第２の画線に隣接する位置に配置されて成ることを特徴とする請求項１乃至４のいずれか１項記載の連続階調を有する偽造防止用印刷物。
【請求項７】
前記第１の画線、前記第２の画線、前記第３の画線及び前記第４の画線は、光輝性材料を含むインキで印刷され、
前記第１の画線、前記第２の画線、前記第３の画線及び前記第４の画線の少なくとも一部の画線上に、無色透明材料を用いてベタ刷りにより所望の模様を形成することを特徴とする請求項１乃至６のいずれか１項記載の連続階調を有する偽造防止用印刷物。
【請求項８】
基材に、第１の方向に沿って、中心を境に対向するように配置された第１の画線及び第２の画線と、
前記第１の方向と直交する第２の方向に沿って、前記中心を境に対向するように配置された第５の画線及び第６の画線と、前記第１の画線、前記第２の画線、前記第５の画線及び前記第６の画線が存在しない領域に配置された第３の画線とを有するユニットが、一定のピッチでマトリクス状に配置されており、
各々の前記ユニットにおける前記第１の画線と前記第２の画線とはオン、オフの関係にあり、かつ、面積が同一であり、前記第１の画線により第１の不可視画像のポジ画像又はネガ画像のいずれか一方が形成され、前記第２の画線により前記第１の不可視画像のネガ画像又はポジ画像の他方が形成され、
各々の前記ユニットにおける前記第５の画線と前記第６の画線とはオン、オフの関係にあり、かつ、面積が同一であり、前記第５の画線により第２の不可視画像のポジ画像又はネガ画像のいずれか一方が形成され、前記第６の画線により前記第２の不可視画像のネガ画像又はポジ画像の他方が形成され、
前記第３の画線により連続階調から成る可視画像が形成されることを特徴とする連続階調を有する偽造防止用印刷物。
【請求項９】
前記ユニットは正方形の形状を有し、一辺の長さが１ｍｍ以下であることを特徴とする請求項８記載の連続階調を有する偽造防止用印刷物。
【請求項１０】
前記第１の不可視画像を形成するためにオン、オフの関係により配置された前記第１の画線及び前記第２の画線のうち、隣接して配置された前記ユニットにおける前記第１の画線及び前記第２の画線のオフと成る画線が近接して配置されている位置に、前記第１の画線又は前記第２の画線における半分又は略半分の画線面積率、かつ、同色である第４の画線が配置され、
前記第２の不可視画像を形成するためにオン、オフの関係により配置された前記第５の画線及び前記第６の画線のうち、隣接して配置された前記ユニットにおける前記第５の画線及び前記第６の画線のオフと成る画線が近接して配置されている位置に、前記第５の画線又は前記第６の画線における半分又は略半分の画線面積率、かつ、同色である第７の画線が配置されて成ることを特徴とする請求項８又は９記載の連続階調を有する偽造防止用印刷物。
【請求項１１】
前記第４の画線及び前記第７の画線は、前記ユニット内の前記第１の画線、前記第２の画線、前記第３の画線、前記第５の画線及び前記第６の画線が形成されていない領域に形成することを特徴とする請求項８乃至１０のいずれか１項記載の連続階調を有する偽造防止用印刷物。
【請求項１２】
前記第４の画線及び前記第７の画線は、前記ユニット内の前記第１の画線、前記第２の画線、前記第３の画線、前記第５の画線及び前記第６の画線が形成されていない領域に前記第３の画線を囲んだ形状、若しくは、前記第３の画線に囲まれた形状によって形成することを特徴とする請求項８乃至１０のいずれか１項記載の連続階調を有する偽造防止用印刷物。
【請求項１３】
前記第４の画線及び前記第７の画線は、前記ユニット内の前記第１の画線、前記第２の画線、前記第３の画線、前記第５の画線及び前記第６の画線が形成されていない領域に形成され、さらに正方形の形状を有する前記ユニット内における４方の角に配置されて成ることを特徴とする請求項８乃至１０のいずれか１項記載の連続階調を有する偽造防止用印刷物。
【請求項１４】
前記第１の画線、前記第２の画線、前記第３の画線、前記第４の画線、前記第５の画線、前記第６の画線及び前記第７の画線は、光輝性材料を含むインキで印刷され、
前記第１の画線、前記第２の画線、前記第３の画線、前記第４の画線、前記第５の画線、前記第６の画線及び前記第７の画線の少なくとも一部の画線上に、無色透明材料を用いてベタ刷りにより所望の模様を形成することを特徴とする請求項８乃至１３のいずれか１項記載の連続階調を有する偽造防止用印刷物。
【請求項１５】
前記第１の画線、前記第２の画線及び前記第４の画線と、前記第５の画線、前記第６の画線及び前記第７の画線とは、色相が異なることを特徴とする請求項８乃至１３のいずれか１項記載の連続階調を有する偽造防止用印刷物。
【請求項１６】
連続階調から成る可視画像が顔画像であることを特徴とする請求項１乃至１５のいずれか１項記載の偽造防止用印刷物。
【請求項１７】
請求項１乃至７のいずれか１項記載の連続階調を有する偽造防止用印刷物を、画像入力手段、項目設定手段、演算手段、印刷手段を有する作製装置を用いて作製する方法であって、
前記画像入力手段によって前記偽造防止印刷物に対して、レンチキュラーレンズ又は万線フィルタを重ねた場合に前記第１の不可視画像が潜像画像として視認される基となる第１の画像データと、連続階調を有する前記可視画像として視認される基となる第２の画像データとを入力する工程と、
前記項目設定手段によって前記偽造防止印刷物における解像度の設定、着色の設定及び第１の画線、第２の画線及び第３の画線の網点形状の設定を設定項目ごとに行う工程と、
前記演算手段によって、前記画像入力手段によって入力された前記第１の画像データを前記項目手段によって設定された内容で前記第１の画線、前記第２の画線から成る前記第１の不可視画像を有する画像データを形成し、前記第３の画線から成る前記連続階調を有する前記可視画像となる画像データを形成し、さらに、前記第１の不可視画像を有する画像データ及び前記連続階調を有する前記可視画像となる画像データを合成する工程と、
前記印刷手段によって、前記合成された画像データを元に基材に印刷する工程によって作製することを特徴とする連続階調を有する偽造防止用印刷物の作製方法。
【請求項１８】
請求項８乃至１５のいずれか１項記載の連続階調を有する偽造防止用印刷物を、画像入力手段、項目設定手段、演算手段、印刷手段を有する作製装置を用いて作製する方法であって、
前記画像入力手段によって、前記偽造防止印刷物に対して、レンチキュラーレンズ又は万線フィルタを重ねた場合に前記第１の不可視画像及び前記第２の不可視画像が潜像画像として視認される基となる第１の画像データ及び第２の画像データと、連続階調を有する前記可視画像として視認される基となる第３の画像データとを入力する工程と、
前記項目設定手段によって、前記偽造防止印刷物における解像度の設定、着色の設定及び第１の画線、第２の画線、第３の画線、第５の画線及び第６の画線の網点形状の設定を設定項目ごとに行う工程と、前記演算手段によって、前記画像入力手段によって入力された前記第１の画像データを前記項目設定手段によって設定された内容で前記第１の画線、前記第２の画線から成る前記第１の不可視画像を有する画像データを形成し、前記第２の画像データを前記項目設定手段によって設定された内容で前記第５の画線、前記第６の画線から成る第２の不可視画像を有する画像データを形成し、前記第３の画線から成る前記連続階調を有する前記可視画像となる画像データを形成し、さらに、前記第１の不可視画像を有する画像データ及び前記第２の不可視画像を有する画像データ、前記連続階調を有する前記可視画像となる画像データを合成する工程と、
前記印刷手段によって、前記合成された画像データを元に基材に印刷する工程によって作製することを特徴とする連続階調を有する偽造防止用印刷物の作製方法。
【請求項１９】
基材上の所定の領域に、ユニットが規則的に複数配置され、前記ユニット内は前記ユニットの中心を境に対向するように、所定の方向に沿って第１の画線又は第２の画線が形成され、前記複数配置された各々のユニットにおいて、前記第１の画線と前記第２の画線は面積が同一であり、前記第１の画線と前記第２の画線において、一方を同一色で着色し（オン）、他方は着色せず（オフ）、前記オン及びオフ状態の組み合わせにより不可視画像が形成され、前記ユニットの前記第１の画線又は前記第２の画線が形成される内部及び／又は前記ユニット同士の境界線を中心又は略中心に第３の画線が配置されることで可視画像が形成され、前記不可視画像を形成するために配置された前記第１の画線及び前記第２の画線のうち、前記所定の方向に隣接して本来配置される位置及び複数隣接して配置されたユニットのうち、オフとなっている部分が隣接して配置されている位置に、前記所定の領域における濃度の不均衡を緩和するため、前記第１の画線及び前記第２の画線における半分又は略半分の画線面積率、かつ、同色又は略同色である第４の画線が、前記第１の画線、前記第２の画線及び前記第３の画線が存在しない所定の領域に配置されて成る網点印刷物における網点データの作製装置において、
前記網点印刷物に対して、レンチキュラーレンズ又は万線フィルタを重ねた場合に前記不可視画像が潜像画像として視認される基となる第１の画像データと、可視画像として視認される基となる第２の画像データとを入力する画像入力手段と、
前記網点データにおける解像度の設定、着色の設定及び前記第１の画線、前記第２の画線、前記第３の画線及び前記第４の画線の網点形状の設定を設定項目ごとに行う項目設定手段と、
前記画像入力手段によって入力された前記第１の画像データを前記項目設定手段によって設定された内容で前記第１の画線、前記第２の画線から成る不可視画像を有する画像データを形成し、前記第３の画線から成る可視画像となる画像データを形成し、さらに、前記不可視画像を有する画像データ、前記可視画像となる画像データ及び前記濃度の不均衡を緩和するための前記第４の画線を合成する演算手段を有することを特徴とする網点データの作製装置。
【請求項２０】
前記項目設定手段は、前記網点データの解像度を設定する、任意の解像度を入力又はあらかじめ記憶してある複数の解像度から選択可能な生成データ解像度設定部と、
前記網点印刷物の色を設定する着色設定部と、
前記ユニットの高さ及び幅、前記ユニット内に形成する前記第１の画線、前記第２の画線、前記第３の画線及び前記第４の画線の網点形状を設定する網点形状設定部を有することを特徴とする請求項１９記載の網点データの作製装置。
【請求項２１】
前記演算手段は、前記第１の画像データの輪郭を抽出し、前記第１の画像データの輪郭画像データを生成する輪郭抽出部と、前記輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置する不可視画像配置部と、前記ユニットの前記第１の画線又は前記第２の画線が形成される内部及び／又は前記ユニット同士の境界線を中心又は略中心に可視画像を形成するための前記第３の画線を配置する可視画像配置部と、前記輪郭内部ユニット内及び前記輪郭外部ユニット内に配置された前記第１の画線及び前記第２の画線において、隣接して配置された前記第１の画線及び前記第２の画線がともにオン状態の場合に、前記第１の画線又は前記第２の画線のいずれか一方の画線をオフにすることで削除する画線削除部と、
前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の前記第４の画線を、前記第１の画線、前記第２の画線及び前記第３の画線が存在しない所定の領域に配置する濃度不均衡緩和画線配置部を有することを特徴とする請求項１９又は２０記載の網点データの作製装置。
【請求項２２】
前記可視画像配置部における前記第３の画線が前記ユニットの前記第１の画線又は前記第２の画線が形成される内部及び／又は前記ユニット同士の境界線を中心又は略中心として配置され、画線の大小、画線の濃淡又は画線の粗密から選択される一つの方法によって連続階調から成る可視画像が形成されていることを特徴とする請求項１９乃至２１いずれか１項記載の網点データの作製装置。
【請求項２３】
前記網点データの作製装置が、前記演算手段によって得られた演算結果を出力することによって、網点印刷物又は印刷版面を得る画像出力手段をさらに備えることを特徴とする請求項１９乃至２２いずれか１項記載の網点データの作製装置。
【請求項２４】
可視画像とレンチキュラーレンズ又は万線フィルタを重ねた場合に潜像画像として視認される不可視画像が埋め込まれた網点印刷物の網点データを作製する方法を、不可視画像となる第１の画像データと可視画像となる第２の画像データを入力する画像入力手段と、設定項目ごとに設定を行う項目設定手段と、前記第１の画像データ、前記第２の画像データ及び設定された設定項目をもとに網点データを作製する演算手段とを備えたコンピュータに実行させる網点データの作製用ソフトウェアを格納した、コンピュータにより読み取り可能な記録媒体において、
レンチキュラーレンズ又は万線フィルタを重ねた場合に前記不可視画像が潜像画像として視認される基となる前記第１の画像データと、前記可視画像として視認される基となる前記第２の画像データとを、前記画像入力手段により入力する画像入力ステップと、前記第１の画像データから不可視画像を有する画像データを生成し、前記第２の画像データから可視画像となる画像データを生成するための、前記網点データにおける解像度の設定、着色の設定及び第１の画線、第２の画線、第３の画線及び第４の画線の網点形状の設定を、前記項目設定手段により設定項目ごとに行う項目設定ステップと、入力された前記第１の画像データを前記項目設定手段によって設定された内容で前記第１の画線、前記第２の画線から成る不可視画像を有する画像データを形成し、前記第３の画線から成る可視画像となる画像データを形成し、さらに、前記不可視画像を有する画像データ、
前記可視画像となる画像データ及び濃度の不均衡を緩和するための前記第４の画線を演算手段により合成する演算ステップを備える網点データの生成方法をコンピュータに実行させることを特徴とする網点データの作製用ソフトウェアを格納した記録媒体。
【請求項２５】
前記項目設定ステップは、前記項目設定手段に含まれる生成データ解像度設定部によって、前記網点データの解像度を設定する、任意の解像度を入力又はあらかじめ記憶してある複数の解像度から選択可能な生成データ解像度設定ステップと、
前記項目設定手段に含まれる着色設定部によって、前記網点印刷物の色を設定する着色設定ステップと、
前記項目設定手段に含まれる網点形状設定部によって、前記ユニットの高さ及び幅、前記ユニット内に形成する前記第１の画線、前記第２の画線、前記第３の画線及び前記第４の画線の網点形状を設定する網点形状ステップを有することを特徴とする請求項２４記載の網点データの作製用ソフトウェアを格納した記録媒体。
【請求項２６】
前記演算ステップは、前記演算手段に含まれる輪郭抽出部によって、前記第１の画像データの輪郭を抽出し、前記第１の画像データの輪郭画像データを生成する輪郭抽出ステップと、
前記演算手段に含まれる不可視画像配置部によって、前記輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置する不可視画像配置ステップと、
前記演算手段に含まれる可視画像配置部によって、前記ユニットの前記第１の画線又は前記第２の画線が形成される内部及び／又は前記ユニット同士の境界線を中心又は略中心に第３の画線が配置する可視画像配置ステップと、
前記演算手段に含まれる画線削除部によって、前記輪郭内部ユニット内及び前記輪郭外部ユニット内に配置された前記第１の画線及び前記第２の画線において、隣接して配置された前記第１の画線及び前記第２の画線がともにオン状態の場合に、前記第１の画線又は前記第２の画線のいずれか一方の画線をオフにすることで削除する画線削除ステップと、
前記演算手段に含まれる濃度不均衡緩和画線配置部によって、前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の前記第４の画線を、前記第１の画線、前記第２の画線及び前記第３の画線が存在しない所定の領域に配置する濃度不均衡緩和画線配置ステップを有することを特徴とする請求項２４又は２５記載の網点データの作製用ソフトウェアを格納した記録媒体。
【請求項２７】
前記可視画像配置ステップにおける前記第３の画線が前記ユニットの前記第１の画線又は前記第２の画線が形成される内部及び／又は前記ユニット同士の境界線を中心又は略中心として配置され、画線の大小、画線の濃淡又は画線の粗密から選択される一つの方法によって連続階調から成る可視画像が形成されていることを特徴とする請求項２４乃至２６いずれか１項記載の網点データの作製用ソフトウェアを格納した記録媒体。
【請求項２８】
前記網点データの作製用ソフトウェアを格納した記録媒体が、前記演算ステップによって得られた演算結果を出力することによって、網点印刷物又は印刷版面を得る画像出力ソフトウェアをさらに備えることを特徴とする請求項２４乃至２７いずれか１項記載の網点データの作製用ソフトウェアを格納した記録媒体。
【請求項２９】
基材上の所定の領域に、ユニットが規則的に複数配置され、前記ユニット内は前記ユニットの中心を境に対向するように第１の方向に沿って第１の画線又は第２の画線が形成され、前記中心を境に対向するように前記第１の方向に直行する第２の方向に沿って、第５の画線又は第６の画線が形成され、前記複数配置された各々のユニットにおいて、前記第１の画線、前記第２の画線、前記第５の画線及び前記第６の画線は、面積が同一であり、前記第１の画線と前記第２の画線において、一方を同一色で着色し（オン）、他方は着色せず（オフ）、前記オン及びオフ状態の組み合わせにより第１の不可視画像が形成され、前記第１の不可視画像を形成するために配置された前記第１の画線及び前記第２の画線のうち、前記第１の方向に隣接して本来配置される位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率を有する第４の画線が、前記第１の画線と前記第２の画線の境界線を中心又は略中心として配置され、前記第５の画線と前記第６の画線において、一方を同一色で着色し（オン）、他方は着色せず（オフ）、前記オン及びオフ状態の組み合わせにより第２の不可視画像が形成され、前記第２の不可視画像を形成するために配置された前記第５の画線及び前記第６の画線のうち、前記第２の方向に隣接して本来配置される位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率を有する第７の画線が、前記ユニット同士の境界線を中心又は略中心として配置されて成る網点印刷物における網点データの作製装置において、
前記網点印刷物に対して、レンチキュラーレンズ又は万線フィルタを重ねた場合に前記第１の不可視画像及び前記第２の不可視画像が潜像画像として視認される基となる第１の画像データ及び第２の画像データと、可視画像として視認される基となる第３の画像データとを入力する画像入力手段と、
前記網点データにおける解像度の設定、着色の設定及び前記第１の画線、前記第２の画線、前記第３の画線、前記第４の画線、前記第５の画線、前記第６の画線及び第７の画線の網点形状の設定を設定項目ごとに行う項目設定手段と、
前記画像入力手段によって入力された前記第１の画像データを前記項目設定手段によって設定された内容で前記第１の画線、前記第２の画線から成る第１の不可視画像を有する画像データを形成し、前記第２の画像データを前記項目設定手段によって設定された内容で前記第５の画線、前記第６の画線から成る第２の不可視画像を有する画像データを形成し、前記第３の画線から成る可視画像を有する画像データを形成し、さらに、前記第１の不可視画像を有する画像データ、前記第２の不可視画像を有する画像データ、前記可視画像を有する画像データ及び前記濃度の不均衡を緩和するための前記第４の画線及び前記第７の画線を合成する演算手段を有することを特徴とする網点データの作製装置。
【請求項３０】
前記項目設定手段は、前記網点データの解像度を設定する、任意の解像度を入力又はあらかじめ記憶してある複数の解像度から選択可能な生成データ解像度設定部と、
前記網点印刷物の色を設定する着色設定部と、
前記ユニットの高さ及び幅と、前記ユニット内に形成する前記第１の画線、前記第２の画線、前記第３の画線、前記第４の画線、前記第５の画線、前記第６の画線及び前記第７の画線の網点形状を設定する網点形状設定部を有することを特徴とする請求項２９記載の網点データの作製装置。
【請求項３１】
前記演算手段は、前記第１の画像データ及び前記第２の画像データの輪郭を抽出し、前記第１の画像データの輪郭画像データ及び前記第２の画像データの輪郭画像データを生成する輪郭抽出部と、前記第１の画像データの輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置し、前記第２の画像データの輪郭画像データを用いて、前記ユニットを輪郭内部の輪郭内部ユニットと輪郭外部の輪郭外部ユニットに区分けして、前記輪郭内部ユニット内に前記第５の画線又は前記第６の画線のいずれか一方をオンにして配置し、前記輪郭外部ユニット内に前記第５の画線又は前記第６の画線の他方をオフにして配置する不可視画像配置部と、
前記輪郭内部ユニット内及び前記輪郭外部ユニット内に配置された前記第１の画線、前記第２の画線、前記第５の画線及び前記第６の画線において、隣接して配置された前記第１の画線及び前記第２の画線がともにオン状態の場合に、前記第１の画線又は前記第２の画線のいずれか一方の画線をオフにすることで削除し、隣接して配置された前記第５の画線及び前記第６の画線がともにオン状態の場合に、前記第５の画線又は前記第６の画線のいずれか一方の画線をオフにすることで削除する画線削除部と、
前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の第４の画線を、前記第１の画線と前記第２の画線の境界線を中心又は略中心として配置し、前記第５の画線又は前記第６の画線を削除した空間の位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率、かつ、同色又は略同色の第７の画線を、前記第５の画線と前記第６の画線の境界線を中心又は略中心として配置する濃度不均衡緩和画線配置部と、
前記第１の画線、前記第２の画線、前記第４の画線、前記第５の画線、前記第６の画線及び前記第７の画線が存在しない領域に可視画像を形成するための前記第３の画線を配置する可視画像配置部を有することを特徴とする請求項２９又は３０記載の網点データの作製装置。
【請求項３２】
前記可視画像配置部における前記第３の画線が前記ユニットの中心、略中心及び四隅の少なくとも一つに配置され、画線の大小、画線の濃淡又は画線の粗密から選択される一つの方法によって連続階調から成る可視画像が形成されていることを特徴とする請求項２９乃至３１いずれか１項記載の網点データの作製装置。
【請求項３３】
前記網点データの作製装置が、前記演算手段によって得られた演算結果を出力することによって、網点印刷物又は印刷版面を得る画像出力手段をさらに備えることを特徴とする請求項２９乃至３２いずれか１項記載の網点データの作製装置。
【請求項３４】
可視画像とレンチキュラーレンズ又は万線フィルタを重ねた場合に潜像画像として視認される第１の不可視画像及び第２の不可視画像が埋め込まれた網点印刷物の網点データを作製する方法を、不可視画像となる第１の画像データ及び第２の画像データと、可視画像となる第３の画像データを入力する画像入力手段と、設定項目ごとに設定を行う項目設定手段と、前記第１の画像データ、前記第２の画像データ、前記第３の画像データ並びに設定された設定項目をもとに網点データを作製する演算手段とを備えたコンピュータに実行させる網点データの作製用ソフトウェアを格納した、コンピュータにより読み取り可能な記録媒体において、
レンチキュラーレンズ又は万線フィルタを重ねた場合に前記第１の不可視画像及び前記第２の不可視画像が潜像画像として視認される基となる第１の画像データ及び第２の画像データと、可視画像として視認される基となる第３の画像データとを、前記画像入力手段により入力する画像入力ステップと、
前記第１の画像データから第１の不可視画像を有する画像データを生成し、前記第２の画像データから第２の不可視画像を有する画像データを生成し、前記第３の画像データから可視画像を有する画像データを生成するための、前記網点データにおける解像度の設定、着色の設定及び前記第１の画線、前記第２の画線、前記第３の画線、前記第４の画線、前記第５の画線、前記第６の画線及び前記第７の画線の網点形状の設定を、前記項目設定手段により設定項目ごとに行う項目設定ステップと、
入力された前記第１の画像データを前記項目設定手段によって設定された内容で前記第１の画線、前記第２の画線から成る第１の不可視画像を有する画像データを形成し、前記第２の画像データを前記項目設定手段によって設定された内容で前記第５の画線、前記第６の画線から成る第２の不可視画像を有する画像データを形成し、前記第３の画線から成る可視画像を有する画像データを形成し、さらに、前記第１の不可視画像を有する画像データ、前記第２の不可視画像を有する画像データ、前記可視画像を有する画像データ及び前記濃度の不均衡を緩和するための前記第４の画線及び前記第７の画線を前記演算手段により合成する演算ステップを備える網点データの生成方法をコンピュータに実行させることを特徴とする網点データの作製用ソフトウェアを格納した記録媒体。
【請求項３５】
前記項目設定ステップは、前記項目設定手段に含まれる生成データ解像度設定部によって、前記網点データの解像度を設定する、任意の解像度を入力又はあらかじめ記憶してある複数の解像度から選択可能な生成データ解像度設定ステップと、
前記項目設定手段に含まれる着色設定部によって、前記網点印刷物の色を設定する着色設定ステップと、
前記項目設定手段に含まれる網点形状設定部によって、前記ユニットの高さ及び幅と、前記ユニット内に形成する前記第１の画線、前記第２の画線、前記第３の画線、前記第４の画線、前記第５の画線、前記第６の画線及び前記第７の画線の網点形状を設定する網点形状設定ステップを有することを特徴とする請求項３４記載の網点データの作製用ソフトウェアを格納した記録媒体。
【請求項３６】
前記演算ステップは、前記演算手段に含まれる輪郭抽出部によって、前記第１の画像データ及び前記第２の画像データの輪郭を抽出し、前記第１の画像データの輪郭画像データ及び前記第２の画像データの輪郭画像データを生成する輪郭抽出ステップと、
前記演算手段に含まれる不可視画像配置部によって、前記第１の画像データの輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置し、前記第２の画像データの輪郭画像データを用いて、前記ユニットを輪郭内部の輪郭内部ユニットと輪郭外部の輪郭外部ユニットに区分けして、前記輪郭内部ユニット内に前記第５の画線又は前記第６の画線のいずれか一方をオンにして配置し、前記輪郭外部ユニット内に前記第５の画線又は前記第６の画線の他方をオフにして配置する不可視画像配置ステップと、前記演算手段に含まれる画線削除部によって、前記輪郭内部ユニット内及び前記輪郭外部ユニット内に配置された前記第１の画線、前記第２の画線、前記第５の画線及び前記第６の画線において、隣接して配置された前記第１の画線及び前記第２の画線がともにオン状態の場合に、前記第１の画線又は前記第２の画線のいずれか一方の画線をオフにすることで削除し、隣接して配置された前記第５の画線及び前記第６の画線がともにオン状態の場合に、前記第５の画線又は前記第６の画線のいずれか一方の画線をオフにすることで削除する画線削除ステップと、
前記演算手段に含まれる濃度不均衡緩和画線配置部によって、前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の第４の画線を、前記第１の画線と前記第２の画線の境界線を中心又は略中心として配置し、前記第５の画線又は前記第６の画線を削除した空間の位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率、かつ、同色又は略同色の第７の画線を、前記第５の画線と前記第６の画線の境界線を中心又は略中心として配置する濃度不均衡緩和画線配置ステップと、
前記演算手段に含まれる可視画像配置部によって、前記第１の画線、前記第２の画線、前記第４の画線、前記第５の画線、前記第６の画線及び前記第７の画線が存在しない領域に可視画像を形成するための前記第３の画線を配置する可視画像配置ステップを有することを特徴とする請求項３４又は３５記載の網点データの作製用ソフトウェアを格納した記録媒体。
【請求項３７】
前記可視画像配置ステップにおける前記第３の画線が前記ユニットの中心、略中心及び四隅の少なくとも一つに配置され、画線の大小、画線の濃淡又は画線の粗密から選択される一つの方法によって連続階調から成る可視画像が形成されていることを特徴とする請求項３４乃至３６いずれか１項記載の網点データの作製用ソフトウェアを格納した記録媒体。
【請求項３８】
前記網点データの作製用ソフトウェアを格納した記録媒体が、前記演算ステップによって得られた演算結果を出力することによって、網点印刷物又は印刷版面を得る画像出力ソフトウェアをさらに備えることを特徴とする請求項３４乃至３７いずれか１項記載の網点データの作製用ソフトウェアを格納した記録媒体。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
基材に、第１の方向に沿って、中心を境に対向するように配置された第１の画線及び第２の画線と、
前記第１の画線及び前記第２の画線が存在しない領域に配置された第３の画線とを有するユニットが、一定のピッチで前記第１の方向及び前記第１の方向と直交する第２の方向にマトリクス状に配置されており、
各々の前記ユニットにおける前記第１の画線と前記第２の画線とはオン、オフの関係にあり、かつ、面積が同一であり、前記第１の画線により第１の不可視画像のポジ画像又はネガ画像のいずれか一方が形成され、前記第２の画線により前記第１の不可視画像のネガ画像又はポジ画像の他方が形成され、
前記第３の画線により連続階調から成る可視画像が形成されることを特徴とする連続階調を有する偽造防止用印刷物。
【請求項２】
前記第３の画線は、画線の大小、画線の濃淡又は画線の粗密から選択される一つの方法によって前記連続階調から成る可視画像が形成されていることを特徴とする請求項１記載の連続階調を有する偽造防止用印刷物。
【請求項３】
前記ユニットにおける最大寸法が１ｍｍ以下であることを特徴とする請求項１又は２記載の連続階調を有する偽造防止用印刷物。
【請求項４】
前記第１の不可視画像を形成するためにオン、オフの関係により配置された前記第１の画線及び前記第２の画線のうち、隣接して配置された前記ユニットにおける前記第１の画線及び前記第２の画線のオフと成る画線が近接して配置されている前記ユニット内の前記第１の画線、前記第２の画線及び前記第３の画線が形成されていない位置に、前記第１の画線又は前記第２の画線における半分又は略半分の画線面積率、かつ、同色である第４の画線が配置されて成ることを特徴とする請求項１乃至３のいずれか１項記載の連続階調を有する偽造防止用印刷物。
【請求項５】
前記第４の画線は、前記ユニット内の前記第１の画線、前記第２の画線及び前記第３の画線が形成されていない領域に前記第３の画線を囲んだ形状、若しくは、前記第３の画線に囲まれた形状によって形成することを特徴とする請求項１乃至４のいずれか１項記載の連続階調を有する偽造防止用印刷物。
【請求項６】
前記第４の画線は、前記ユニット内の前記第１の画線、前記第２の画線及び前記第３の画線が形成されていない領域に形成され、さらに前記第１の画線及び／又は前記第２の画線に隣接する位置に配置されて成ることを特徴とする請求項１乃至４のいずれか１項記載の連続階調を有する偽造防止用印刷物。
【請求項７】
前記第１の画線、前記第２の画線、前記第３の画線及び前記第４の画線は、光輝性材料を含むインキで印刷され、
前記第１の画線、前記第２の画線、前記第３の画線及び前記第４の画線の少なくとも一部の画線上に、無色透明材料を用いてベタ刷りにより所望の模様を形成することを特徴とする請求項１乃至６のいずれか１項記載の連続階調を有する偽造防止用印刷物。
【請求項８】
基材に、第１の方向に沿って、中心を境に対向するように配置された第１の画線及び第２の画線と、
前記第１の方向と直交する第２の方向に沿って、前記中心を境に対向するように配置された第５の画線及び第６の画線と、前記第１の画線、前記第２の画線、前記第５の画線及び前記第６の画線が存在しない領域に配置された第３の画線とを有するユニットが、一定のピッチでマトリクス状に配置されており、
各々の前記ユニットにおける前記第１の画線と前記第２の画線とはオン、オフの関係にあり、かつ、面積が同一であり、前記第１の画線により第１の不可視画像のポジ画像又はネガ画像のいずれか一方が形成され、前記第２の画線により前記第１の不可視画像のネガ画像又はポジ画像の他方が形成され、
各々の前記ユニットにおける前記第５の画線と前記第６の画線とはオン、オフの関係にあり、かつ、面積が同一であり、前記第５の画線により第２の不可視画像のポジ画像又はネガ画像のいずれか一方が形成され、前記第６の画線により前記第２の不可視画像のネガ画像又はポジ画像の他方が形成され、
前記第３の画線により連続階調から成る可視画像が形成されることを特徴とする連続階調を有する偽造防止用印刷物。
【請求項９】
前記ユニットは正方形の形状を有し、一辺の長さが１ｍｍ以下であることを特徴とする請求項８記載の連続階調を有する偽造防止用印刷物。
【請求項１０】
前記第１の不可視画像を形成するためにオン、オフの関係により配置された前記第１の画線及び前記第２の画線のうち、隣接して配置された前記ユニットにおける前記第１の画線及び前記第２の画線のオフと成る画線が近接して配置されている位置に、前記第１の画線又は前記第２の画線における半分又は略半分の画線面積率、かつ、同色である第４の画線が配置され、
前記第２の不可視画像を形成するためにオン、オフの関係により配置された前記第５の画線及び前記第６の画線のうち、隣接して配置された前記ユニットにおける前記第５の画線及び前記第６の画線のオフと成る画線が近接して配置されている位置に、前記第５の画線又は前記第６の画線における半分又は略半分の画線面積率、かつ、同色である第７の画線が配置されて成ることを特徴とする請求項８又は９記載の連続階調を有する偽造防止用印刷物。
【請求項１１】
前記第４の画線及び前記第７の画線は、前記ユニット内の前記第１の画線、前記第２の画線、前記第３の画線、前記第５の画線及び前記第６の画線が形成されていない領域に形成することを特徴とする請求項８乃至１０のいずれか１項記載の連続階調を有する偽造防止用印刷物。
【請求項１２】
前記第４の画線及び前記第７の画線は、前記ユニット内の前記第１の画線、前記第２の画線、前記第３の画線、前記第５の画線及び前記第６の画線が形成されていない領域に前記第３の画線を囲んだ形状、若しくは、前記第３の画線に囲まれた形状によって形成することを特徴とする請求項８乃至１０のいずれか１項記載の連続階調を有する偽造防止用印刷物。
【請求項１３】
前記第４の画線及び前記第７の画線は、前記ユニット内の前記第１の画線、前記第２の画線、前記第３の画線、前記第５の画線及び前記第６の画線が形成されていない領域に形成され、さらに正方形の形状を有する前記ユニット内における４方の角に配置されて成ることを特徴とする請求項８乃至１０のいずれか１項記載の連続階調を有する偽造防止用印刷物。
【請求項１４】
前記第１の画線、前記第２の画線、前記第３の画線、前記第４の画線、前記第５の画線、前記第６の画線及び前記第７の画線は、光輝性材料を含むインキで印刷され、
前記第１の画線、前記第２の画線、前記第３の画線、前記第４の画線、前記第５の画線、前記第６の画線及び前記第７の画線の少なくとも一部の画線上に、無色透明材料を用いてベタ刷りにより所望の模様を形成することを特徴とする請求項８乃至１３のいずれか１項記載の連続階調を有する偽造防止用印刷物。
【請求項１５】
前記第１の画線、前記第２の画線及び前記第４の画線と、前記第５の画線、前記第６の画線及び前記第７の画線とは、色相が異なることを特徴とする請求項８乃至１３のいずれか１項記載の連続階調を有する偽造防止用印刷物。
【請求項１６】
連続階調から成る可視画像が顔画像であることを特徴とする請求項１乃至１５のいずれか１項記載の偽造防止用印刷物。
【請求項１７】
請求項１乃至７のいずれか１項記載の連続階調を有する偽造防止用印刷物を、画像入力手段、項目設定手段、演算手段、印刷手段を有する作製装置を用いて作製する方法であって、
前記画像入力手段によって前記偽造防止印刷物に対して、レンチキュラーレンズ又は万線フィルタを重ねた場合に前記第１の不可視画像が潜像画像として視認される基となる第１の画像データと、連続階調を有する前記可視画像として視認される基となる第２の画像データとを入力する工程と、
前記項目設定手段によって前記偽造防止印刷物における解像度の設定、着色の設定及び第１の画線、第２の画線及び第３の画線の網点形状の設定を設定項目ごとに行う工程と、
前記演算手段によって、前記画像入力手段によって入力された前記第１の画像データを前記項目手段によって設定された内容で前記第１の画線、前記第２の画線から成る前記第１の不可視画像を有する画像データを形成し、前記第３の画線から成る前記連続階調を有する前記可視画像となる画像データを形成し、さらに、前記第１の不可視画像を有する画像データ及び前記連続階調を有する前記可視画像となる画像データを合成する工程と、
前記印刷手段によって、前記合成された画像データを元に基材に印刷する工程によって作製することを特徴とする連続階調を有する偽造防止用印刷物の作製方法。
【請求項１８】
請求項８乃至１５のいずれか１項記載の連続階調を有する偽造防止用印刷物を、画像入力手段、項目設定手段、演算手段、印刷手段を有する作製装置を用いて作製する方法であって、
前記画像入力手段によって、前記偽造防止印刷物に対して、レンチキュラーレンズ又は万線フィルタを重ねた場合に前記第１の不可視画像及び前記第２の不可視画像が潜像画像として視認される基となる第１の画像データ及び第２の画像データと、連続階調を有する前記可視画像として視認される基となる第３の画像データとを入力する工程と、
前記項目設定手段によって、前記偽造防止印刷物における解像度の設定、着色の設定及び第１の画線、第２の画線、第３の画線、第５の画線及び第６の画線の網点形状の設定を設定項目ごとに行う工程と、前記演算手段によって、前記画像入力手段によって入力された前記第１の画像データを前記項目設定手段によって設定された内容で前記第１の画線、前記第２の画線から成る前記第１の不可視画像を有する画像データを形成し、前記第２の画像データを前記項目設定手段によって設定された内容で前記第５の画線、前記第６の画線から成る第２の不可視画像を有する画像データを形成し、前記第３の画線から成る前記連続階調を有する前記可視画像となる画像データを形成し、さらに、前記第１の不可視画像を有する画像データ及び前記第２の不可視画像を有する画像データ、前記連続階調を有する前記可視画像となる画像データを合成する工程と、
前記印刷手段によって、前記合成された画像データを元に基材に印刷する工程によって作製することを特徴とする連続階調を有する偽造防止用印刷物の作製方法。
【請求項１９】
基材上の所定の領域に、ユニットが規則的に複数配置され、前記ユニット内は前記ユニットの中心を境に対向するように、所定の方向に沿って第１の画線又は第２の画線が形成され、前記複数配置された各々のユニットにおいて、前記第１の画線と前記第２の画線は面積が同一であり、前記第１の画線と前記第２の画線において、一方を同一色で着色し（オン）、他方は着色せず（オフ）、前記オン及びオフ状態の組み合わせにより不可視画像が形成され、前記ユニットの前記第１の画線又は前記第２の画線が形成される内部及び／又は前記ユニット同士の境界線を中心又は略中心に第３の画線が配置されることで可視画像が形成され、前記不可視画像を形成するために配置された前記第１の画線及び前記第２の画線のうち、前記所定の方向に隣接して本来配置される位置及び複数隣接して配置されたユニットのうち、オフとなっている部分が隣接して配置されている位置に、前記所定の領域における濃度の不均衡を緩和するため、前記第１の画線及び前記第２の画線における半分又は略半分の画線面積率、かつ、同色又は略同色である第４の画線が、前記第１の画線、前記第２の画線及び前記第３の画線が存在しない所定の領域に配置されて成る網点印刷物における網点データの作製装置において、
前記網点印刷物に対して、レンチキュラーレンズ又は万線フィルタを重ねた場合に前記不可視画像が潜像画像として視認される基となる第１の画像データと、可視画像として視認される基となる第２の画像データとを入力する画像入力手段と、
前記網点データにおける解像度の設定、着色の設定及び前記第１の画線、前記第２の画線、前記第３の画線及び前記第４の画線の網点形状の設定を設定項目ごとに行う項目設定手段と、
前記画像入力手段によって入力された前記第１の画像データを前記項目設定手段によって設定された内容で前記第１の画線、前記第２の画線から成る不可視画像を有する画像データを形成し、前記第３の画線から成る可視画像となる画像データを形成し、さらに、前記不可視画像を有する画像データ、前記可視画像となる画像データ及び前記濃度の不均衡を緩和するための前記第４の画線を合成する演算手段を有することを特徴とする網点データの作製装置。
【請求項２０】
前記項目設定手段は、前記網点データの解像度を設定する、任意の解像度を入力又はあらかじめ記憶してある複数の解像度から選択可能な生成データ解像度設定部と、
前記網点印刷物の色を設定する着色設定部と、
前記ユニットの高さ及び幅、前記ユニット内に形成する前記第１の画線、前記第２の画線、前記第３の画線及び前記第４の画線の網点形状を設定する網点形状設定部を有することを特徴とする請求項１９記載の網点データの作製装置。
【請求項２１】
前記演算手段は、前記第１の画像データの輪郭を抽出し、前記第１の画像データの輪郭画像データを生成する輪郭抽出部と、前記輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置する不可視画像配置部と、前記ユニットの前記第１の画線又は前記第２の画線が形成される内部及び／又は前記ユニット同士の境界線を中心又は略中心に可視画像を形成するための前記第３の画線を配置する可視画像配置部と、前記輪郭内部ユニット内及び前記輪郭外部ユニット内に配置された前記第１の画線及び前記第２の画線において、隣接して配置された前記第１の画線及び前記第２の画線がともにオン状態の場合に、前記第１の画線又は前記第２の画線のいずれか一方の画線をオフにすることで削除する画線削除部と、
前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の前記第４の画線を、前記第１の画線、前記第２の画線及び前記第３の画線が存在しない所定の領域に配置する濃度不均衡緩和画線配置部を有することを特徴とする請求項１９又は２０記載の網点データの作製装置。
【請求項２２】
前記可視画像配置部における前記第３の画線が前記ユニットの前記第１の画線又は前記第２の画線が形成される内部及び／又は前記ユニット同士の境界線を中心又は略中心として配置され、画線の大小、画線の濃淡又は画線の粗密から選択される一つの方法によって連続階調から成る可視画像が形成されていることを特徴とする請求項１９乃至２１いずれか１項記載の網点データの作製装置。
【請求項２３】
前記網点データの作製装置が、前記演算手段によって得られた演算結果を出力することによって、網点印刷物又は印刷版面を得る画像出力手段をさらに備えることを特徴とする請求項１９乃至２２いずれか１項記載の網点データの作製装置。
【請求項２４】
請求項４乃至７のいずれか１項記載の連続階調を有する偽造防止用印刷物の網点データを作製する方法を、第１の不可視画像となる第１の画像データと可視画像となる第２の画像データを入力する画像入力手段と、設定項目ごとに設定を行う項目設定手段と、前記第１の画像データ、前記第２の画像データ及び設定された設定項目をもとに網点データを作製する演算手段とを備えたコンピュータに実行させる網点データの作製用ソフトウェアを格納した、コンピュータにより読み取り可能な記録媒体において、
レンチキュラーレンズ又は万線フィルタを重ねた場合に前記第１の不可視画像が潜像画像として視認される基となる前記第１の画像データと、前記可視画像として視認される基となる前記第２の画像データとを、前記画像入力手段により入力する画像入力ステップと、前記第１の画像データから第１の不可視画像を有する画像データを生成し、前記第２の画像データから可視画像となる画像データを生成するための、前記網点データにおける解像度の設定、着色の設定及び第１の画線、第２の画線、第３の画線及び第４の画線の網点形状の設定を、前記項目設定手段により設定項目ごとに行う項目設定ステップと、入力された前記第１の画像データから前記項目設定手段によって設定された内容で前記第１の画線、前記第２の画線から成る第１の不可視画像を有する画像データを形成し、前記第３の画線から成る可視画像となる画像データを形成し、さらに、前記第１の不可視画像を有する画像データ、
前記可視画像となる画像データ及び濃度の不均衡を緩和するための前記第４の画線を演算手段により合成する演算ステップを備える網点データの生成方法をコンピュータに実行させることを特徴とする網点データの作製用ソフトウェアを格納した記録媒体。
【請求項２５】
前記項目設定ステップは、前記項目設定手段に含まれる生成データ解像度設定部によって、前記網点データの解像度を設定する、任意の解像度を入力又はあらかじめ記憶してある複数の解像度から選択可能な生成データ解像度設定ステップと、
前記項目設定手段に含まれる着色設定部によって、前記網点印刷物の色を設定する着色設定ステップと、
前記項目設定手段に含まれる網点形状設定部によって、前記ユニットの高さ及び幅、前記ユニット内に形成する前記第１の画線、前記第２の画線、前記第３の画線及び前記第４の画線の網点形状を設定する網点形状ステップを有することを特徴とする請求項２４記載の網点データの作製用ソフトウェアを格納した記録媒体。
【請求項２６】
前記演算ステップは、前記演算手段に含まれる輪郭抽出部によって、前記第１の画像データの輪郭を抽出し、前記第１の画像データの輪郭画像データを生成する輪郭抽出ステップと、
前記演算手段に含まれる不可視画像配置部によって、前記輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置する不可視画像配置ステップと、
前記演算手段に含まれる可視画像配置部によって、前記ユニットの前記第１の画線又は前記第２の画線が形成される内部及び／又は前記ユニット同士の境界線を中心又は略中心に第３の画線が配置する可視画像配置ステップと、
前記演算手段に含まれる画線削除部によって、前記輪郭内部ユニット内及び前記輪郭外部ユニット内に配置された前記第１の画線及び前記第２の画線において、隣接して配置された前記第１の画線及び前記第２の画線がともにオン状態の場合に、前記第１の画線又は前記第２の画線のいずれか一方の画線をオフにすることで削除する画線削除ステップと、
前記演算手段に含まれる濃度不均衡緩和画線配置部によって、前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の前記第４の画線を、前記第１の画線、前記第２の画線及び前記第３の画線が存在しない所定の領域に配置する濃度不均衡緩和画線配置ステップを有することを特徴とする請求項２４又は２５記載の網点データの作製用ソフトウェアを格納した記録媒体。
【請求項２７】
前記可視画像配置ステップにおける前記第３の画線が前記ユニットの前記第１の画線又は前記第２の画線が形成される内部及び／又は前記ユニット同士の境界線を中心又は略中心として配置され、画線の大小、画線の濃淡又は画線の粗密から選択される一つの方法によって連続階調から成る可視画像が形成されていることを特徴とする請求項２４乃至２６いずれか１項記載の網点データの作製用ソフトウェアを格納した記録媒体。
【請求項２８】
前記網点データの作製用ソフトウェアを格納した記録媒体が、前記演算ステップによって得られた演算結果を出力することによって、網点印刷物又は印刷版面を得る画像出力ソフトウェアをさらに備えることを特徴とする請求項２４乃至２７いずれか１項記載の網点データの作製用ソフトウェアを格納した記録媒体。
【請求項２９】
基材上の所定の領域に、ユニットが規則的に複数配置され、前記ユニット内は前記ユニットの中心を境に対向するように第１の方向に沿って第１の画線又は第２の画線が形成され、前記中心を境に対向するように前記第１の方向に直行する第２の方向に沿って、第５の画線又は第６の画線が形成され、前記第１の画線、前記第２の画線、前記第５の画線及び前記第６の画線が存在しない領域に配置された第３の画線が形成され、前記複数配置された各々のユニットにおいて、前記第１の画線、前記第２の画線、前記第５の画線及び前記第６の画線は、面積が同一であり、前記第１の画線と前記第２の画線において、一方を同一色で着色し（オン）、他方は着色せず（オフ）、前記オン及びオフ状態の組み合わせにより第１の不可視画像が形成され、前記第１の不可視画像を形成するために配置された前記第１の画線及び前記第２の画線のうち、前記第１の方向に隣接して本来配置される位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率を有する第４の画線が、前記第１の画線と前記第２の画線の境界線を中心又は略中心として配置され、前記第５の画線と前記第６の画線において、一方を同一色で着色し（オン）、他方は着色せず（オフ）、前記オン及びオフ状態の組み合わせにより第２の不可視画像が形成され、前記第２の不可視画像を形成するために配置された前記第５の画線及び前記第６の画線のうち、前記第２の方向に隣接して本来配置される位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率を有する第７の画線が、前記ユニット同士の境界線を中心又は略中心として配置されて成る網点印刷物における網点データの作製装置において、
前記網点印刷物に対して、レンチキュラーレンズ又は万線フィルタを重ねた場合に前記第１の不可視画像及び前記第２の不可視画像が潜像画像として視認される基となる第１の画像データ及び第２の画像データと、可視画像として視認される基となる第３の画像データとを入力する画像入力手段と、
前記網点データにおける解像度の設定、着色の設定及び前記第１の画線、前記第２の画線、前記第３の画線、前記第４の画線、前記第５の画線、前記第６の画線及び第７の画線の網点形状の設定を設定項目ごとに行う項目設定手段と、
前記画像入力手段によって入力された前記第１の画像データを用いて前記項目設定手段によって設定された内容で前記第１の画線、前記第２の画線から成る第１の不可視画像を有する画像データを形成し、前記第２の画像データを用いて前記項目設定手段によって設定された内容で前記第５の画線、前記第６の画線から成る第２の不可視画像を有する画像データを形成し、前記第３の画線から成る可視画像を有する画像データを形成し、さらに、前記第１の不可視画像を有する画像データ、前記第２の不可視画像を有する画像データ、前記可視画像を有する画像データ及び前記濃度の不均衡を緩和するための前記第４の画線及び前記第７の画線を合成する演算手段を有することを特徴とする網点データの作製装置。
【請求項３０】
前記項目設定手段は、前記網点データの解像度を設定する、任意の解像度を入力又はあらかじめ記憶してある複数の解像度から選択可能な生成データ解像度設定部と、
前記網点印刷物の色を設定する着色設定部と、
前記ユニットの高さ及び幅と、前記ユニット内に形成する前記第１の画線、前記第２の画線、前記第３の画線、前記第４の画線、前記第５の画線、前記第６の画線及び前記第７の画線の網点形状を設定する網点形状設定部を有することを特徴とする請求項２９記載の網点データの作製装置。
【請求項３１】
前記演算手段は、前記第１の画像データ及び前記第２の画像データの輪郭を抽出し、前記第１の画像データの輪郭画像データ及び前記第２の画像データの輪郭画像データを生成する輪郭抽出部と、前記第１の画像データの輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置し、前記第２の画像データの輪郭画像データを用いて、前記ユニットを輪郭内部の輪郭内部ユニットと輪郭外部の輪郭外部ユニットに区分けして、前記輪郭内部ユニット内に前記第５の画線又は前記第６の画線のいずれか一方をオンにして配置し、前記輪郭外部ユニット内に前記第５の画線又は前記第６の画線の他方をオフにして配置する不可視画像配置部と、
前記輪郭内部ユニット内及び前記輪郭外部ユニット内に配置された前記第１の画線、前記第２の画線、前記第５の画線及び前記第６の画線において、隣接して配置された前記第１の画線及び前記第２の画線がともにオン状態の場合に、前記第１の画線又は前記第２の画線のいずれか一方の画線をオフにすることで削除し、隣接して配置された前記第５の画線及び前記第６の画線がともにオン状態の場合に、前記第５の画線又は前記第６の画線のいずれか一方の画線をオフにすることで削除する画線削除部と、
前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の第４の画線を、前記第１の画線と前記第２の画線の境界線を中心又は略中心として配置し、前記第５の画線又は前記第６の画線を削除した空間の位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率、かつ、同色又は略同色の第７の画線を、前記第５の画線と前記第６の画線の境界線を中心又は略中心として配置する濃度不均衡緩和画線配置部と、
前記第１の画線、前記第２の画線、前記第４の画線、前記第５の画線、前記第６の画線及び前記第７の画線が存在しない領域に可視画像を形成するための前記第３の画線を配置する可視画像配置部を有することを特徴とする請求項２９又は３０記載の網点データの作製装置。
【請求項３２】
前記可視画像配置部における前記第３の画線が前記ユニットの中心、略中心及び四隅の少なくとも一つに配置され、画線の大小、画線の濃淡又は画線の粗密から選択される一つの方法によって連続階調から成る可視画像が形成されていることを特徴とする請求項２９乃至３１いずれか１項記載の網点データの作製装置。
【請求項３３】
前記網点データの作製装置が、前記演算手段によって得られた演算結果を出力することによって、網点印刷物又は印刷版面を得る画像出力手段をさらに備えることを特徴とする請求項２９乃至３２いずれか１項記載の網点データの作製装置。
【請求項３４】
請求項１０乃至１５のいずれか１項記載の連続階調を有する偽造防止用印刷物の網点データを作製する方法を、第１の不可視画像となる第１の画像データ及び第２の不可視画像となる第２の画像データと、可視画像となる第３の画像データを入力する画像入力手段と、設定項目ごとに設定を行う項目設定手段と、前記第１の画像データ、前記第２の画像データ、前記第３の画像データ並びに設定された設定項目をもとに網点データを作製する演算手段とを備えたコンピュータに実行させる網点データの作製用ソフトウェアを格納した、コンピュータにより読み取り可能な記録媒体において、
レンチキュラーレンズ又は万線フィルタを重ねた場合に前記第１の不可視画像及び前記第２の不可視画像が潜像画像として視認される基となる第１の画像データ及び第２の画像データと、可視画像として視認される基となる第３の画像データとを、前記画像入力手段により入力する画像入力ステップと、
前記第１の画像データから第１の不可視画像を有する画像データを生成し、前記第２の画像データから第２の不可視画像を有する画像データを生成し、前記第３の画像データから可視画像を有する画像データを生成するための、前記網点データにおける解像度の設定、着色の設定及び前記第１の画線、前記第２の画線、前記第３の画線、前記第４の画線、前記第５の画線、前記第６の画線及び前記第７の画線の網点形状の設定を、前記項目設定手段により設定項目ごとに行う項目設定ステップと、
入力された前記第１の画像データを用いて前記項目設定手段によって設定された内容で前記第１の画線、前記第２の画線から成る第１の不可視画像を有する画像データを形成し、前記第２の画像データを用いて前記項目設定手段によって設定された内容で前記第５の画線、前記第６の画線から成る第２の不可視画像を有する画像データを形成し、前記第３の画線から成る可視画像を有する画像データを形成し、さらに、前記第１の不可視画像を有する画像データ、前記第２の不可視画像を有する画像データ、前記可視画像を有する画像データ及び前記濃度の不均衡を緩和するための前記第４の画線及び前記第７の画線を前記演算手段により合成する演算ステップを備える網点データの生成方法をコンピュータに実行させることを特徴とする網点データの作製用ソフトウェアを格納した記録媒体。
【請求項３５】
前記項目設定ステップは、前記項目設定手段に含まれる生成データ解像度設定部によって、前記網点データの解像度を設定する、任意の解像度を入力又はあらかじめ記憶してある複数の解像度から選択可能な生成データ解像度設定ステップと、
前記項目設定手段に含まれる着色設定部によって、前記網点印刷物の色を設定する着色設定ステップと、
前記項目設定手段に含まれる網点形状設定部によって、前記ユニットの高さ及び幅と、前記ユニット内に形成する前記第１の画線、前記第２の画線、前記第３の画線、前記第４の画線、前記第５の画線、前記第６の画線及び前記第７の画線の網点形状を設定する網点形状設定ステップを有することを特徴とする請求項３４記載の網点データの作製用ソフトウェアを格納した記録媒体。
【請求項３６】
前記演算ステップは、前記演算手段に含まれる輪郭抽出部によって、前記第１の画像データ及び前記第２の画像データの輪郭を抽出し、前記第１の画像データの輪郭画像データ及び前記第２の画像データの輪郭画像データを生成する輪郭抽出ステップと、
前記演算手段に含まれる不可視画像配置部によって、前記第１の画像データの輪郭画像データを用いて、前記ユニットを輪郭内部の輪郭内部ユニットと輪郭外部の輪郭外部ユニットに区分けして、前記輪郭内部ユニット内に前記第１の画線又は前記第２の画線のいずれか一方をオンにして配置し、前記輪郭外部ユニット内に前記第１の画線又は前記第２の画線の他方をオフにして配置し、前記第２の画像データの輪郭画像データを用いて、前記ユニットを輪郭内部の輪郭内部ユニットと輪郭外部の輪郭外部ユニットに区分けして、前記輪郭内部ユニット内に前記第５の画線又は前記第６の画線のいずれか一方をオンにして配置し、前記輪郭外部ユニット内に前記第５の画線又は前記第６の画線の他方をオフにして配置する不可視画像配置ステップと、前記演算手段に含まれる画線削除部によって、前記輪郭内部ユニット内及び前記輪郭外部ユニット内に配置された前記第１の画線、前記第２の画線、前記第５の画線及び前記第６の画線において、隣接して配置された前記第１の画線及び前記第２の画線がともにオン状態の場合に、前記第１の画線又は前記第２の画線のいずれか一方の画線をオフにすることで削除し、隣接して配置された前記第５の画線及び前記第６の画線がともにオン状態の場合に、前記第５の画線又は前記第６の画線のいずれか一方の画線をオフにすることで削除する画線削除ステップと、
前記演算手段に含まれる濃度不均衡緩和画線配置部によって、前記第１の画線又は前記第２の画線を削除した空間の位置及び複数隣接して配置されたユニットのうち、オフとなっている部分が隣接して配置されている位置に、前記所定の領域における濃度の不均衡を緩和するために、前記第１の画線及び前記第２の画線における半分又は略半分の画線面積率、かつ、同色又は略同色の第４の画線を、前記第１の画線と前記第２の画線の境界線を中心又は略中心として配置し、前記第５の画線又は前記第６の画線を削除した空間の位置及び複数隣接して配置されたユニットのうち、オフとなっている部分が隣接して配置されている位置に、前記所定の領域における濃度の不均衡を緩和するために、前記第５の画線及び前記第６の画線における半分又は略半分の画線面積率、かつ、同色又は略同色の第７の画線を、前記第５の画線と前記第６の画線の境界線を中心又は略中心として配置する濃度不均衡緩和画線配置ステップと、
前記演算手段に含まれる可視画像配置部によって、前記第１の画線、前記第２の画線、前記第４の画線、前記第５の画線、前記第６の画線及び前記第７の画線が存在しない領域に可視画像を形成するための前記第３の画線を配置する可視画像配置ステップを有することを特徴とする請求項３４又は３５記載の網点データの作製用ソフトウェアを格納した記録媒体。
【請求項３７】
前記可視画像配置ステップにおける前記第３の画線が前記ユニットの中心、略中心及び四隅の少なくとも一つに配置され、画線の大小、画線の濃淡又は画線の粗密から選択される一つの方法によって連続階調から成る可視画像が形成されていることを特徴とする請求項３４乃至３６いずれか１項記載の網点データの作製用ソフトウェアを格納した記録媒体。
【請求項３８】
前記網点データの作製用ソフトウェアを格納した記録媒体が、前記演算ステップによって得られた演算結果を出力することによって、網点印刷物又は印刷版面を得る画像出力ソフトウェアをさらに備えることを特徴とする請求項３４乃至３７いずれか１項記載の網点データの作製用ソフトウェアを格納した記録媒体。
【国際調査報告】
2010032718.tif 000110
2010032718.tif 000111
2010032718.tif 000112
2010032718.tif 000113
2010032718.tif 000114